(57)【要約】【課題】インクジェット記録方法及び装置並びにインク及びインクカートリッジに関し、色の境界部分でのブリードを抑制して、同色相の記録部分での記録濃度、明度及び彩度に差が生じないようにすることを目的とする。【解決手段】記録媒体に対してインクジェット記録を行う際に複数の色相のインクと共に使用される所定の色相のインクを貯蔵するインクカートリッジであって、カートリッジ本体と、該カートリッジ本体内に貯蔵された所定の色相のインクとからなり、該所定の色相のインクは、該記録媒体に対して該複数の色相のインクより低い浸透性を有し、且つ、該複数の色相のインクより明度が低い、インクカートリッジ。【選択図】  図１
2006225665.tif 000002
【特許請求の範囲】
【請求項１】
記録媒体に対してインクジェット記録を行う際に複数の色相のインクと共に使用される所定の色相のインクを貯蔵するインクカートリッジであって、カートリッジ本体と、該カートリッジ本体内に貯蔵された所定の色相のインクとからなり、該所定の色相のインクは、該記録媒体に対して該複数の色相のインクより低い浸透性を有し、且つ、該複数の色相のインクより明度が低い、インクカートリッジ。
【請求項２】
前記所定の色相のインクは黒のインクである、請求項１記載のインクカートリッジ。
【請求項３】
前記所定の色相のインクは、前記複数の色相のインクと同じ染料を用いる、請求項１又は２記載のインクカートリッジ。
【請求項４】
前記所定の色相のインクが含む染料量は、前記複数の色相のインクが含む染料量より多い、請求項１〜３のうちいずれか１項記載のインクカートリッジ。
【請求項５】
記録媒体に対してインクジェット記録を行う際に黒のインクと共に使用される所定の色相のインクを貯蔵するインクカートリッジであって、カートリッジ本体と、該カートリッジ本体内に貯蔵された所定の色相のインクとからなり、該所定の色相のインクは、該記録媒体に対して該黒のインクより高い浸透性を有し、且つ、該黒のインク以上の明度を有する、インクカートリッジ。
【請求項６】
前記所定の色相のインクは、黒、イエロー、マゼンタ及びシアンから選択された１つの色相のインクである、請求項５記載のインクカートリッジ。
【請求項７】
前記所定の色相のインクは、明度が低い程高い浸透性を有する、請求項６記載のインクカートリッジ。
【請求項８】
前記所定の色相のインクは、前記黒のインクと同じ染料を用いる黒のインクである、請求項５記載のインクカートリッジ。
【請求項９】
前記所定の色相のインクが含む染料量は、前記黒のインクが含む染料量より多い、請求項５〜８のうちいずれか１項記載のインクカートリッジ。
【請求項１０】
記録媒体に対してインクジェット記録を行う際に複数の色相のインクと共に使用される所定の色相のインクを貯蔵するインクカートリッジであって、カートリッジ本体と、該カートリッジ本体内に貯蔵された所定の色相のインクとからなり、該所定の色相のインクは、色材の移動率であるＲｆ値が該複数の色相のインクのＲｆ値とは異なり、その明度より高い明度の色相のインクよりＲｆ値が低く設定されている、インクカートリッジ。
【請求項１１】
前記所定の色相のインクは、その明度に応じてＲｆ値を異ならせた染料を用いる、請求項１０記載のインクカートリッジ。
【請求項１２】
記録媒体に対してインクジェット記録を行う際に複数の色相のインクと共に使用される所定の色相のインクを貯蔵するインクカートリッジであって、カートリッジ本体と、該カートリッジ本体内に貯蔵された所定の色相のインクとからなり、該所定の色相のインクの該記録媒体に対する接触角は８５°以上又は７０°以下である、インクカートリッジ。
【請求項１３】
前記所定の色相のインクは黒のインクである、請求項１２記載のインクカートリッジ。
【請求項１４】
記録媒体に対してインクジェット記録を行う際に複数の色相のインクと共に使用される所定の色相のインクを貯蔵するインクカートリッジであって、カートリッジ本体と、該カートリッジ本体内に貯蔵された所定の色相のインクとからなり、該所定の色相のインクの該記録媒体に対する表面張力は４９ｄｙｎｅ／ｃｍ以上で又は４５ｄｙｎｅ／ｃｍ以下である、インクカートリッジ。
【請求項１５】
前記所定の色相のインクは黒のインクである、請求項１２記載のインクカートリッジ。
【請求項１６】
記録媒体に対してインクジェット記録を行う際に複数の色相のインクと共に使用される所定の色相のインクを貯蔵するインクカートリッジであって、カートリッジ本体と、該カートリッジ本体内に貯蔵された所定の色相のインクとからなり、該所定の色相のインクの該記録媒体に対する吸収係数Ｋａ（ｎｌ／（ｍｍ2 ・ｓ1/2 ））は１５未満に設定されている、インクカートリッジ。
【請求項１７】
前記所定の色相のインクは黒のインクである、請求項１６記載のインクカートリッジ。
【請求項１８】
記録媒体に対してインクジェット記録を行う際に黒のインクと共に使用される所定の色相のインクを貯蔵するインクカートリッジであって、カートリッジ本体と、該カートリッジ本体内に貯蔵された所定の色相のインクとからなり、該所定の色相のインクの該記録媒体に対する吸収係数Ｋａ（ｎｌ／（ｍｍ2 ・ｓ1/2 ））は４０以上に設定されている、インクカートリッジ。
【請求項１９】
前記所定の色相のインクは、黒、イエロー、マゼンタ及びシアンのうち１つの色相のインクである、請求項１８記載のインクカートリッジ。
【請求項２０】
記録媒体に対してインクジェット記録を行う際に黒のインクと共に使用される所定の色相のインクであって、該所定の色相のインクは、該記録媒体に対して該黒のインクより高い浸透性を有し、且つ、該黒のインク以上の明度を有する、インク。
【請求項２１】
前記所定の色相は、黒、イエロー、マゼンタ及びシアンから選択された１つの色相である、請求項２０記載のインク。
【請求項２２】
前記所定の色相のインクは、明度が低い程高い浸透性を有する、請求項２１記載のインク。
【請求項２３】
前記所定の色相のインクは、前記黒のインクと同じ染料を用いる黒のインクである、請求項２０記載のインク。
【請求項２４】
前記所定の色相のインクが含む染料量は、前記黒のインクが含む染料量より多い、請求項２０〜２３のうちいずれか１項記載のインク。
【請求項２５】
記録媒体に対してインクジェット記録を行う際に複数の色相のインクと共に使用される所定の色相のインクであって、該所定の色相のインクは、色材の移動率であるＲｆ値が該複数の色相のインクのＲｆ値とは異なり、その明度より高い明度の色相のインクよりＲｆ値が低く設定されている、インク。
【請求項２６】
前記所定の色相のインクは、その明度に応じてＲｆ値を異ならせた染料を用いる、請求項２５記載のインク。
【請求項２７】
記録媒体に対してインクジェット記録を行う際に複数の色相のインクと共に使用される所定の色相のインクあって、該所定の色相のインクの該記録媒体に対する接触角は８５°以上又は７０°以下である、インク。
【請求項２８】
前記所定の色相は黒である、請求項２７記載のインク。
【請求項２９】
記録媒体に対してインクジェット記録を行う際に複数の色相のインクと共に使用される所定の色相のインクであって、該所定の色相のインクの該記録媒体に対する表面張力は４９ｄｙｎｅ／ｃｍ以上で又は４５ｄｙｎｅ／ｃｍ以下である、インク。
【請求項３０】
前記所定の色相は黒である、請求項２９記載のインク。
【請求項３１】
記録媒体に対してインクジェット記録を行う際に複数の色相のインクと共に使用される所定の色相のインクであって、該所定の色相のインクの該記録媒体に対する吸収係数Ｋａ（ｎｌ／（ｍｍ2 ・ｓ1/2 ））は１５未満に設定されている、インク。
【請求項３２】
前記所定の色相は黒である、請求項３１記載のインク。
【請求項３３】
記録媒体に対してインクジェット記録を行う際に黒のインクと共に使用される所定の色相のインクであって、該所定の色相のインクの該記録媒体に対する吸収係数Ｋａ（ｎｌ／（ｍｍ2 ・ｓ1/2 ））は４０以上に設定されている、インク。
【請求項３４】
前記所定の色相は、黒、イエロー、マゼンタ及びシアンのうち１つの色相である、請求項３３記載のインク。
【発明の詳細な説明】
【技術分野】
【０００１】
本発明はインクジェット記録方法並びにインク及び装置及びインクカートリッジに係り、特にブリードを抑制するのに適したインクジェット記録方法及び装置並びにインク及びインクカートリッジに関する。
【背景技術】
【０００２】
インクジェット記録方法には、従来より種々の方式が提案されている。例えば、バブル（サーマル）方式では、インクを加熱して発泡させ、その圧力を利用してインクを吐出させる。圧電方式又は音波方式では、圧電素子又は音波発生素子を用いてインクに機械的振動又は変位を与えてインクを吐出させる。又、磁界や電界を用いてインクをノズルから吐出させる方式も提案されている。この様なインクジェット記録方法では、インクの小滴を飛翔させてその一部又は全部を紙等の記録媒体に付着させて記録を行うので、騒音の発生がなく、高速記録及び多色記録も可能である。
【０００３】
通常、インクジェット記録に用いられるインクは、記録剤としての染料や顔料等の色材と液媒体とを主成分とする。記録剤には、安全性、記録特性等の面から水溶性染料、好ましくは酸性染料又は直接染料が使用される。他方、液媒体には、安全性、記録特性等の面から主に水を主成分とするものが使用される。又、ヘッドのノズルの目詰まり防止及び吐出安定性を考慮して、液媒体には多価アルコール等が添加されていることが多い。
【０００４】
インクジェット記録方法で用いられる記録媒体には、コピー用上質紙等の通常の紙や、インクジェット記録用紙と称される用紙等が使用される。インクジェット記録用紙とは、基材上にインク吸収性及び／又はインク溶解性のインク受容層を設けた用紙である。しかし、記録速度の高速化及び記録の多色化等のインクジェット記録装置の性能の向上に伴い、インクの記録媒体への定着が安定、且つ、速やかに行われ、インクのにじみが目立たないこと等が特に通常の紙で要求されるようになってきた。
【０００５】
異なる色のインクが２色の境界部分で混ざり合うことで生じるにじみ（以下、ブリードと言う）が発生すると、記録品位が低下してしまう。そこで、従来は、ブリードを抑制する方法として様々な方法が提案されており、例えば以下の方法（１）〜（７）等が提案されている。
【０００６】
方法（１）は、色の境界を形成する２色のインク間の界面張力を大きくするもので、例えば特開平２−１７５２５３号公報にて提案されている。方法（２）は、各インクの記録媒体への浸透性を異ならせるもので、例えば特開平４−３５５１５７号公報及び特開平４−３６４９６１号公報にて提案されている。方法（３）は、色の境界部分にインクを付着せず、所謂白抜きとするもので、例えば特開平３−１４６３５５号公報にて提案されている。
【０００７】
方法（４）は、間引き記録を複数回行って記録を完成するもので、例えば特開平３−１４６３５５号公報にて提案されている。方法（５）は、記録媒体上に予めはつインク剤をコーティングしておいて記録媒体へのインクの浸透及び広がりを防止して色の境界でインクが接しないようにするもので、例えば特開平３−００２０４６号公報にて提案されている。方法（６）は、色の境界部分に記録するインク粒子の数や量を少なくするものである。方法（７）は、記録媒体に付着されたインクを強制的に蒸発させるための定着器を用いる。
【発明の開示】
【発明が解決しようとする課題】
【０００８】
しかし、上記方法（１）又は（２）では、記録媒体に対するインクの浸透性が異なるために、浸透性の大きなインクで記録した場合には記録部分のエッジでの紙の繊維に沿ったにじみが大きくなってしまい、シャープさがなくなり、画質が大幅に劣化するという問題があった。
【０００９】
上記方法（３）では、色の境界部分に白い未記録部分が形成されるため、画像全体のイメージや記録濃度が低下してしまうという問題があった。特に、白とのコントラストが大きな暗色との色境界部分では、画質の劣化が著しいという問題があった。
【００１０】
上記方法（４）では、記録を行うヘッドの記録媒体に対する走査回数が多くなるので、記録速度が低下するという問題があった。上記方法（５）では、インクにより形成されるドットの大きさが小さくなるので、記録濃度が低下したり、ドットにむらが生じたりして画質が劣化するという問題があった。又、ユーザは、専用の記録媒体を使用しなければならず、不便であるという問題もあった。
【００１１】
上記方法（６）では、色の境界部分で解像度が低下したり、記録濃度が低下したりして画質が劣化するという問題があった。上記方法（７）では、比較的大型の定着器を設ける必要があり、インクジェット記録装置が大型化すると共に、消費電力も増加してしまうという問題があった。
【００１２】
ところで、インクジェット記録装置において所望の解像度で記録媒体に線画や一般画像を記録するには、所望の解像度に適した大きさのドットが得られるようにヘッドから吐出されるインク量を調整する必要がある。浸透性の低いインクは、浸透性の高いインクより記録媒体上でのドットの広がりが小さいため、浸透性の高いインクより多いインク量が記録媒体上に記録される。この傾向は、記録媒体としてインクの浸透を抑制するサイズ等の処理が施されているコピー用紙やボンド紙、葉書等の普通紙で顕著に見られる。これに対し、インクジェット記録専用のコート紙、オーバーヘッドプロジェクタ（ＯＨＰ）フィルムや光沢紙等のインクジェット記録用紙では、用紙／フィルムの基材の上にインク受容層が設けられており、インクの浸透を均一に、又は、速めるように設計されているので、インクの浸透性の影響は比較的小さい。尚、インク受容層は、例えばポリビニルアルコール、カチオン樹脂等の親水・吸水性のポリマーや樹脂、顔料、バインダー等からなる。
【００１３】
このように、浸透性の異なるインクは記録媒体上で性質が大きく異なるので、夫々のインクに対して十分な性能を満たす記録媒体を設計することは困難であるという問題点もあった。又、ヘッドのノズルの径は例えば５０μｍ〜１００μｍと小さいため、ノズルの先端（ノズルオリフィス）でインクが蒸発乾燥して目詰まりを起こさないように、不揮発性で、且つ、吸湿性の大きな溶媒（溶剤）がインクに添加されている。しかし、ノズルオリフィス内での染料の折出による目詰まりは防止できても、溶媒の蒸発によるインクの増粘は避けられない。インクの増粘が進むと、インクの噴射方向が定まらなくなり、記録媒体に記録されるドットの位置ずれを生じると共に、極端な場合にはインクの噴射が行えなくなり、ドット抜けを生じてしまう。そこで、ノズルからバックアップユニットに対してインクを噴射（スプレー）し、インクの粘度が一定以上にならないようにする方法が提案されている。ところが、インクの増粘の程度は、インク中に含まれる湿潤剤や染料等の種類及び濃度によって異なり、同一のインクジェット記録装置内で使用される多種類のインク間でも異なる場合があるにも拘らず、従来はインク間で異なる増粘の程度は一切考慮されていなかった。
【００１４】
そこで、本発明は、高品位の記録を行うことのできるインクジェット記録方法及び装置並びにインク及びインクカートリッジを提供することを目的とする。より具体的には、本発明は、色の境界部分でのブリードを抑制して、同色相の記録部分での記録濃度、明度及び彩度に差が生じないように及び／又は文字等を印字したときににじみが生じないようにすることのできるインクジェット記録方法及び装置並びにインク及びインクカートリッジを提供することを第１の課題とする。
【００１５】
本発明は、浸透性の異なるインクを用いても記録濃度にむらのない高品位な記録を可能とするインクジェット記録方法及び装置を提供することを第２の課題とする。更に、本発明は、インクの増粘に左右されるインクの噴射を安定化して高品位な記録を高い信頼性をもって実現できるインクジェット記録方法及び装置を提供することを第３の課題とする。
【課題を解決するための手段】
【００１６】
上記の第１の課題は、請求項１記載の、記録媒体に対してインクジェット記録を行う際に複数の色相のインクと共に使用される所定の色相のインクを貯蔵するインクカートリッジであって、カートリッジ本体と、該カートリッジ本体内に貯蔵された所定の色相のインクとからなり、該所定の色相のインクは、該記録媒体に対して該複数の色相のインクより低い浸透性を有し、且つ、該複数の色相のインクより明度が低いインクカートリッジによっても達成できる。
【００１７】
請求項２記載の発明では、請求項１の発明において、前記所定の色相のインクは黒のインクである。請求項３記載の発明では、請求項１又は２の発明において、前記所定の色相のインクは、前記複数の色相のインクと同じ染料を用いる。
【００１８】
請求項４記載の発明では、請求項１又は２の発明において、前記所定の色相のインクが含む染料量は、前記複数の色相のインクが含む染料量より多い。上記の第１の課題は、請求項５記載の、記録媒体に対してインクジェット記録を行う際に黒のインクと共に使用される所定の色相のインクを貯蔵するインクカートリッジであって、カートリッジ本体と、該カートリッジ本体内に貯蔵された所定の色相のインクとからなり、該所定の色相のインクは、該記録媒体に対して該黒のインクより高い浸透性を有し、且つ、該黒のインク以上の明度を有するインクカートリッジによっても達成できる。
【００１９】
請求項６記載の発明では、請求項５の発明において、前記所定の色相のインクは、黒、イエロー、マゼンタ及びシアンから選択された１つの色相のインクである。請求項７記載の発明では、請求項６の発明において、前記所定の色相のインクは、明度が低い程高い浸透性を有する。
【００２０】
請求項８記載の発明では、請求項５の発明において、前記所定の色相のインクは、前記黒のインクと同じ染料を用いる黒のインクである。請求項９記載の発明では、請求項５〜８のうちいずれか１つの発明において、前記所定の色相のインクが含む染料量は、前記黒のインクが含む染料量より多い。
【００２１】
上記の第１の課題は、請求項１０記載の、記録媒体に対してインクジェット記録を行う際に複数の色相のインクと共に使用される所定の色相のインクを貯蔵するインクカートリッジであって、カートリッジ本体と、該カートリッジ本体内に貯蔵された所定の色相のインクとからなり、該所定の色相のインクは、色材の移動率であるＲｆ値が該複数の色相のインクのＲｆ値とは異なり、その明度より高い明度の色相のインクよりＲｆ値が低く設定されているインクカートリッジによっても達成できる。
【００２２】
請求項１１記載の発明では、請求項１０の発明において、前記所定の色相のインクは、その明度に応じてＲｆ値を異ならせた染料を用いる。上記の第１の課題は、請求項１２記載の、記録媒体に対してインクジェット記録を行う際に複数の色相のインクと共に使用される所定の色相のインクを貯蔵するインクカートリッジであって、カートリッジ本体と、該カートリッジ本体内に貯蔵された所定の色相のインクとからなり、該所定の色相のインクの該記録媒体に対する接触角は８５°以上又は７０°以下であるインクカートリッジによっても達成できる。
【００２３】
請求項１３記載の発明では、請求項１２の発明において、前記所定の色相のインクは黒のインクである。上記の第１の課題は、請求項１４記載の、記録媒体に対してインクジェット記録を行う際に複数の色相のインクと共に使用される所定の色相のインクを貯蔵するインクカートリッジであって、カートリッジ本体と、該カートリッジ本体内に貯蔵された所定の色相のインクとからなり、該所定の色相のインクの該記録媒体に対する表面張力は４９ｄｙｎｅ／ｃｍ以上で又は４５ｄｙｎｅ／ｃｍ以下であるインクカートリッジによっても達成できる。
【００２４】
請求項１５記載の発明では、請求項１４の発明において、前記所定の色相のインクは黒のインクである。上記の第１の課題は、請求項１６記載の、記録媒体に対してインクジェット記録を行う際に複数の色相のインクと共に使用される所定の色相のインクを貯蔵するインクカートリッジであって、カートリッジ本体と、該カートリッジ本体内に貯蔵された所定の色相のインクとからなり、該所定の色相のインクの該記録媒体に対する吸収係数Ｋａ（ｎｌ／（ｍｍ2 ・ｓ1/2 ））は１５未満に設定されているインクカートリッジによっても達成できる。
【００２５】
請求項１７記載の発明では、請求項１６の発明において、前記所定の色相のインクは黒のインクである。上記の第１の課題は、請求項１８記載の、記録媒体に対してインクジェット記録を行う際に黒のインクと共に使用される所定の色相のインクを貯蔵するインクカートリッジであって、カートリッジ本体と、該カートリッジ本体内に貯蔵された所定の色相のインクとからなり、該所定の色相のインクの該記録媒体に対する吸収係数Ｋａ（ｎｌ／（ｍｍ2 ・ｓ1/2 ））は４０以上に設定されているインクカートリッジによっても達成できる。
【００２６】
請求項１９記載の発明では、請求項１８の発明において、前記所定の色相のインクは、黒、イエロー、マゼンタ及びシアンのうち１つの色相のインクである。上記の第１の課題は、請求項２０記載の、記録媒体に対してインクジェット記録を行う際に黒のインクと共に使用される所定の色相のインクであって、該所定の色相のインクは、該記録媒体に対して該黒のインクより高い浸透性を有し、且つ、該黒のインク以上の明度を有するインクによっても達成できる。
【００２７】
請求項２１記載の発明では、請求項２０の発明において、前記所定の色相は、黒、イエロー、マゼンタ及びシアンから選択された１つの色相である。請求項２２記載の発明では、請求項２１の発明において、前記所定の色相のインクは、明度が低い程高い浸透性を有する。
【００２８】
請求項２３記載の発明では、請求項２０の発明において、前記所定の色相のインクは、前記黒のインクと同じ染料を用いる黒のインクである。請求項２４記載の発明では、請求項２０〜２３のうちいずれか１つの発明において、前記所定の色相のインクが含む染料量は、前記黒のインクが含む染料量より多い。
【００２９】
上記の第１の課題は、請求項２５記載の、記録媒体に対してインクジェット記録を行う際に複数の色相のインクと共に使用される所定の色相のインクであって、該所定の色相のインクは、色材の移動率であるＲｆ値が該複数の色相のインクのＲｆ値とは異なり、その明度より高い明度の色相のインクよりＲｆ値が低く設定されているインクによっても達成できる。
【００３０】
請求項２６記載の発明では、請求項２５の発明において、前記所定の色相のインクは、その明度に応じてＲｆ値を異ならせた染料を用いる。上記の第１の課題は、請求項２７記載の、記録媒体に対してインクジェット記録を行う際に複数の色相のインクと共に使用される所定の色相のインクあって、該所定の色相のインクの該記録媒体に対する接触角は８５°以上又は７０°以下であるインクによっても達成できる。
【００３１】
請求項２８記載の発明は、請求項２７の発明において、前記所定の色相は黒である。上記の第１の課題は、請求項２９記載の、記録媒体に対してインクジェット記録を行う際に複数の色相のインクと共に使用される所定の色相のインクであって、該所定の色相のインクの該記録媒体に対する表面張力は４９ｄｙｎｅ／ｃｍ以上で又は４５ｄｙｎｅ／ｃｍ以下であるインクによっても達成できる。
【００３２】
請求項３０記載の発明では、請求項２９の発明において、前記所定の色相は黒である。上記の第１の課題は、請求項３１記載の、記録媒体に対してインクジェット記録を行う際に複数の色相のインクと共に使用される所定の色相のインクであって、該所定の色相のインクの該記録媒体に対する吸収係数Ｋａ（ｎｌ／（ｍｍ2・ｓ1/2 ））は１５未満に設定されているインクによっても達成できる。
【００３３】
請求項３２記載の発明では、請求項３１の発明において、前記所定の色相は黒である。上記の第１の課題は、請求項３３記載の、記録媒体に対してインクジェット記録を行う際に黒のインクと共に使用される所定の色相のインクであって、該所定の色相のインクの該記録媒体に対する吸収係数Ｋａ（ｎｌ／（ｍｍ2 ・ｓ1/2））は４０以上に設定されているインクによっても達成できる。
【００３４】
請求項３４記載の発明では、請求項３３の発明において、前記所定の色相は、黒、イエロー、マゼンタ及びシアンのうち１つの色相である。
【００３５】
請求項１〜９記載の発明によれば、にじみのない高品位な文字等の線画の記録と、ブリードのない高品位な図形等の一般画像の記録とを行うことができ、線画と一般画像との記録濃度や色相の差を抑制することが可能となる。請求項１０及び１１記載の発明によれば、異なる色相の境界部分におけるブリードを防止して、鮮明なカラー画像を記録することができる。
【００３６】
請求項１２〜１５記載の発明によれば、普通紙を含む様々な種類の記録媒体に対して線画及び一般画像を高品位で記録することができる。請求項１６〜１９記載の発明によれば、にじみのない高品位な文字等の線画の記録と、ブリードのない高品位な図形等の一般画像の記録とを行うことができ、線画と一般画像との記録濃度や色相の差を抑制することが可能となる。
【００３７】
請求項２０〜２４記載の発明によれば、にじみのない高品位な文字等の線画の記録と、ブリードのない高品位な図形等の一般画像の記録とを行うことができ、線画と一般画像との記録濃度や色相の差を抑制することが可能となる。請求項２５及び２６記載の発明によれば、異なる色相の境界部分におけるブリードを防止して、鮮明なカラー画像を記録することができる。
【００３８】
請求項２７〜３０記載の発明によれば、普通紙を含む様々な種類の記録媒体に対して線画及び一般画像を高品位で記録することができる。請求項３１〜３４記載の発明によれば、にじみのない高品位な文字等の線画の記録と、ブリードのない高品位な図形等の一般画像の記録とを行うことができ、線画と一般画像との記録濃度や色相の差を抑制することが可能となる。
【００３９】
また、本発明は、次のように特定することもできる。
【００４０】
（付記１） 複数の色相のインクを記録媒体に付着して画像を記録するインクジェット記録方法において、少なくとも１つの所定の色相については該記録媒体への浸透性の異なる２種類のインクを用いると共に、該インクのうち、浸透性の低いインクは、該所定の色相以外の色相のインクよりも浸透性が低いような該複数の色相のインクを用い、該記録媒体上の、該所定の色相を含む第１の記録領域と該所定の色相とは異なる色相からなり該第１の記録領域に隣接する第２の記録領域との境界部分では、該２種類のインクのうち浸透性の高い方のインクで該第２の記録領域までの少なくとも所定記録幅にわたって記録を行い、該境界部分の残りの部分は該２種類のうち浸透性の低い方のインクで記録を行う、インクジェット記録方法。
【００４１】
（付記２） 前記所定の色相の明度は他の色相の明度より低い、付記１記載のインクジェット記録方法。
【００４２】
（付記３） 前記所定の色相で浸透性の高い方のインク及び同等に高い浸透性を有する他の色相のインクは、色相の明度が低い程高い浸透性を有する、付記１又は２記載のインクジェット記録方法。
【００４３】
（付記４） 前記所定の色相は黒である、付記１〜３のうちいずれか１項記載のインクジェット記録方法。
【００４４】
（付記５） 前記他の色相は夫々イエロー、マゼンタ及びシアンである、付記４記載のインクジェット記録方法。
【００４５】
（付記６） 明度の低い色相のインクから先に記録する、付記１〜５のうちいずれか１項記載のインクジェット記録方法。
【００４６】
（付記７） 前記第１の記録領域及び境界部分の残りの部分を前記所定の色相で浸透性の低い方のインクで記録し、その後前記第２の記録領域を該所定の色相以外の色相のインクで記録し、その後前記所定記録幅の部分を該所定の色相で浸透性の高い方のインクで順に記録する、付記１〜５のうちいずれか１項記載のインクジェット記録方法。
【００４７】
（付記８） 前記境界部分の前記残りの部分が前記所定記録幅の部分より大きい場合は、前記所定の色相で浸透性の高い方のインクによる記録を該所定の色相で浸透性の低い方のインクによる記録より先に行う、付記１〜５のうちいずれか１項記載のインクジェット記録方法。
【００４８】
（付記９） 前記境界部分の前記残りの部分が前記所定記録幅の部分より大きい場合は、前記所定の色相で浸透性の低い方のインクによる記録を該所定の色相で浸透性の高い方のインクによる記録より先に行う、付記１〜５のうちいずれか１項記載のインクジェット記録方法。
【００４９】
（付記１０） 前記境界部分の前記残りの部分が前記所定記録幅の部分より小さい場合は、前記所定の色相で浸透性の低い方のインクによる記録を該所定の色相で浸透性の高い方のインクによる記録より先に行う、付記１〜５のうちいずれか１項記載のインクジェット記録方法。
【００５０】
（付記１１） 前記第１の記録領域及び境界部分の残りの部分を前記所定の色相で浸透性の低い方のインクで記録し、その所定時間後に前記所定記録幅の部分を該所定の色相で浸透性の高い方のインクで記録し、該所定時間は該所定の色相で浸透性の低い方のインクの前記記録媒体に対する馴染み時間より長く設定される、付記１〜５のうちいずれか１項記載のインクジェット記録方法。
【００５１】
（付記１２） 前記所定記録幅は、前記境界部分を記録するインクの量及びこれらのインクの浸透性のうち少なくとも一方に基づいて調整される、付記１〜５のうちいずれか１項記載のインクジェット記録方法。
【００５２】
（付記１３） 前記第１及び第２の領域のうち少なくとも一方は、２以上の色相のインクで重ね記録される、付記１〜５のうちいずれか１項記載のインクジェット記録方法。
【００５３】
（付記１４） 前記境界部分において、前記所定記録幅の部分と前記残りの部分とがほぼ同じ明度及び／又は彩度を有する、付記１〜５のうちいずれか１項記載のインクジェット記録方法。
【００５４】
（付記１５） 前記境界部分において、前記所定記録幅の部分と前記残りの部分との色差が５以下である、付記１４記載のインクジェット記録方法。
【００５５】
（付記１６） 前記所定の色相で浸透性の高い方のインクと該所定の色相で浸透性の低い方のインクとは、夫々同じ染料を用いる、付記１〜５のうちいずれか１項記載のインクジェット記録方法。
【００５６】
（付記１７） 前記境界部分において、前記所定記録幅の部分と前記残りの部分とがほぼ同じ記録濃度を有する、付記１〜５のうちいずれか１項記載のインクジェット記録方法。
【００５７】
（付記１８） 前記境界部分において、前記所定記録幅の部分と前記残りの部分との記録濃度の差が０．３以下である、付記１〜５のうちいずれか１項記載のインクジェット記録方法。
【００５８】
（付記１９） 前記所定の色相で浸透性の高い方のインクが含む染料量は、該所定の色相で浸透性の低い方のインクが含む染料量より多い、付記１８記載のインクジェット記録方法。
【００５９】
（付記２０） 前記所定の色相で浸透性の低い方のインクが前記境界部分の前記残りの部分内で単位面積当り付着するインク量は、該所定の色相で浸透性の高い方のインクが該境界部分の所定記録幅の部分内で単位面積当り付着するインク量より多い、付記１８記載のインクジェット記録方法。
【００６０】
（付記２１） 複数の色相のインクを記録媒体に付着して画像を記録するインクジェット記録装置において、少なくとも１つの所定の色相については該記録媒体への浸透性の異なる２種類のインクを用い、インクの種類に応じた数のヘッドを有するヘッド部と、該記録媒体上の、該所定の色相を含む第１の記録領域と該所定の色相とは異なる色相からなり該第１の記録領域に隣接する第２の記録領域との境界部分では、該２種類のインクのうち浸透性の高い方のインクで該第２の記録領域までの少なくとも所定記録幅にわたって記録を行い、該境界部分の残りの部分は該２種類のうち浸透性の低い方のインクで記録を行うように該ヘッド部を制御する制御手段とを備えた、インクジェット記録装置。
【００６１】
（付記２２） 前記ヘッド部は、前記所定の色相の明度は他の色相の明度より低いインクを用いる、付記２１記載のインクジェット記録装置。
【００６２】
（付記２３） 前記ヘッド部が用いる前記所定の色相で浸透性の高い方のインク及び同等に高い浸透性を有する他の色相のインクは、色相の明度が低い程高い浸透性を有する、付記２１又は２２記載のインクジェット記録装置。
【００６３】
（付記２４） 前記ヘッド部が用いるインクの前記所定の色相は黒である、付記２１〜２３のうちいずれか１項記載のインクジェット記録装置。
【００６４】
（付記２５） 前記ヘッド部が用いるインクの前記他の色相は夫々イエロー、マゼンタ及びシアンである、付記２４記載のインクジェット記録装置。
【００６５】
（付記２６） 前記制御手段は、明度の低い色相のインクから先に記録するように前記ヘッド部を制御する、付記２１〜２５のうちいずれか１項記載のインクジェット記録装置。
【００６６】
（付記２７） 前記制御手段は、前記第１の記録領域及び境界部分の残りの部分を前記所定の色相で浸透性の低い方のインクで記録し、その後前記第２の記録領域を該所定の色相以外の色相のインクで記録し、その後前記所定記録幅の部分を該所定の色相で浸透性の高い方のインクで順に記録するように前記ヘッド部を制御する、付記２１〜２５のうちいずれか１項記載のインクジェット記録装置。
【００６７】
（付記２８） 前記制御手段は、前記境界部分の前記残りの部分が前記所定記録幅の部分より大きい場合には、前記所定の色相で浸透性の高い方のインクによる記録を該所定の色相で浸透性の低い方のインクによる記録より先に行うように前記ヘッド部を制御する、付記２１〜２５のうちいずれか１項記載のインクジェット記録装置。
【００６８】
（付記２９） 前記制御手段は、前記境界部分の前記残りの部分が前記所定記録幅の部分より小さい場合には、前記所定の色相で浸透性の低い方のインクによる記録を該所定の色相で浸透性の高い方のインクによる記録より先に行うように前記ヘッド部を制御する、付記２１〜２５のうちいずれか１項記載のインクジェット記録装置。
【００６９】
（付記３０） 前記制御手段は、前記境界部分の前記残りの部分が前記所定記録幅の部分より大きい場合には、前記所定の色相で浸透性の低い方のインクによる記録を該所定の色相で浸透性の高い方のインクによる記録より先に行うように前記ヘッド部を制御する、付記２１〜２５のうちいずれか１項記載のインクジェット記録装置。
【００７０】
（付記３０） 前記制御手段は、前記第１の記録領域及び境界部分の残りの部分を前記所定の色相で浸透性の低い方のインクで記録し、その所定時間後に前記所定記録幅の部分を該所定の色相で浸透性の高い方のインクで記録するように前記ヘッド部を制御し、該所定時間は該所定の色相で浸透性の低い方のインクの前記記録媒体に対する馴染み時間より長く設定される、付記２１〜２５のうちいずれか１項記載のインクジェット記録装置。
【００７１】
（付記３１） 前記所定記録幅は、前記境界部分を記録するインクの量及びこれらのインクの浸透性のうち少なくとも一方に基づいて調整される、付記２１〜２５のうちいずれか１項記載のインクジェット記録装置。
【００７２】
（付記３２） 前記制御手段は、前記第１及び第２の領域のうち少なくとも一方が、２以上の色相のインクで重ね記録されるように前記ヘッド部を制御する、付記２１〜２５のうちいずれか１項記載のインクジェット記録装置。
【００７３】
（付記３３） 前記境界部分において、前記所定記録幅の部分と前記残りの部分とがほぼ同じ明度又は彩度を有する、付記２１〜２５のうちいずれか１項記載のインクジェット記録装置。
【００７４】
（付記３４） 前記境界部分において、前記所定記録幅の部分と前記残りの部分との色差が５以下である、付記３３記載のインクジェット記録装置。
【００７５】
（付記３５） 前記ヘッド部が用いる前記所定の色相で浸透性の高い方のインクと該所定の色相で浸透性の低い方のインクとは、夫々同じ染料を使用する、付記２１〜２５のうちいずれか１項記載のインクジェット記録装置。
【００７６】
（付記３６） 前記境界部分において、前記所定記録幅の部分と前記残りの部分とがほぼ同じ記録濃度を有する、付記２１〜２５のうちいずれか１項記載のインクジェット記録装置。
【００７７】
（付記３７） 前記境界部分において、前記所定記録幅の部分と前記残りの部分との記録濃度の差が０．３以下である、付記２１〜２５のうちいずれか１項記載のインクジェット記録装置。
【００７８】
（付記３８） 前記ヘッド部が用いる前記所定の色相で浸透性の高い方のインクが含む染料量は、該所定の色相で浸透性の低い方のインクが含む染料量より多い、付記３７記載のインクジェット記録装置。
【００７９】
（付記３９） 前記制御手段は、前記所定の色相で浸透性の低い方のインクが前記境界部分の前記残りの部分内で単位面積当り付着するインク量が、該所定の色相で浸透性の高い方のインクが該境界部分の所定記録幅の部分内で単位面積当り付着するインク量より多くなるように前記ヘッド部を制御する、付記３７記載のインクジェット記録装置。
【００８０】
（付記４０） 前記制御手段は、前記所定の色相で浸透性の低い方のインクが前記境界部分の前記残りの部分内で単位面積当り付着するインク量が、該所定の色相で浸透性の高い方のインクが該境界部分の所定記録幅の部分内で単位面積当り付着するインク量より多くなるように前記ヘッド部を制御する、付記３８記載のインクジェット記録装置。
【００８１】
（付記４１） 複数の色相のインクを記録媒体に付着して画像を記録するインクジェット記録方法において、少なくとも１つの色相のインクには、色材の移動率であるＲｆ値が他の色相のインクのＲｆ値とは異なるものを用い、明度の低い色相のインクは明度の高い色相のインクよりＲｆ値が低く設定された、インクジェット記録方法。
【００８２】
（付記４２） 前記明度の低い色相のインクに黒のインクを用いる、付記４１記載のインクジェット記録方法。
【００８３】
（付記４３） 前記複数の色相のインクに、各々の明度に応じてＲｆ値が夫々異なるインクを用いる、付記４１又は４２記載のインクジェット記録方法。
【００８４】
（付記４４） 前記複数の色相のインクの前記記録媒体に対する馴染み時間は、明度の低い色相のインクの方が明度の高い色相のインクより短く設定されている、付記４１〜４３のうちいずれか１項記載のインクジェット記録方法。
【００８５】
（付記４５） 前記複数の色相のインクは、各色相の明度に応じてＲｆ値を異ならせた染料を用いる、付記４１〜４４のうちいずれか１項記載のインクジェット記録方法。
【００８６】
（付記４６） 前記明度の低い色相のインクによる記録を、前記明度の高い色相のインクによる記録より先に行う、付記４１〜４５のうちいずれか１項記載のインクジェット記録方法。
【００８７】
（付記４７） 複数の色相のインクを記録媒体に付着して画像を記録するインクジェット記録方法において、少なくとも１つの色相については、互いの該記録媒体に対する接触角の差が１５°以上である２種類のインク、かつ、又は該記録媒体との組合せを用いる、インクジェット記録方法。
【００８８】
（付記４８） 前記２種類のインクのうち、一方のインクの該接触角は８５°以上であり、他方のインクの該接触角は７０°以下である、付記４７記載のインクジェット記録方法。
【００８９】
（付記４９） 前記２種類のインクのうち、接触角の大きい方のインクを文字を含む線画の記録に用い、接触角の小さい方のインクを面画を含む一般画像の記録に用いる、付記４７又は４８記載のインクジェット記録方法。
【００９０】
（付記５０） 前記２種類のインクの色相は黒である、付記４７〜４９のうちいずれか１項記載のインクジェット記録方法。
【００９１】
（付記５１） 複数の色相のインクを記録媒体に付着して画像を記録するインクジェット記録方法において、少なくとも１つの色相については、互いの表面張力の差が４ｄｙｎｅ／ｃｍ以上である２種類のインクを用いる、インクジェット記録方法。
【００９２】
（付記５２） 前記２種類のインクのうち、一方のインクの表面張力は４９ｄｙｎｅ／ｃｍ以上であり、他方のインクの表面張力は４５ｄｙｎｅ／ｃｍ以下である、付記５１記載のインクジェット記録方法。
【００９３】
（付記５３） 前記２種類のインクのうち、表面張力の高い方のインクを文字を含む線画の記録に用い、表面張力の低い方のインクを面画を含む一般画像の記録に用いる、付記５１又は５２記載のインクジェット記録方法。
【００９４】
（付記５４） 前記２種類のインクの色相は黒である、付記５１〜５３のうちいずれか１項記載のインクジェット記録方法。
【００９５】
（付記５５） 少なくとも１つの色相のインクを記録媒体に付着して画像を記録するインクジェット記録方法において、該記録媒体に対する吸収係数Ｋａ（ｎｌ／（ｍｍ2 ・ｓ1/2 ））が１５未満に設定されている１つの色相のインクを１又は複数用いる、インクジェット記録方法。
【００９６】
（付記５６） 前記１つの色相は黒である、付記５５記載のインクジェット記録方法。
【００９７】
（付記５７） 複数の色相のインクを記録媒体に付着して画像を記録するインクジェット記録方法において、該記録媒体に対する吸収係数Ｋａ（ｎｌ／（ｍｍ2 ・ｓ1/2 ））が４０以上に設定されている複数の色相のインクを用いる、インクジェット記録方法。
【００９８】
（付記５８） 前記複数の色相は黒、イエロー、マゼンタ及びシアンである、付記５７記載のインクジェット記録方法。
【００９９】
（付記５９） 複数の色相のインクを記録媒体に付着して画像を記録するインクジェット記録方法において、該記録媒体に対する吸収係数Ｋａ（ｎｌ／（ｍｍ2 ・ｓ1/2 ））が１５未満に設定されている第１の群に属するインクを用いて第１の画素を記録し、該記録媒体に対する吸収係数Ｋａ（ｎｌ／（ｍｍ2 ・ｓ1/2 ））が４０以上に設定されている第２の群に属するインクを用いて第２の画素を該第１の画素に接しないように記録する、インクジェット記録方法。
【０１００】
（付記６０） 前記第１の群に属するインクの色相は黒であり、前記第２の群に属するインクの色相は黒、イエロー、マゼンタ及びシアンである、付記５９記載のインクジェット記録方法。
【０１０１】
（付記６１） 前記記録媒体上に記録されるある色相の画素が他の色相の画素と隣接しない場合は、前記第１の群から選択されたインクを優先して用いる、付記５９又は６０記載のインクジェット記録方法。
【０１０２】
（付記６２） 前記記録媒体上に記録される前記ある色相の画素が他の色相の画素と隣接する場合は、境界を形成する画素の少なくとも一方の色相の少なくとも１画素を前記第２の群から選択されたインクで記録し、その他の画素は前記第１の群から選択された該一方の色相と同じ色相のインクで記録する、付記６１記載のインクジェット記録方法。
【０１０３】
（付記６３） 前記記録媒体として、記録面に紙の繊維が露呈している普通紙を用いる、付記５５〜６２のうちいずれか１項記載のインクジェット記録方法。
【０１０４】
（付記６４） 複数の色相のインクを記録媒体に付着して画像を記録するインクジェット記録装置において、少なくとも１つの色相のインクには、色材の移動率であるＲｆ値が他の色相のインクのＲｆ値とは異なるものを用い、インクの種類に応じた数のヘッドを有するヘッド部と、該ヘッド部を制御してインクを記録媒体上に噴射させる制御手段とを備え、明度の低い色相のインクは明度の高い色相のインクよりＲｆ値が低く設定された、インクジェット記録装置。
【０１０５】
（付記６５） 前記ヘッド部は、前記明度の低い色相のインクに黒のインクを用いる、付記６４記載のインクジェット記録装置。
【０１０６】
（付記６６） 前記ヘッド部は、前記複数の色相のインクに、各々の明度に応じてＲｆ値が夫々異なるインクを用いる、付記６４又は６５記載のインクジェット記録装置。
【０１０７】
（付記６７） 前記制御手段は、前記複数の色相のインクの前記記録媒体に対する馴染み時間が、明度の低い色相のインクの方が明度の高い色相のインクより短く設定されるように前記ヘッド部を制御する、付記６４〜６６のうちいずれか１項記載のインクジェット記録装置。
【０１０８】
（付記６８） 前記ヘッド部の用いる前記複数の色相のインクは、各色相の明度に応じてＲｆ値を異ならせた染料を用いる、付記６４〜６７のうちいずれか１項記載のインクジェット記録装置。
【０１０９】
（付記６９） 前記制御手段は、前記明度の低い色相のインクによる記録を、前記明度の高い色相のインクによる記録より先に行うように前記ヘッド部を制御する、付記６４〜６８のうちいずれか１項記載のインクジェット記録装置。
【０１１０】
（付記７０） 複数の色相のインクを記録媒体に付着して画像を記録するインクジェット記録装置において、少なくとも１つの色相については、互いの該記録媒体に対する接触角の差が１５°以上である２種類のインクを用い、インクの種類に応じた数のヘッドを有するヘッド部と、該ヘッド部を制御してインクを記録媒体上に噴射させる制御手段とを備えた、インクジェット記録装置。
【０１１１】
（付記７１） 前記ヘッド部が用いる前記２種類のインクのうち、一方のインクの接触角は８５°以上であり、他方のインクの接触角は７０°以下である、付記７０記載のインクジェット記録装置。
【０１１２】
（付記７２） 前記ヘッド部が用いる前記２種類のインクのうち、接触角の大きい方のインクを文字を含む線画の記録に用い、接触角の小さい方のインクを面画を含む一般画像の記録に用いる、付記７０又は７１記載のインクジェット記録装置。
（付記７３） 前記ヘッド部が用いる前記２種類のインクの色相は黒である、付記７０〜７２のうちいずれか１項記載のインクジェット記録装置。
【０１１３】
（付記７４） 複数の色相のインクを記録媒体に付着して画像を記録するインクジェット記録装置において、少なくとも１つの色相については、互いの表面張力の差が４ｄｙｎｅ／ｃｍ以上である２種類のインクを用い、インクの種類に応じた数のヘッドを有するヘッド部と、該ヘッド部を制御してインクを記録媒体上に噴射させる制御手段とを備えた、インクジェット記録装置。
【０１１４】
（付記７５） 前記ヘッド部が用いる前記２種類のインクのうち、一方のインクの表面張力は４９ｄｙｎｅ／ｃｍ以上であり、他方のインクの表面張力は４５ｄｙｎｅ／ｃｍ以下である、付記７４記載のインクジェット記録装置。
【０１１５】
（付記７６） 前記ヘッド部が用いる前記２種類のインクのうち、表面張力の高い方のインクを文字を含む線画の記録に用い、表面張力の低い方のインクを面画を含む一般画像の記録に用いる、付記７４又は７５記載のインクジェット記録装置。
【０１１６】
（付記７７） 前記ヘッド部が用いる前記２種類のインクの色相は黒である、付記７４〜７６のうちいずれか１項記載のインクジェット記録装置。
【０１１７】
（付記７８） 少なくとも１つの色相のインクを記録媒体に付着して画像を記録するインクジェット記録装置において、該記録媒体に対する吸収係数Ｋａ（ｎｌ／（ｍｍ2 ・ｓ1/2 ））が１５未満に設定されている１つの色相のインクを１又は複数用い、インクの種類に応じた数のヘッドを有するヘッド部と、該ヘッド部を制御してインクを記録媒体上に噴射させる制御手段とを備えた、インクジェット記録装置。
【０１１８】
（付記７９） 前記ヘッド部が用いる前記１つの色相は黒である、付記７８記載のインクジェット記録装置。
【０１１９】
（付記８０） 複数の色相のインクを記録媒体に付着して画像を記録するインクジェット記録装置において、該記録媒体に対する吸収係数Ｋａ（ｎｌ／（ｍｍ2 ・ｓ1/2 ））が４０以上に設定されている複数の色相のインクを用い、インクの種類に応じた数のヘッドを有するヘッド部と、該ヘッド部を制御してインクを記録媒体上に噴射させる制御手段とを備えた、インクジェット記録装置。
【０１２０】
（付記８１） 前記ヘッド部の用いる前記複数の色相は黒、イエロー、マゼンタ及びシアンである、付記８０記載のインクジェット記録装置。
【０１２１】
（付記８２） 複数の色相のインクを記録媒体に付着して画像を記録するインクジェット記録装置において、インクの種類に応じた数のヘッドを有するヘッド部と、該ヘッド部を制御してインクを記録媒体上に噴射させる制御手段とを備え、該制御手段は、該記録媒体に対する吸収係数Ｋａ（ｎｌ／（ｍｍ2 ・ｓ1/2 ））が１５未満に設定されている第１の群に属するインクを用いて第１の画素を記録するように該ヘッド部を制御すると共に、該記録媒体に対する吸収係数Ｋａ（ｎｌ／（ｍｍ2 ・ｓ1/2 ））が４０以上に設定されている第２の群に属するインクを用いて第２の画素を該第１の画素に接しないように記録するように該ヘッド部を制御する、インクジェット記録装置。
【０１２２】
（付記８３） 前記ヘッド部が用いる前記第１の群に属するインクの色相は黒であり、前記第２の群に属するインクの色相は黒、イエロー、マゼンタ及びシアンである、付記８２記載のインクジェット記録装置。
【０１２３】
（付記８４） 前記制御手段は、前記記録媒体上に記録されるある色相の画素が他の色相の画素と隣接しない場合には、前記第１の群から選択されたインクを優先して用いるように前記ヘッド部を制御する、付記８２又は８３記載のインクジェット記録装置。
【０１２４】
（付記８５） 前記制御手段は、前記記録媒体上に記録される前記ある色相の画素が他の色相の画素と隣接する場合には、境界を形成する画素の少なくとも一方の色相の少なくとも１画素を前記第２の群から選択されたインクで記録し、その他の画素は前記第１の群から選択された該一方の色相と同じ色相のインクで記録するように前記ヘッド部を制御する、付記８４記載のインクジェット記録装置。
【０１２５】
（付記８６） 前記記録媒体として、記録面に紙の繊維が露呈している普通紙を用いる、付記７０〜８５のうちいずれか１項記載のインクジェット記録装置。
【０１２６】
（付記８７） 同色相で、且つ、互いに浸透性の異なる少なくとも第１及び第２のインク及びその他の色相のインクを用いて記録媒体にカラー画像を記録するインクジェット記録方法において、異なる色相のインクが該記録媒体上に隣接することなく記録される場合には浸透性の低い方の第１のインクを用いて記録を行い、異なる色相のインクが該記録媒体上で隣接して記録される場合には浸透性の高い方の第２のインクを用いて記録を行い、該第２のインクの色材濃度は、該第１のインクの色材濃度より高い、インクジェット記録方法。
【０１２７】
（付記８８） 前記第１及び第２のインクの色材濃度は、夫々前記記録媒体に印字率１００％の記録を行うと該記録媒体上の記録濃度の差が０．３以下となるように設定されている、付記８７記載のインクジェット記録方法。
【０１２８】
（付記８９） 前記第１及び第２のインクの色材濃度は、夫々前記記録媒体が普通紙の場合に印字率１００％の記録を行うと該普通紙上の記録濃度が０．９以上となるように設定されている、付記８７記載のインクジェット記録方法。
【０１２９】
（付記９０） 前記第１及び第２のインクの色材濃度は、夫々前記記録媒体が浸透性の高いインクに対して記録特性が調整されたインクジェット記録専用のインクジェット記録用紙の場合に印字率１００％の記録を行うと該インクジェット記録用紙上の記録濃度が１．３以上となるように設定されている、付記８７記載のインクジェット記録方法。
【０１３０】
（付記９１）前記第１及び第２のインクのうち、前記記録媒体上の記録濃度の低い方のインクを用いて記録を行う際には、複数回重ねて記録を行う、付記８７〜９０のうちいずれか１項記載のインクジェット記録方法。
【０１３１】
（付記９２）前記第１及び第２のインクは、黒色のインクである、請求項８７〜９１のうちいずれか１項記載のインクジェット記録方法。
【０１３２】
（付記９３）同色相で、且つ、互いに浸透性の異なる少なくとも第１及び第２のインク及びその他の色相のインクを用いて記録媒体にカラー画像を記録するインクジェット記録方法において、異なる色相のインクが該記録媒体上に隣接することなく記録される場合には浸透性の低い方の第１のインクを用いて記録を行い、異なる色相のインクが該記録媒体上で隣接して記録される場合には浸透性の高い方の第２のインクを用いて記録を行い、該第１及び第２のインクのうち、前記記録媒体上の記録濃度の低い方のインクを用いて記録を行う際には、複数回重ねて記録を行う、インクジェット記録方法。
【０１３３】
（付記９４）前記第１及び第２のインクの色材濃度は、夫々前記記録媒体に印字率１００％の記録を行うと該記録媒体上の記録濃度の差が０．３以下となるように設定されている、付記９３記載のインクジェット記録方法。
【０１３４】
（付記９５）前記第１及び第２のインクの色材濃度は、夫々前記記録媒体が普通紙の場合に印字率１００％の記録を行うと該普通紙上の記録濃度が０．９以上となるように設定されている、付記９３記載のインクジェット記録方法。
【０１３５】
（付記９６）前記第１及び第２のインクの色材濃度は、夫々前記記録媒体が浸透性の高いインクに対して記録特性が調整されたインクジェット記録専用のインクジェット記録用紙の場合に印字率１００％の記録を行うと該インクジェット記録用紙上の記録濃度が１．３以上となるように設定されている、付記９３記載のインクジェット記録方法。
【０１３６】
（付記９７）前記第１及び第２のインクは、黒色のインクである、付記９３〜９６のうちいずれか１項記載のインクジェット記録方法。
【０１３７】
（付記９８）少なくとも浸透性の低い方の第１のインクと浸透性の高い方の第２のインクを用いて記録媒体に画像を記録するインクジェット記録方法において、該第２のインクに対して記録特性が調整された記録媒体に該第１のインクを用いて記録を行う際に、ヘッド部の１回の走査で単位面積当りに記録するインク量を該第２のインクを用いて１回の走査で記録するインク量以下とし、該第１のインクを用いてヘッド部を複数回走査させることで順次記録を行う時に、ベタ記録の場合には補完し合う複数の間引きパターンを記録し、画像データを記録する場合には補完し合う複数の間引きパターンと画像データとの論理積を記録する、インクジェット記録方法。
【０１３８】
（付記９９）前記間引きパターンは、ラインパターン又は市松パターンからなる、付記９８記載のインクジェット記録方法。
【０１３９】
（付記１００）対称な間引きパターンを複数対用いて順次記録を行う際に、前記記録媒体上ドット同士が隣接しないパターンを優先した順序で重ね記録する、付記９８記載のインクジェット記録方法。
【０１４０】
（付記１０１）前記第１のインクを吐出する複数のノズルを有するヘッド部が１回の走査で記録できる走査方向と垂直な方向上の最大記録幅をＤドットとした場合、Ｎが２以上の整数とすると該ヘッド部によるＤドット幅の画像データをＤドット未満のドット幅のＮ個のデータに分解し、この分解した画像データを順次Ｎ回の走査で記録媒体に記録する、付記９８〜１００のうちいずれか１項記載のインクジェット記録方法。
【０１４１】
（付記１０２）前記第１のインクは黒色のインクであり、前記第２のインクはイエロー、マゼンタ、シアン及び黒色のインクを含む、付記９８〜１０１のうちいずれか１項記載のインクジェット記録方法。
【０１４２】
（付記１０３）前記記録媒体は、少なくとも一方の面に該第２のインクに対して記録特性が調整されたインク受容層を予め又は記録時に形成されたＯＨＰフィルムである、付記９８〜１０２のうちいずれか１項記載のインクジェット記録方法。
【０１４３】
（付記１０４）少なくとも２以上の色相のインクを用いて記録媒体にカラー画像を記録するインクジェット記録方法において、各インクの溶媒蒸発によるインク粘度の増加の差が、各インクを２５℃６０％ＲＨである常温常湿に開放放置した場合に１０００ｃｐ以内となるように設定される、インクジェット記録方法。
【０１４４】
（付記１０５）ノズル数の異なるヘッドからなるヘッド部により前記２以上の色相のインクを用いて前記記録媒体にカラー画像を記録し、該ノズル数に応じて各インクの増粘の程度を調整する、付記１０４記載のインクジェット記録方法。
【０１４５】
（付記１０６）前記ヘッド部の第１のヘッドのノズル数をｍ、第２のヘッドのノズル数をｎとすると、該第１のヘッドに供給するインクの増粘の程度は該第２のヘッドに供給するインクの増粘の程度の約ｎ／ｍ倍に設定する、付記１０５記載のインクジェット記録方法。
【０１４６】
（付記１０７）同色相で、且つ、互いに浸透性の異なる少なくとも第１及び第２のインク及びその他の色相のインクを用いて記録媒体にカラー画像を記録するインクジェット記録装置において、異なる色相のインクが該記録媒体上に隣接することなく記録される場合には浸透性の低い方の第１のインクを用いて記録を行う手段と、異なる色相のインクが該記録媒体上で隣接して記録される場合には浸透性の高い方の第２のインクを用いて記録を行う手段とを備え、該第２のインクの色材濃度は、該第１のインクの色材濃度より高く設定されている、インクジェット記録装置。
【０１４７】
（付記１０８）前記第１及び第２のインクの色材濃度は、夫々前記記録媒体に印字率１００％の記録を行うと該記録媒体上の記録濃度の差が０．３以下となるように設定されている、付記１０７記載のインクジェット記録装置。
【０１４８】
（付記１０９）前記第１及び第２のインクの色材濃度は、夫々前記記録媒体が普通紙の場合に印字率１００％の記録を行うと該普通紙上の記録濃度が０．９以上となるように設定されている、付記１０７記載のインクジェット記録装置。
【０１４９】
（付記１１０）前記第１及び第２のインクの色材濃度は、夫々前記記録媒体が浸透性の高いインクに対して記録特性が調整されたインクジェット記録専用のインクジェット記録用紙の場合に印字率１００％の記録を行うと該インクジェット記録用紙上の記録濃度が１．３以上となるように設定されている、付記１０６記載のインクジェット記録装置。
【０１５０】
（付記１１１）前記第１及び第２のインクのうち、前記記録媒体上の記録濃度の低い方のインクを用いて記録を行う際には、複数回重ねて記録を行う手段を更に備えた、付記１０７〜１１０のうちいずれか１項記載のインクジェット記録装置。
【０１５１】
（付記１１２）前記第１及び第２のインクは、黒色のインクである、付記１０７〜１１１のうちいずれか１項記載のインクジェット記録装置。
【０１５２】
（付記１１３）同色相で、且つ、互いに浸透性の異なる少なくとも第１及び第２のインク及びその他の色相のインクを用いて記録媒体にカラー画像を記録するインクジェット記録装置において、異なる色相のインクが該記録媒体上に隣接することなく記録される場合には浸透性の低い方の第１のインクを用いて記録を行う手段と、異なる色相のインクが該記録媒体上で隣接して記録される場合には浸透性の高い方の第２のインクを用いて記録を行う手段と、該第１及び第２のインクのうち、前記記録媒体上の記録濃度の低い方のインクを用いて記録を行う際には、複数回重ねて記録を行う手段とを備えた、インクジェット記録装置。
【０１５３】
（付記１１４）前記第１及び第２のインクの色材濃度は、夫々前記記録媒体に印字率１００％の記録を行うと該記録媒体上の記録濃度の差が０．３以下となるように設定されている、付記１１３記載のインクジェット記録装置。
【０１５４】
（付記１１５）前記第１及び第２のインクの色材濃度は、夫々前記記録媒体が普通紙の場合に印字率１００％の記録を行うと該普通紙上の記録濃度が０．９以上となるように設定されている、付記１１３記載のインクジェット記録装置。
【０１５５】
（付記１１６）前記第１及び第２のインクの色材濃度は、夫々前記記録媒体が浸透性の高いインクに対して記録特性が調整されたインクジェット記録専用のインクジェット記録用紙の場合に印字率１００％の記録を行うと該インクジェット記録用紙上の記録濃度が１．３以上となるように設定されている、付記１１３記載のインクジェット記録装置。
【０１５６】
（付記１１７）前記第１及び第２のインクは、黒色のインクである、付記１１３〜１１６のうちいずれか１項記載のインクジェット記録装置。
【０１５７】
（付記１１８）少なくとも浸透性の低い方の第１のインクと浸透性の高い方の第２のインクを用いてヘッド部により記録媒体に画像を記録するインクジェット記録装置において、該第２のインクに対して記録特性が調整された記録媒体に該第１のインクを用いて記録を行う際に、該ヘッド部の１回の走査で単位面積当りに記録するインク量を該第２のインクを用いて１回の走査で記録するインク量以下に制御する手段と、該第１のインクを用いて該ヘッド部を複数回走査させることで順次記録を行う時に、ベタ記録の場合には補完し合う複数の間引きパターンを記録し、画像データを記録する場合には補完し合う複数の間引きパターンと画像データとの論理積を記録する手段とを備えた、インクジェット記録装置。
【０１５８】
（付記１１９）前記間引きパターンは、ラインパターン又は市松パターンからなる、付記１１８記載のインクジェット記録装置。
【０１５９】
（付記１２０）対称な間引きパターンを複数対用いて順次記録を行う際に、前記記録媒体上ドット同士が隣接しないパターンを優先した順序で重ね記録する、付記１１８記載のインクジェット記録装置。
【０１６０】
（付記１２１）前記第１のインクを吐出する複数のノズルを有する前記ヘッド部が１回の走査で記録できる走査方向と垂直な方向上の最大記録幅をＤドットとした場合、Ｎが２以上の整数とすると該ヘッド部によるＤドット幅の画像データをＤドット未満のドット幅のＮ個のデータに分解し、この分解した画像データを順次Ｎ回の走査で記録媒体に記録する手段を更に備えた、付記１１８〜１２０のうちいずれか１項記載のインクジェット記録装置。
【０１６１】
（付記１２２）前記第１のインクは黒色のインクであり、前記第２のインクはイエロー、マゼンタ、シアン及び黒色のインクを含む、付記１１８〜１２１のうちいずれか１項記載のインクジェット記録装置。
【０１６２】
（付記１２３）前記記録媒体は、少なくとも一方の面に該第２のインクに対して記録特性が調整されたインク受容層を予め又は記録時に形成されたＯＨＰフィルムである、付記１１８〜１２２のうちいずれか１項記載のインクジェット記録装置。
【０１６３】
（付記１２４）少なくとも２以上の色相のインクを用いて記録媒体にカラー画像を記録するインクジェット記録装置において、各インクの溶媒蒸発によるインク粘度の増加の差が、各インクを２５℃６０％ＲＨである常温常湿に開放放置した場合に１０００ｃｐ以内となるように設定される、インクジェット記録装置。
【０１６４】
（付記１２５）ノズル数の異なるヘッドからなるヘッド部により前記２以上の色相のインクを用いて前記記録媒体にカラー画像を記録する手段を備え、該ノズル数に応じて各インクの増粘の程度を調整する、付記１２４記載のインクジェット記録装置。
【０１６５】
（付記１２６）前記ヘッド部の第１のヘッドのノズル数をｍ、第２のヘッドのノズル数をｎとすると、該第１のヘッドに供給するインクの増粘の程度は該第２のヘッドに供給するインクの増粘の程度の約ｎ／ｍ倍に設定する、付記１２５記載のインクジェット記録装置。
【０１６６】
上記の第１の課題は、付記１記載の、複数の色相のインクを記録媒体に付着して画像を記録するインクジェット記録方法において、少なくとも１つの所定の色相については該記録媒体への浸透性の異なる２種類のインクを用いると共に、該インクのうち、浸透性の低いインクは、該所定の色相以外の色相のインクよりも浸透性が低いような該複数の色相のインクを用い、該記録媒体上の、該所定の色相を含む第１の記録領域と該所定の色相とは異なる色相からなり該第１の記録領域に隣接する第２の記録領域との境界部分では、該２種類のインクのうち浸透性の高い方のインクで該第２の記録領域までの少なくとも所定記録幅にわたって記録を行い、該境界部分の残りの部分は該２種類のうち該所定の色相以外の色相のインクに対しても浸透性の低い方のインクで記録を行うインクジェット記録方法によって達成できる。
【０１６７】
付記２記載の発明では、付記１の発明において、前記所定の色相の明度は他の色相の明度より低い。付記３記載の発明では、付記１又は２の発明において、前記所定の色相で浸透性の高い方のインク及び同等に高い浸透性を有する他の色相のインクは、色相の明度が低い程高い浸透性を有する。
【０１６８】
付記４記載の発明では、付記１〜３のうちいずれか１つの発明において、前記所定の色相は黒である。付記５記載の発明では、付記４の発明において、前記他の色相は夫々イエロー、マゼンタ及びシアンである。
【０１６９】
付記６記載の発明では、付記１〜５のうちいずれか１つの発明において、明度の低い色相のインクから先に記録する。付記７記載の発明では、付記１〜５のうちいずれか１つの発明において、前記第１の記録領域及び境界部分の残りの部分を前記所定の色相で浸透性の低い方のインクで記録し、その後前記第２の記録領域を該所定の色相以外の色相のインクで記録し、その後前記所定記録幅の部分を該所定の色相で浸透性の高い方のインクで順に記録する。
【０１７０】
付記８記載の発明では、付記１〜５のうちいずれか１つの発明において、前記境界部分の前記残りの部分が前記所定記録幅の部分より大きい場合は、前記所定の色相で浸透性の高い方のインクによる記録を該所定の色相で浸透性の低い方のインクによる記録より先に行う。
【０１７１】
付記９記載の発明では、付記１〜５のうちいずれか１つの発明において、前記境界部分の前記残りの部分が前記所定記録幅の部分より大きい場合は、前記所定の色相で浸透性の低い方のインクによる記録を該所定の色相で浸透性の高い方のインクによる記録より先に行う。
【０１７２】
付記１０記載の発明では、付記１〜５のうちいずれか１つの発明において、前記境界部分の前記残りの部分が前記所定記録幅の部分より小さい場合は、前記所定の色相で浸透性の低い方のインクによる記録を該所定の色相で浸透性の高い方のインクによる記録より先に行う。
【０１７３】
付記１１記載の発明では、付記１〜５のうちいずれか１つの発明において、前記第１の記録領域及び境界部分の残りの部分を前記所定の色相で浸透性の低い方のインクで記録し、その所定時間後に前記所定記録幅の部分を該所定の色相で浸透性の高い方のインクで記録し、該所定時間は該所定の色相で浸透性の低い方のインクの前記記録媒体に対する馴染み時間より長く設定される。
【０１７４】
付記１２記載の発明では、付記１〜５のうちいずれか１つの発明において、前記所定記録幅は、前記境界部分を記録するインクの量及びこれらのインクの浸透性のうち少なくとも一方に基づいて調整される。付記１３記載の発明では、付記１〜５のうちいずれか１つの発明において、前記第１及び第２の領域のうち少なくとも一方は、２以上の色相のインクで重ね記録される。
【０１７５】
付記１４記載の発明では、付記１〜５のうちいずれか１つの発明において、前記境界部分において、前記所定記録幅の部分と前記残りの部分とがほぼ同じ明度及び／又は彩度を有する。付記１５記載の発明では、付記１４の発明において、前記境界部分において、前記所定記録幅の部分と前記残りの部分との色差が５以下である。
【０１７６】
付記１６記載の発明では、付記１〜５のうちいずれか１つの発明において、前記所定の色相で浸透性の高い方のインクと該所定の色相で浸透性の低い方のインクとは、夫々同じ染料を用いる。付記１７記載の発明では、付記１〜５のうちいずれか１つの発明において、前記境界部分において、前記所定記録幅の部分と前記残りの部分とがほぼ同じ記録濃度を有する。
【０１７７】
付記１８記載の発明では、付記１〜５のうちいずれか１つの発明において、前記境界部分において、前記所定記録幅の部分と前記残りの部分との記録濃度の差が０．３以下である。付記１９記載の発明では、付記１８の発明において、前記所定の色相で浸透性の高い方のインクが含む染料量は、該所定の色相で浸透性の低い方のインクが含む染料量より多い。
【０１７８】
付記２０記載の発明では、付記１８の発明において、前記所定の色相で浸透性の低い方のインクが前記境界部分の前記残りの部分内で単位面積当り付着するインク量は、該所定の色相で浸透性の高い方のインクが該境界部分の所定記録幅の部分内で単位面積当り付着するインク量より多い。
【０１７９】
上記の第１の課題は、付記２１記載の、複数の色相のインクを記録媒体に付着して画像を記録するインクジェット記録装置において、少なくとも１つの所定の色相については該記録媒体への浸透性の異なる２種類のインクを用い、インクの種類に応じた数のヘッドを有するヘッド部と、該記録媒体上の、該所定の色相を含む第１の記録領域と該所定の色相とは異なる色相からなり該第１の記録領域に隣接する第２の記録領域との境界部分では、該２種類のインクのうち浸透性の高い方のインクで該第２の記録領域までの少なくとも所定記録幅にわたって記録を行い、該境界部分の残りの部分は該２種類のうち浸透性の低い方のインクで記録を行うように該ヘッド部を制御する制御手段とを備えたインクジェット記録装置によっても達成できる。
【０１８０】
付記２２記載の発明では、付記２１の発明において、前記ヘッド部は、前記所定の色相の明度は他の色相の明度より低いインクを用いる。付記２３記載の発明では、付記２１又は２２の発明において、前記ヘッド部が用いる前記所定の色相で浸透性の高い方のインク及び同等に高い浸透性を有する他の色相のインクは、色相の明度が低い程高い浸透性を有する。
【０１８１】
付記２４記載の発明では、付記２１〜２３のうちいずれか１つの発明において、前記ヘッド部が用いるインクの前記所定の色相は黒である。付記２５記載の発明では、付記２４の発明において、前記ヘッド部が用いるインクの前記他の色相は夫々イエロー、マゼンタ及びシアンである。
【０１８２】
付記２６記載の発明では、付記２１〜２５のうちいずれか１つの発明において、前記制御手段は、明度の低い色相のインクから先に記録するように前記ヘッド部を制御する。付記２７記載の発明では、付記２１〜２５のうちいずれか１つの発明において、前記制御手段は、前記第１の記録領域及び境界部分の残りの部分を前記所定の色相で浸透性の低い方のインクで記録し、その後前記第２の記録領域を該所定の色相以外の色相のインクで記録し、その後前記所定記録幅の部分を該所定の色相で浸透性の高い方のインクで順に記録するように前記ヘッド部を制御する。
【０１８３】
付記２８記載の発明では、付記２１〜２５のうちいずれか１つの発明において、前記制御手段は、前記境界部分の前記残りの部分が前記所定記録幅の部分より大きい場合には、前記所定の色相で浸透性の高い方のインクによる記録を該所定の色相で浸透性の低い方のインクによる記録より先に行うように前記ヘッド部を制御する。
【０１８４】
付記２９記載の発明では、付記２１〜２５のうちいずれか１つの発明において、前記制御手段は、前記境界部分の前記残りの部分が前記所定記録幅の部分より小さい場合には、前記所定の色相で浸透性の低い方のインクによる記録を該所定の色相で浸透性の高い方のインクによる記録より先に行うように前記ヘッド部を制御する。
【０１８５】
付記３０記載の発明では、付記２１〜２５のうちいずれか１つの発明において、前記制御手段は、前記境界部分の前記残りの部分が前記所定記録幅の部分より大きい場合には、前記所定の色相で浸透性の低い方のインクによる記録を該所定の色相で浸透性の高い方のインクによる記録より先に行うように前記ヘッド部を制御する。
【０１８６】
付記３１記載の発明では、付記２１〜２５のうちいずれか１つの発明において、前記制御手段は、前記第１の記録領域及び境界部分の残りの部分を前記所定の色相で浸透性の低い方のインクで記録し、その所定時間後に前記所定記録幅の部分を該所定の色相で浸透性の高い方のインクで記録するように前記ヘッド部を制御し、該所定時間は該所定の色相で浸透性の低い方のインクの前記記録媒体に対する馴染み時間より長く設定される。
【０１８７】
付記３２記載の発明では、付記２１〜２５のうちいずれか１つの発明において、前記所定記録幅は、前記境界部分を記録するインクの量及びこれらのインクの浸透性のうち少なくとも一方に基づいて調整される。付記３３記載の発明では、付記２１〜２５のうちいずれか１つの発明において、前記制御手段は、前記第１及び第２の領域のうち少なくとも一方が、２以上の色相のインクで重ね記録されるように前記ヘッド部を制御する。
【０１８８】
付記３４記載の発明では、付記２１〜２５のうちいずれか１つの発明において、前記境界部分において、前記所定記録幅の部分と前記残りの部分とがほぼ同じ明度又は彩度を有する。付記３５記載の発明では、付記３４の発明において、前記境界部分において、前記所定記録幅の部分と前記残りの部分との色差が５以下である。
【０１８９】
付記３６記載の発明では、付記２１〜２５のうちいずれか１つの発明において、前記ヘッド部が用いる前記所定の色相で浸透性の高い方のインクと該所定の色相で浸透性の低い方のインクとは、夫々同じ染料を使用する。付記３７記載の発明では、付記２１〜２５のうちいずれか１つの発明において、前記境界部分において、前記所定記録幅の部分と前記残りの部分とがほぼ同じ記録濃度を有する。
【０１９０】
付記３８記載の発明では、付記２１〜２５のうちいずれか１つの発明において、前記境界部分において、前記所定記録幅の部分と前記残りの部分との記録濃度の差が０．３以下である。付記３９記載の発明では、付記３８の発明において、前記ヘッド部が用いる前記所定の色相で浸透性の高い方のインクが含む染料量は、該所定の色相で浸透性の低い方のインクが含む染料量より多い。
【０１９１】
付記４０記載の発明では、付記３８の発明において、前記制御手段は、前記所定の色相で浸透性の低い方のインクが前記境界部分の前記残りの部分内で単位面積当り付着するインク量が、該所定の色相で浸透性の高い方のインクが該境界部分の所定記録幅の部分内で単位面積当り付着するインク量より多くなるように前記ヘッド部を制御する。
【０１９２】
付記４１〜４６記載の発明によれば、異なる色相の境界部分におけるブリードを防止して、鮮明なカラー画像を記録することができる。
【０１９３】
付記４７〜５４記載の発明によれば、普通紙を含む様々な種類の記録媒体に対して線画及び一般画像を高品位で記録することができる。付記５５〜６３記載の発明によれば、にじみのない高品位な文字等の線画の記録と、ブリードのない高品位な図形等の一般画像の記録とを行うことができ、線画と一般画像との記録濃度や色相の差を抑制することが可能となる。
【０１９４】
付記６４〜６９記載の発明によれば、異なる色相の境界部分におけるブリードを防止して、鮮明なカラー画像を記録することができる。
【０１９５】
付記７０〜７７記載の発明によれば、普通紙を含む様々な種類の記録媒体に対して線画及び一般画像を高品位で記録することができる。付記７８〜８６記載の発明によれば、にじみのない高品位な文字等の線画の記録と、ブリードのない高品位な図形等の一般画像の記録とを行うことができ、線画と一般画像との記録濃度や色相の差を抑制することが可能となる。
【０１９６】
付記８７記載の発明によれば、記録媒体に記録される線画と一般画像との記録濃度の差を少なくすることができる。付記８８記載の発明によれば、線画と一般画像との目視による記録濃度の差を少なくすることができる。
【０１９７】
付記８９記載の発明によれば、普通紙上で十分な記録濃度を得ることができる。付記９０記載の発明によれば、インクジェット記録用紙上で十分な記録濃度を得ることができる。
【０１９８】
付記９１記載の発明によれば、記録媒体に記録される線画と一般画像との記録濃度の差を更に少なくすることができ、色材濃度の低下によるヘッドのノズルの耐目詰まり性の向上とヘッドの走査回数の減少による記録速度の向上を実現できる。
【０１９９】
付記９２記載の発明によれば、特に白色の記録媒体に線画及び一般画像を少ない記録濃度差で、且つ、高品位で記録することができる。請求項９３記載の発明によれば、記録媒体に記録される線画と一般画像との記録濃度の差を少なくすることができる。
【０２００】
付記９４記載の発明によれば、線画と一般画像との目視による記録濃度の差を少なくすることができる。付記９５記載の発明によれば、普通紙上で十分な記録濃度を得ることができる。
【０２０１】
付記９６記載の発明によれば、インクジェット記録用紙上で十分な記録濃度を得ることができる。付記９７記載の発明によれば、特に白色の記録媒体に線画及び一般画像を少ない記録濃度差で、且つ、高品位で記録することができる。
【０２０２】
付記９８及び９９記載の発明によれば、浸透性の低い方のインクを用いて記録濃度にむらのない高品位な記録を行うことができ、インクの定着に必要な乾燥時間を確保することもできる。付記１００記載の発明によれば、局部的なインクの凝集を防止できるので、更に記録濃度のむらを低減できる。
【０２０３】
付記１０１記載の発明によれば、Ｎの値を大きくすることで更に記録濃度のむらを低減することができ、インクの定着に必要な乾燥時間を確保することもできる。付記１０２記載の発明によれば、高品位なカラー画像の記録を実現することができる。
【０２０４】
付記１０３記載の発明によれば、インクの凝集が起こり易いＯＨＰフィルムにも高品位で画像を記録することができる。付記１０４記載の発明によれば、ドット抜けやドットずれを引き起こすインクの増粘を防止するためのヘッドのスプレー条件を最小限に抑さえることで、記録速度を向上すると共に、インクの消費量を少なくすることができる。
【０２０５】
付記１０５及び１０６記載の発明によれば、ヘッドの使用頻度に応じてインクの増粘が調整されるので、ヘッドの数に拘らずヘッドのスプレー条件を最小限に抑さえることができる。付記１０７記載の発明によれば、記録媒体に記録される線画と一般画像との記録濃度の差を少なくすることができる。
【０２０６】
付記１０８記載の発明によれば、線画と一般画像との目視による記録濃度の差を少なくすることができる。付記１０９記載の発明によれば、普通紙上で十分な記録濃度を得ることができる。
【０２０７】
付記１１０記載の発明によれば、インクジェット記録用紙上で十分な記録濃度を得ることができる。付記１１１記載の発明によれば、記録媒体に記録される線画と一般画像との記録濃度の差を更に少なくすることができ、色材濃度の低下によるヘッドのノズルの耐目詰まり性の向上とヘッドの走査回数の減少による記録速度の向上を実現できる。
【０２０８】
付記１１２記載の発明によれば、特に白色の記録媒体に線画及び一般画像を少ない記録濃度差で、且つ、高品位で記録することができる。付記１１３記載の発明によれば、記録媒体に記録される線画と一般画像との記録濃度の差を少なくすることができる。
【０２０９】
付記１１４記載の発明によれば、線画と一般画像との目視による記録濃度の差を少なくすることができる。付記１１５記載の発明によれば、普通紙上で十分な記録濃度を得ることができる。
【０２１０】
付記１１６記載の発明によれば、インクジェット記録用紙上で十分な記録濃度を得ることができる。付記１１７記載の発明によれば、特に白色の記録媒体に線画及び一般画像を少ない記録濃度差で、且つ、高品位で記録することができる。
【０２１１】
付記１１８及び１１９記載の発明によれば、浸透性の低い方のインクを用いて記録濃度にむらのない高品位な記録を行うことができ、インクの定着に必要な乾燥時間を確保することもできる。付記１２０記載の発明によれば、局部的なインクの凝集を防止できるので、更に記録濃度のむらを低減できる。
【０２１２】
付記１２１記載の発明によれば、Ｎの値を大きくすることで更に記録濃度のむらを低減することができ、インクの定着に必要な乾燥時間を確保することもできる。付記１２２記載の発明によれば、高品位なカラー画像の記録を実現することができる。
【０２１３】
付記１２３記載の発明によれば、インクの凝集が起こり易いＯＨＰフィルムにも高品位で画像を記録することができる。付記１２４記載の発明によれば、ドット抜けやドットずれを引き起こすインクの増粘を防止するためのヘッドのスプレー条件を最小限に抑さえることで、記録速度を向上すると共に、インクの消費量を少なくすることができる。
【０２１４】
付記１２５及び１２６記載の発明によれば、ヘッドの使用頻度に応じてインクの増粘が調整されるので、ヘッドの数に拘らずヘッドのスプレー条件を最小限に抑さえることができる。
【発明の効果】
【０２１５】
請求項１〜９記載の発明によれば、にじみのない高品位な文字等の線画の記録と、ブリードのない高品位な図形等の一般画像の記録とを行うことができ、線画と一般画像との記録濃度や色相の差を抑制することが可能となる。
【０２１６】
請求項１０及び１１記載の発明によれば、異なる色相の境界部分におけるブリードを防止して、鮮明なカラー画像を記録することができる。請求項１２〜１５記載の発明によれば、普通紙を含む様々な種類の記録媒体に対して線画及び一般画像を高品位で記録することができる。
【０２１７】
請求項１６〜１９記載の発明によれば、にじみのない高品位な文字等の線画の記録と、ブリードのない高品位な図形等の一般画像の記録とを行うことができ、線画と一般画像との記録濃度や色相の差を抑制することが可能となる。請求項２０〜２４記載の発明によれば、にじみのない高品位な文字等の線画の記録と、ブリードのない高品位な図形等の一般画像の記録とを行うことができ、線画と一般画像との記録濃度や色相の差を抑制することが可能となる。
【０２１８】
請求項２５及び２６記載の発明によれば、異なる色相の境界部分におけるブリードを防止して、鮮明なカラー画像を記録することができる。請求項２７〜２８記載の発明によれば、普通紙を含む様々な種類の記録媒体に対して線画及び一般画像を高品位で記録することができる。
【０２１９】
請求項２９〜３４記載の発明によれば、にじみのない高品位な文字等の線画の記録と、ブリードのない高品位な図形等の一般画像の記録とを行うことができ、線画と一般画像との記録濃度や色相の差を抑制することが可能となる。
【発明を実施するための最良の形態】
【０２２０】
以下、本発明の実施の形態を、図面と共に説明する。
【実施例１】
【０２２１】
先ず、本発明になるインクジェット記録装置の第１実施例を、図１及び図２と共に説明する。図１はインクジェット記録装置の第１実施例の要部を示す斜視図であり、図２はヘッド部を示す斜視図である。インクジェット記録装置の第１実施例では、本発明になるインクジェット記録方法の第１実施例及び本発明になるインク及びインクカートリッジの第１実施例を用いる。
【０２２２】
図１において、インクジェット記録装置４０は、大略フレーム４１、キャリア４２、ステージシャフト４３、紙送りローラ４４、ヘッド部４５、バックアップユニット４６、モータ４７、ベルト４８等からなる。キャリア４２は、ベルト４８と介してモータ４７により駆動され、ステージシャフト４３に案内されて同図中Ｘ方向へ移動可能である。ヘッド部４５は、このキャリア４２に取り付けられている。紙等の記録媒体５０は、紙送りローラ４４により送られて、ヘッド部４５は例えば上位装置（図示せず）から受信した画像データに基づいて記録媒体５０に画像を記録（印刷）する。
【０２２３】
バックアップユニット４６は、ヘッド部４５の保護機構として設けられている。バックアップユニット４６は、ヘッド部４５が待機中のときヘッド部４５のノズル面をキャップして目詰まり等を防止したり、又、ユーザにより所定の操作が行われると、目詰まり等によるドット抜けを回復するためにヘッド部４５のノズルからインク及び気泡を吸引して排出させる等の機能を有する。
【０２２４】
上記フレーム４１、キャリア４２、ステージシャフト４３、紙送りローラ４４、バックアップユニット４６、モータ４７、ベルト４８等からなるインクジェット記録装置４０の部分には、夫々公知の構成を用いることができるので、これらの構造及び動作の詳細な説明は省略する。
【０２２５】
次に、ヘッド部４５の構成を図２と共に説明する。図２は、ヘッド部４５をカバーを取り除いた状態で示す。図２において、ヘッド部４５はハウジング５１を有し、ハウジング５１には複数の着脱レバー５−１〜５−５が設けられている。又、ハウジング５１の着脱レバー５−１〜５−５に対応する位置には、夫々スロット５２が設けられている。インクカートリッジ１１−１〜１１−５は、対応するスロット５２に挿入され、夫々着脱レバー５−１〜５−５の操作により対応するプリントヘッド（図示せず）に対して装着脱可能である。プリントヘッドは、インクを噴射するノズルを有する構成となっており、プリントヘッド自体には公知の構成のものを使用できるので、本明細書ではその図示及び詳細な説明は省略する。図２では、インクカートリッジ５−１のみがスロット５２へ完全に挿入される前又はスロット５２から抜き取られる状態で示されている。本実施例では、５つのインクカートリッジ１１−１〜１１−５に対応させて５つのプリントヘッドがハウジング５１の下部に設けられているが、図２では見えない。各インクカートリッジ１１−１〜１１−５及び各プリントヘッドは、基本的には公知の構成を有するものでも良く、各プリントヘッドはインクを吐出する１又は複数のノズルを有する。
【０２２６】
例えば、インクカートリッジ１１−１〜１１−４は、夫々カラー記録時に用いられる黒、イエロー、マゼンタ及びシアンのインクを貯蔵しているカートリッジ本体からなる。又、インクカートリッジ５−５は、他のインクカートリッジ１１−１〜１１−４より多少大きいカートリッジ本体からなり、モノクロ記録時に用いられる黒のインクを貯蔵している。従って、本実施例では、カラー記録時とモノクロ記録時とでは、黒のインクを異なるインクカートリッジから供給する。この様な構成とすることにより、例えばインクカートリッジ１１−１〜１１−４に対応するプリントヘッドとインクカートリッジ５−５に対応するプリントヘッドとに、異なる構造のプリントヘッドを用いることも可能となる。
【０２２７】
本実施例では、インクカートリッジ１１−１〜１１−４内に貯蔵されている黒、イエロー、マゼンタ及びシアンのインクの組成は、例えば酸性染料２重量％、グリセリン１０重量％、アニオン系界面活性剤０．５重量％及び残量水である。又、インクカートリッジ１１−５内に貯蔵されている黒のインクの組成は、例えば直接染料２重量％、グリセリン１０重量％、イソプロパノール４重量％及び残量水である。これらの組成のインクは、インクの種類毎に密閉ポリ容器に計量し、５０℃で湯煎しながら３時間撹拌溶解した後、室温まで冷却してポアサイズ０．２μｍのフィルタでろ過することにより得た。インクカートリッジ１１−５内に貯蔵されている黒のインクは、インクカートリッジ１１−１〜１１−４内に貯蔵されている黒、イエロー、マゼンタ及びシアンのインクに比べて、記録媒体５０への浸透性が低くなるような組成を有する。例えば、コピー用上質紙への浸透時間は、インクカートリッジ１１−５内に貯蔵されているモノクロ用黒のインクで約２５秒で、その他のインクで約３秒であった。
【０２２８】
図３は、これらのインクを用いて３６０ｄｐｉの解像度で「ＡＢＣ」なる文字をコピー用上質紙に記録した場合の記録結果の写真を拡大して模式的に示す図である。同図中、（ａ）はインクカートリッジ１１−５内に貯蔵されているモノクロ用黒のインクで記録を行った場合の記録結果を示し、（ｂ）はインクカートリッジ１１−１内に貯蔵されているカラー用黒のインクで記録を行った場合の記録結果を示す。同図からわかるように、インクカートリッジ１１−５内に貯蔵されている浸透性の低いモノクロ用黒のインクで記録を行った場合の方が、インクカートリッジ１１−１内に貯蔵されている浸透性の高いカラー用黒のインクで記録を行った場合に比べて、インクのにじみのない高品位の記録が行える。特に、同図（ｂ）では、インクの浸透性が高いために、インクのにじみが大きく、文字の微細な部分が潰れ、エッジのシャープさもなく記録の品位が同図（ａ）の場合に比べて大幅に低下していることがわかる。そこで、本実施例では、記録される画像がモノクロの場合、又は、記録される画像が黒で他の色相と接する部分を有さない場合は、浸透性の低いモノクロ用黒のインクで記録を行う。
【０２２９】
他方、本実施例では、例えば黄色と黒とが接する部分を有する画像の記録時には、黒領域のうち黄色領域との境界部分の一部のみを浸透性の高いカラー用黒のインクで記録し、黒領域の他の部分は浸透性の低いモノクロ用黒のインクで記録する。
【０２３０】
図４は、黄色と黒からなる画像を記録する場合の記録結果の写真におけるブリードの状態を拡大して模式的に示す図である。同図中、（ａ）は本実施例において黒領域Ｂのうち黄色領域Ｙとの境界部分ｘの６ドット幅分のみを浸透性の高いカラー用黒のインクで記録し、黒領域Ｂの他の部分は浸透性の低いモノクロ用黒のインクで記録した場合の記録結果の写真を拡大して模式的に示し、（ｂ）は境界部分ｘを含めた黒領域Ｂ全体を浸透性の低いモノクロ用黒のインクで記録した場合の記録結果の写真を拡大して模式的に示し、（ｃ）は境界部分ｘを含めた黒領域Ｂ全体を浸透性の高いカラー用黒のインクで記録した場合の記録結果の写真を拡大して模式的に示し、（ｄ）は境界部分ｘに非記録部分（白ぬき部分）を設けて記録した場合の記録結果の写真を拡大して模式的に示す。本実施例では、同図（ａ）に示すように、同図（ｃ）の場合と同等のブリードの少ない記録が実現できる。しかし、同図（ｂ）ではブリードが著しく大きく、同図（ｄ）では境界部分ｘに白領域が顕著に認識されるので、これらの場合には記録結果が記録されるべき所望の画像と大きく異なることが確認できた。
【０２３１】
尚、図４（ｃ）では、図３（ａ）に示す文字と比べると、黒領域Ｂの記録濃度が低く、黒文字と黒領域Ｂとの色の違いが認識できる程度となってしまい、記録画像全体の品位が低下してしまう。これに対して、本実施例では、図４（ａ）に示すように黒領域Ｂの記録濃度が高く、図３（ａ）に示す文字と黒領域Ｂとの色の差が殆ど認識できなかった。
【０２３２】
従って、図３（ａ）及び図４（ａ）に示すように、本実施例によれば、にじみのない高品位の文字の記録とブリードのない高品位の色境界部の記録とを同時に実現できる。又、文字と図形等との記録濃度、明度や彩度を同等にすることができるので、記録される画像全体の品位を著しく向上することができる。
【０２３３】
黒領域Ｂのうち、浸透性の高いカラー用の黒インクで記録する境界部分ｘの幅は、大きい程ブリードを低減する効果が大きくなる。しかし、境界部分ｘのドット幅が大きくなる程、明度、彩度及び記録濃度の差が認識できる程度に大きくなってしまう。そこで、２種類の、浸透性の低いモノクロ用黒のインク及び浸透性の高いカラー用黒のインクに使用する染料の種類を同一にすることで、色差を小さくすることができる。又、第４実施例と共に後述する如く、浸透性の高いカラー用黒のインクの染料濃度を浸透性の低いモノクロ用黒のインクの染料濃度より高くすることで、記録濃度の差を小さくすることができる。
【０２３４】
図５は、浸透性の高いカラー用黒のインクの染料を、酸性染料から浸透性の低いモノクロ用黒のインクに使用しているのと同じ直接染料とし、染料の組成比を２重量％から４重量％に増加して得た調整された浸透性の高い黒のインクを用いて記録を行った場合の記録結果の写真を拡大して模式的に示す図である。同図と図４R>４（ａ）との比較からも明らかなように、図５ではブリードが図４（ａ）の場合と同程度に小さく、且つ、黒の境界も認識しにくくなっており、記録の均一性が向上されることが確認された。
【０２３５】
後述する第４及び第５実施例と共により詳細に説明するが、本発明者らは、種々の色相のサンプルで主観評価を行ったところ、色差が５以下の場合には明度及び彩度の差が許容範囲となり、浸透性の異なるインクで記録した領域の色差は５以下となることが望ましいことが確認された。又、同色相の記録領域の記録濃度についても主観評価を行ったところ、マクベス濃度計で測定した記録濃度（ＯＤ）が約１．０以上の場合には、同色相の記録領域間での記録濃度差が０．３以下であれば濃度の差が許容範囲内であることが確認された。従って、浸透性の高いインクで記録した記録領域と浸透性の低いインクで記録した記録領域との記録濃度の差は、ＯＤで０．３以下であることが望ましいことがわかった。
【０２３６】
又、浸透性の低いインクは、記録媒体上での広がりが小さい傾向にある。このため、浸透性の低いインクを浸透性の高いインクとの両方を使用して記録を行う場合には、単位面積当り、浸透性の低いインクを浸透性の高いインクよりも多く付着することが望ましい。この様にすることにより、インクジェット記録装置の所定の解像度に適したドットを記録することができる。
【０２３７】
境界部分において、浸透性の高い黒のインクで記録する幅を、境界部分を形成する各色領域のインク量や記録媒体自体のインクの浸透性により調整することにより、記録される画像の品位を向上することができる。つまり、インク量が多い程、又、記録媒体自体のインクの浸透性が低い程、ブリードは増加する傾向にあるので、境界部分において浸透性の高い黒のインクで記録する幅は、広く設定すると効果的である。
【０２３８】
図６はインクの浸透性が第１の値である記録媒体に、黄色領域Ｙと黒領域Ｂとの境界部分ｘで浸透性の高い黒のインクを用いて記録した場合の記録結果の写真におけるブリードの状態を拡大して模式的に示す図である。同図中、（ａ），（ｂ），（ｃ），（ｄ）は夫々浸透性の高い黒のインクによる境界部分ｘの記録幅が１ドット，２ドット，４ドット，６ドットの場合のブリードの状態を示す。
【０２３９】
又、図７はインクの浸透性が第１の値である記録媒体に、赤領域Ｒと黒領域Ｂとの境界部分ｘで浸透性の高い黒のインクを用いて記録した場合の記録結果の写真におけるブリードの状態を拡大して模式的に示す図である。赤領域Ｒは、イエロー及びマゼンタのインクの重ね記録により得られ、黄色領域Ｙをイエローのインクで記録する場合と比べると、約２倍のインクの量が使用される。同図中、（ａ），（ｂ），（ｃ），（ｄ）は夫々浸透性の高い黒のインクによる境界部分ｘの記録幅が１ドット，２ドット，４ドット，６ドットの場合のブリードの状態を示す。
【０２４０】
図６及び図７からわかるように、浸透性の低い黒のインクによる境界部分ｘの記録幅が大きくなる程、ブリードは小さくなった。又、黒領域Ｂと黄色領域Ｙとの境界よりも、黒領域Ｂと赤領域Ｒとの境界でのブリードの方が大きい傾向があった。ブリードを少なくすると共に同等の記録品位を得るには、浸透性の高い黒のインクによる境界部分ｘの記録幅は、インク量の少ない黒領域Ｂと黄色領域Ｙとの境界では約４ドット、インク量の多い黒領域Ｂと赤領域Ｒとの境界では約６ドット必要であった。このように、インク量が多い境界では、浸透性の高い黒のインクによる境界部分ｘの記録幅を広くする（この例ではドット数を増やす）ことが、ブリードを少なくすると共に同等の記録品位を得る上で効果的である。
【０２４１】
図８はインクの浸透性が第１の値より低い第２の値である記録媒体に、黄色領域Ｙと黒領域Ｂとの境界部分ｘで浸透性の高い黒のインクを用いて記録した場合の記録結果の写真におけるブリードの状態を拡大して模式的に示す図である。同図中、（ａ），（ｂ），（ｃ），（ｄ）は夫々浸透性の高い黒のインクによる境界部分ｘの記録幅が２ドット，４ドット，６ドット，８ドットの場合のブリードの状態を示す。
【０２４２】
又、図９はインクの浸透性が第２の値である記録媒体に、赤領域Ｒと黒領域Ｂとの境界部分ｘで浸透性の高い黒のインクを用いて記録した場合の記録結果の写真におけるブリードの状態を拡大して模式的に示す図である。赤領域Ｒは、イエロー及びマゼンタのインクの重ね記録により得られ、黄色領域Ｙをイエローのインクで記録する場合と比べると、約２倍のインクの量が使用される。同図中、（ａ），（ｂ），（ｃ），（ｄ）は夫々浸透性の高い黒のインクによる境界部分ｘの記録幅が２ドット，４ドット，６ドット，８ドットの場合のブリードの状態を示す。
【０２４３】
図８及び図９と図６及び図７との比較からわかるように、浸透性の低い記録媒体程、ブリードが大きい傾向があった。ブリードを少なくすると共に同等の記録品位を得るには、浸透性の高い黒のインクによる境界部分ｘの記録幅は、インク量の少ない黒領域Ｂと黄色領域Ｙとの境界では約６ドット、インク量の多い黒領域Ｂと赤領域Ｒとの境界では約８ドット必要であった。このように、記録媒体の浸透性に応じて境界部分ｘでの浸透性の高い黒のインクによる記録幅（ドット数）を調整することが、ブリードを少なくすると共に同等の記録品位を得る上で効果的である。
【０２４４】
図１０は、隣合う領域の明度（コントラスト）差に応じたブリードの状態を説明する図である。同図中、（ａ）は黒領域Ｂと黒との明度差が大きい赤領域Ｒとの境界部分でのブリードの状態を示す写真を拡大して模式的に示し、（ｂ）は黒領域Ｂと黒との明度差が小さい紫領域Ｐとの境界部分でのブリードの状態を示す写真を拡大して模式的に示す。図１０中、浸透性の高い黒のインクによる境界部分での記録幅は２ドットである。図１０（ａ）では境界部分でのブリードが認識できるが、図１０（ｂ）では境界部分でのブリードが殆ど認識できない。このように、ブリードは、明度（コントラスト）の差が大きい色境界で特に顕著に見えるので、本実施例は、隣合う領域を記録するインクの色の明度差が大きい場合に適用すると特に効果的である。
【０２４５】
図１１は、隣合う領域の境界部分において、使用する高い浸透性のインクの浸透性を変えて記録した場合のブリードの状態を説明する図である。同図中、（ａ）は黒領域Ｂに使用する黒のインクの方の浸透性を高くして黄色領域Ｙに使用するイエローのインクの浸透性を低くした場合の境界部分でのブリードの状態を示す写真を拡大して模式的に示し、（ｂ）は黒領域Ｂに使用する黒のインクの方の浸透性を低くして黄色領域Ｙに使用するイエローのインクの浸透性を高くした場合の境界部分でのブリードの状態を示す写真を拡大して模式的に示す。使用する浸透性の高いインクの組成としては、浸透性の低い方のインクは界面活性剤の量を０．３％とし、浸透性の高い方のインクは界面活性剤の量を０．５％として、２種類のインクを各色調整してインクの浸透性を変えて、各々のインクの組み合せで記録を行った。
【０２４６】
黒のインクの方の浸透性をイエローのインクの浸透性より高くした場合には、図１１（ａ）に示すように、ブリードが見えなかった。他方、イエローのインクの方の浸透性を黒のインクの浸透性より高くした場合には、図１１（ｂ）に示すように、黒のインクが黄色領域Ｙ内に流れ出し、ブリードが比較的顕著に見えた。
【０２４７】
このように、隣接する２つの領域を浸透性の異なる２種類の浸透性の高いインクで記録する場合、例えば黒等の明度の低い色のインクが例えばイエロー等の明度の高いインクに流れ込むと、境界部分でのブリードが顕著に見えてしまう。このため、隣接する２つの領域を浸透性が共に高く、且つ、浸透性が互いに異なる２種類のインクで記録する場合には、例えばイエロー等の明度の高い方のインクが例えば黒等の明度の低い色のインクに流れ込むように、明度の低い方のインクの浸透性を明度の高いインクの浸透性より高く設定することが、境界部分でのブリードをなくし記録品位を向上させる上で効果的である。
【０２４８】
又、浸透性の高いインクを使用した記録を行う際には、明度の高いインクの方が明度の低いインクへ流れ込み易いように、明度の低いインクによる記録を先に行い、先にインクの定着を進行させておいてから、次に明度の高いインクによる記録を行うと、境界部分でのブリードをなくし記録品位を向上させる上で一層効果的である。
【０２４９】
図１２は、高低２種類の浸透性の異なる黒のインクと、高い浸透性のその他の色相のインクにより記録を行う場合の、境界部分でのブリードの状態の記録順序の依存性を説明する図である。同図中、（ａ）は浸透性の低い黒のインク、浸透性の高いイエローのインク、浸透性の高い黒のインクの順に記録を行った場合の記録結果の写真を拡大して模式的に示す。同図中、（ｂ）は浸透性の高いイエローのインク、浸透性の低い黒のインク、浸透性の高い黒のインクの順に記録を行った場合の記録結果の写真を拡大して模式的に示す。同図中、（ｃ）は浸透性の低い黒のインク、浸透性の高い黒のインク、浸透性の高いイエローのインクの順に記録を行った場合の記録結果の写真を拡大して模式的に示す。図１２では、浸透性の高い黒のインクによる境界部分の記録幅は２ドットである。
【０２５０】
本実施例では、浸透性の低い黒のインク、浸透性の高いイエロー等の他の色相のインク、浸透性の高い黒のインクの順に記録を行う。このため、図１２（ａ）に示すように、境界部分でのブリードは殆どない。しかし、上記の如きこれ以外の記録順序の場合、図１２１２（ｂ），（ｃ）に示すように、境界部分でのブリードが顕著に見られる。
【０２５１】
従って、高低２種類の浸透性の異なる黒のインクと、高い浸透性のその他の色相のインクにより記録を行う場合には、２種類の黒のインクによる記録の間にその他の色相のインクによる記録を行うような記録順序を採用することが望ましい。このような記録順序を採用すれば、黒のインクが定着する時間を比較的長くとることができ、黒のインク同士が接触するまでの時間も比較的長くできるので、境界部分でのブリードや黒領域の濃度むら等を抑制することができる。
【０２５２】
更に、浸透性の低い黒のインクによる記録領域が、その周辺の浸透性の高い黒のインクによる記録領域よりも大きい場合には、浸透性の高い黒のインクによる記録を浸透性の低い黒のインクによる記録より先に行うことが望ましい。このように、浸透性の高い黒のインクによる記録を先に行うことにより、境界部分でのブリードや濃度むらを低減することができ、高品位の記録が可能となる。すなわち、このように記録することで、浸透性の低いインクが浸透性の高いインクの記録領域に流れ込み記録インク量が増加して、黒記録領域の濃度を均一化する。
【０２５３】
図１３は、このように異なる浸透性の黒のインクによる記録順序を変えた場合の境界部分でのブリードの状態を説明する図である。同図（ａ）は、浸透性の低い黒のインクによる記録を４８ドットの記録幅で先に行い、次に浸透性の高い黒のインクによる記録を８ドット幅で行った場合の記録結果の写真を拡大して模式的に示す。又、同図（ｂ）は、浸透性の高い黒のインクによる記録を８ドットの記録幅で先に行い、次に浸透性の低い黒のインクによる記録を４８ドット幅で行った場合の記録結果の写真を拡大して模式的に示す。図１３の場合、浸透性の高いイエローのインクによる記録は、２種類の黒のインクによる記録の間に行われた。
【０２５４】
図１３からもわかるように、同図（ａ）の場合には境界部分でのブリードが見えず、黒記録領域で濃度むらも見られない。他方、同図（ｂ）の場合には、黒記録領域での濃度むらが顕著に見られた。又、浸透性の低い黒のインクによる記録領域が、その周辺の浸透性の高い黒のインクによる記録領域よりも大きい場合には、インクの記録媒体への裏抜けを防止する意味からも、浸透性の低い黒のインクによる記録を浸透性の高い黒のインクによる記録より先に行うことが望ましい。インクの記録媒体への裏抜けとは、記録媒体の裏面までインクが染み出す現象であり、記録媒体の両面への記録を考慮すると、好ましくない。しかし、浸透性の低い黒のインクによる記録を先に行うことにより、この様なインクの記録媒体への裏抜けを減少させることができる。すなわち、浸透性の低い黒インクを先に記録することで浸透性の低い黒インクが浸透性の高い黒インクの記録領域に流れ込みにくくして、浸透性の高い黒インクの記録領域のインク量増加を防ぎ、裏抜けを防止する。
【０２５５】
図１４は、このように異なる浸透性の黒のインクによる記録順序を変えた場合の記録媒体の裏面の状態を説明する図である。同図（ａ）は、記録媒体の表面に対して、浸透性の低い黒のインクによる記録を４８ドットの記録幅で先に行い、次に浸透性の高い黒のインクによる記録を８ドット幅で行った場合の記録媒体の裏面の写真を拡大して模式的に示す。又、同図（ｂ）は、記録媒体の表面に対して、浸透性の高い黒のインクによる記録を８ドットの記録幅で先に行い、次に浸透性の低い黒のインクによる記録を４８ドット幅で行った場合の記録媒体の裏面の写真を拡大して模式的に示す。図１４の場合、浸透性の高いイエローのインクによる記録は、２種類の黒のインクによる記録の間に行われた。又、図１４１４中、梨地は記録媒体の裏面での色の濃度を模式的に示す。
【０２５６】
図１４からもわかるように、同図（ａ）の場合には記録媒体への裏抜けが殆ど見られない。他方、同図（ｂ）の場合には、記録媒体への裏抜けが顕著に見られた。ところで、浸透性の低い黒のインクによる記録領域が、その周辺の浸透性の高い黒のインクによる記録領域よりも小さい場合には、浸透性の低い黒のインクによる記録を浸透性の高い黒のインクによる記録より先に行うことが望ましい。このように、浸透性の低い黒のインクによる記録を先に行うことにより、境界部分でのブリードや濃度むらを低減することができ、高品位の記録が可能となる。すなわち、このように記録すると浸透性の低いインクが浸透性の高いインクの記録領域に流れ込むのを防ぎ、浸透性の低いインクの記録領域の濃度低下を防止できる。
【０２５７】
図１５は、このように異なる浸透性の黒のインクによる記録順序を変えた場合の境界部分でのブリードの状態を説明する図である。同図（ａ）は、浸透性の低い黒のインクによる記録を４ドットの記録幅で先に行い、次に浸透性の高い黒のインクによる記録を６ドット幅で行った場合の記録結果の写真を拡大して模式的に示す。又、同図（ｂ）は、浸透性の高い黒のインクによる記録を６ドットの記録幅で先に行い、次に浸透性の低い黒のインクによる記録を４ドット幅で行った場合の記録結果の写真を拡大して模式的に示す。図１５の場合、浸透性の高いイエローのインクによる記録は、２種類の黒のインクによる記録の間に行われた。
【０２５８】
図１５からもわかるように、同図（ａ）の場合には境界部分でのブリードが見えず、濃度むらも見られない。他方、同図（ｂ）の場合には、黒記録領域での濃度むらが顕著に見られた。コピー紙等に使用される上質紙や中質紙には、通常サイズというインクのにじみ防止処理が施されている。このため、インクをこの様な記録媒体に付着させると、インクは馴染み時間と呼ばれる所定の時間で記録媒体の表面と馴染みが良くなり、その後記録媒体の内部への浸透が開始される。一般に、浸透性の低いインクは、浸透性の高いインクに比べると馴染み時間が長く、又、馴染み時間後の浸透速度も遅い。従って、隣接する領域を浸透性の高いインクと浸透性の低いインクで記録する場合、浸透性の低いインクが記録媒体の表面に存在する時間が長く、浸透性の高いインクが記録媒体の表面に存在する時間が短い。このため、隣接する領域をこれらの２つのインクで記録すると、浸透性の低いインクで記録した領域から浸透性の高いインクで記録した領域へインクが流れ込み、記録濃度に濃淡が生じたり、インクの裏抜けが生じたりする。そこで、浸透性の異なる２つのインクを使用する場合、インクの浸透のタイミングを上記の如く調整することにより、これらの問題を回避して高品位の記録を実現できる。
【０２５９】
即ち、浸透開始が遅い方の、浸透性の低いインクを浸透性の高いインクよりも早く記録媒体に付着することにより、浸透性の高いインクが記録媒体に付着した時点で既に浸透性の低いインクが記録媒体内に浸透し始めているようにすることが望ましい。この様な記録を行うことにより、浸透性の低いインクで記録した領域から浸透性の高いインクで記録した領域へのインクの流れ込みを減少させることができる。
【０２６０】
図１６は、ブリストー（Ｂｒｉｓｔｏｗ）試験（Ｊ．ＴＡＰＰＩ 紙パルプ試験方法Ｎｏ．５１）の結果を、浸透性の高いインクと浸透性の低いインクとについて示す図である。同図中、ａは浸透性の低いインクの接触時間に対する浸透量を示し、ｂは浸透性の高いインクの接触時間に対する浸透量を示す。
【０２６１】
浸透性の低いインクは、サイズ等のにじみ防止処理が施された上質紙に対しては浸透しにくく、にじみのない高品位の記録が行える。しかし、比較的インクの浸透性が高い記録紙に対しては、浸透性の低いインクであっても、紙の繊維の長手方向に沿った羽毛状のにじみ（フェザ）を生じ易くなり、記録品位を著しく低下させてしまう。
【０２６２】
他方、この様に比較的インクの浸透性が高い記録媒体に対して浸透性の高いインクで記録を行うと、フェザを小さくすることができ、記録品位の低下を少なくすることができる。従って、比較的インクの浸透性が高い記録媒体にたいして記録を行う際には、文字部分を含めて、記録媒体上の全ての記録領域を、浸透性の高いインクで記録することが、フェザを小さくする上では望ましい。
【０２６３】
図１７は、比較的インクの浸透性が高い記録媒体に対して記録を行った場合の記録結果を示す図である。同図中、（ａ）は浸透性の高い黒のインクでコピー紙等の再生紙に文字を記録した場合の記録結果の写真を拡大して模式的に示し、（ｂ）は浸透性の低い黒のインクでコピー紙等の再生紙に文字を記録した場合の記録結果の写真を拡大して模式的に示す。図１７からわかるように、同図（ｂ）ではフェザが生じているが、同図（ａ）ではフェザがあまり見られない。
【０２６４】
尚、上記実施例では、色相の例として、黒について２種類の浸透性の異なるインクを使用しているが、シアン、マゼンタ及びイエロー等のその他の色相の各々について浸透性の異なる複数のインクを使用して記録を行うようにしても良いことは言うまでもない。この場合、記録品位がより一層向上される。又、色相は上記４色に限定されるものではなく、赤、青、緑等の色相に対しても、同様に浸透性の異なるインクを使用できる。
【０２６５】
次に、本実施例におけるインクジェット記録装置内の要部の構成及びその動作を、図１８〜図２４と共により詳細に説明する。図１８は、インクジェット記録装置の第１実施例における画像データ処理系を示すブロック図である。同図中、画像データ処理系は、大略黒データの境界色判別部２０、黒データの分離部２１、ドット制御部２２及び駆動部２３からなる。黒データの境界色判別部２０は、記録するべき画像に関する画像データを入力され、画像中の黒部分が接触する色相を判別する。黒データの分離部２１は、画像データから、浸透性の高い黒のインクで記録する黒部分及び浸透性の低い黒のインクで記録する黒部分に関する黒データを分離する。ドット制御部２２は、黒部分と他の色相の部分との境界部分における浸透性の低い黒のインクによる記録幅の設定等を含むドット制御を行う。又、駆動部２３は、画像データ、黒データ及び境界部分における浸透性の低い黒のインクによる記録幅等に基づいて、図１に示すヘッド部４５の各ヘッドを駆動する。黒データの境界色判別部２０及び黒データの分離部２１の動作は、図１８中破線で示すように、単一の中央制御装置（ＣＰＵ）２５等のメモリ２６内に格納されたソフトウェアにより実現可能である。又、ドット制御部２２及び駆動部２３の動作もこのＣＰＵ２５のソフトウェアにより実現するようにしても良い。更に、記録するべき画像に関する画像データは、一旦メモリ２６又はバッファメモリ（図示せず）に格納してから読み出して黒データの境界色判別部２０に入力するようにしても良い。
【０２６６】
尚、紙送りローラ４４等の記録媒体の送り機構を制御する制御系や、キャリア４２の移動を制御する制御系等は公知であるので、本明細書ではこれらの図示及び説明は省略する。先ず、黒データの境界色判別部２０、黒データの分離部２１及びドット制御部２２の動作を説明する。以下の説明では、図１９に示すように、画像データのドット記録位置がＤＸｍ，ｎ等で表され、ＸはＹ，Ｍ，Ｃ，Ｋ，Ｋ’のいずれかの色相を表し、ｍ，ｎは整数を表すものとする。ここで、色相Ｘは、Ｙがイエローで浸透性の高いイエローのインクで記録され、Ｍがマゼンタで浸透性の高いマゼンタのインクで記録され、Ｃがシアンで浸透性の高いシアンのインクで記録され、Ｋが黒で浸透性の高い黒のインクで記録され、Ｋ’が黒で浸透性の低い黒のインクで記録されるものとする。これらＹ，Ｍ，Ｃ，Ｋ，Ｋ’のインクの基本色を組み合せることでその中間色が実現できる。例えば、Ｒは赤でＲ＝Ｙ＋Ｍで表され、Ｇは緑でＧ＝Ｙ＋Ｃで表され、Ｂは青でＢ＝Ｍ＋Ｃで表される。
【０２６７】
図２０は、境界部分における浸透性の高い黒のインクによる記録幅が１ドットの場合の黒データの境界色判別部２０、黒データの分離部２１及びドット制御部２２の動作を示すフローチャートである。同図及び後述する図において、ｄＸｍ，ｎは、ドット記録位置ＤＸｍ，ｎに関する色相Ｘの画像データを表すものとする。入力されるカラー画像データｄＸｍ，ｎには、Ｘ＝Ｋ’のものが含まれない。
【０２６８】
図２０中、ステップＳ１は、ｍ及びｎを夫々０に初期化する。ステップＳ２は、ドット記録位置ＤＫｍ，ｎに関する画像データｄＫｍ，ｎが１であるか否かを判定する。ステップＳ２の判定結果がＮＯであれば、処理は後述するステップＳ５へ進む。他方、ステップＳ２の判定結果がＹＥＳであれば、ステップＳ３で各ドット記録位置ＤＫｍ，ｎに隣接する黒以外の各色相画像データが０であるか否かを判定する。つまり、画像データｄＹｍ−１，ｎ、ｄＹｍ＋１，ｎ、ｄＹｍ，ｎ−１、ｄＹｍ，ｎ＋１、ｄＭｍ−１，ｎ、ｄＭｍ＋１，ｎ、ｄＭｍ，ｎ−１、ｄＭｍ，ｎ＋１、ｄＣｍ−１，ｎ、ｄＣｍ＋１，ｎ、ｄＣｍ，ｎ−１、ｄＣｍ，ｎ＋１、が全て０の場合、ステップＳ３の判定結果はＹＥＳとなる。ステップＳ３の判定結果がＹＥＳの場合、ステップＳ４で画像データｄＫｍ，ｎを０に設定すると共に、画像データｄＫ’ｍ，ｎを１に設定する。このステップＳ４により、画像データｄＫｍ，ｎについては浸透性の高い黒のインクによる記録は行わず、画像データｄＫｍ，ｎは画像データｄＫ’ｍ，ｎに置き換えられ、浸透性の低い黒のインクで記録が行われる。
【０２６９】
ステップＳ５は、ｍ＝ａであるか否かを判定し、判定結果がＮＯであれば、ステップＳ６でｍをｍ＋１に設定し、処理をステップＳ２へ戻す。ここで、ａはｍの最終値を示す。他方、ステップＳ５の判定結果がＹＥＳであれば、ステップＳ７でｎ＝ｂであるか否かを判定する。ここで、ｂはｎの最終値を示す。ステップＳ７の判定結果がＮＯであれば、ステップＳ８でｍを０に設定すると共にｎをｎ＋１に設定し、処理をステップＳ２へ戻す。ステップＳ７の判定結果がＹＥＳであれば、処理は終了する。
【０２７０】
これにより、黒領域と黒以外の色相の領域との境界部分において、浸透性の低い黒のインクで記録される部分が浸透性の高い黒のインクで記録される部分に１ドット分置き換えられる。つまり、境界部分において、浸透性の高い黒のインクによる記録幅が１ドットに設定される。
【０２７１】
尚、境界部分において、浸透性の高い黒のインクによる記録幅をｐドットに設定する場合は、基本的には図２０においてｄＸｍ±ｐ，ｎ±ｐの範囲内にある画像データを検索すれば良い。図２１は、境界部分における浸透性の高い黒のインクによる記録幅がｐドットの場合の黒データの境界色判別部２０、黒データの分離部２１及びドット制御部２２の動作を示すフローチャートである。
【０２７２】
図２１中、ステップＳ１１は、ドット記録位置Ｄｍ，ｎに対する画像データｄＸｍ，ｎが存在するか否か、即ち、黒又は他の色相による記録が行われるべきか否かを判定する。ドット記録位置Ｄｍ，ｎが白ぬきでステップＳ１１の判定結果がＮＯの場合、ステップＳ１２で次のドット記録位置を検索するためにｍをｍ＋１に設定するか、ｎをｎ＋１に設定する。初期状態では、ｍ＝１及びｎ＝１であり、この状態から順次ドット記録位置を検索する。従って、最初はステップＳ１２においてｍがｍ＋１に設定され、ｍ＝ａまでの検索が行われると、今度はステップＳ１２においてｎがｎ＋１に設定されて、ｎ＝ｂとなるまで検索が順次繰り返される。他方、ステップＳ１１の判定結果がＹＥＳの場合、ステップＳ１３でドット記録位置Ｄｍ，ｎに対する画像データｄＸｍ，ｎが黒、即ち、ｄＫｍ，ｎ＝１であるか否かを判定する。ステップＳ１３の判定結果がＮＯであれば処理はステップＳ１２に戻るが、ＹＥＳであれば処理は後述するステップＳ１４へ進む。
【０２７３】
上記ステップＳ１１〜Ｓ１３により、黒又は他の色相による記録が行われるべきか否かの判断及び色相の判別がなされる。ステップＳ１４は、ドット記録位置Ｄｍ，ｎに隣接するいずれかのドット記録位置Ｄｘ，ｙに対する画像データｄＸｘ，ｙが存在するか否か、即ち、黒又は他の色相による記録が行われるべきか否かを判定する。ここで、（ｘ，ｙ）は（ｍ，ｎ＋１）、（ｍ＋１，ｎ）、（ｍ＋１，ｎ＋１）である。全てのドット記録位置Ｄｘ，ｙが白ぬきでステップＳ１４の判定結果がＮＯの場合、処理はステップＳ２６へ進む。ステップＳ２６は、画像データｄＫｍ，ｎを０に設定すると共に、画像データｄＫ’ｍ，ｎを１に設定し、その後処理がステップＳ１２へ戻る。他方、ステップＳ１４の判定結果がＹＥＳの場合は、ステップＳ１５でいずれかのドット記録位置Ｄｘ，ｙに対する画像データｄＸｘ，ｙが黒、即ち、ｄＫｘ，ｙ＝１であるか否かを判定する。ステップＳ１５の判定結果がＮＯの場合、ステップＳ１６は画像データｄＫ’ｍ，ｎを０に設定して処理がステップＳ１２へ戻る。又、ステップＳ１５の判定結果がＹＥＳの場合は、ステップＳ１７で２つのドット記録位置Ｄｘ，ｙに対する画像データｄＫｘ，ｙをｄＫ’ｘ，ｙに置き換えるか否かを判定する。即ち、ステップＳ１７は、境界部分において浸透性の高い黒のインクで記録する記録幅を２ドットに設定するか否かを判定する。ステップＳ１７の判定結果がＮＯの場合は処理がステップＳ１２へ戻り、ＹＥＳの場合は後述するステップＳ１８へ進む。
【０２７４】
上記ステップＳ１４〜Ｓ１７により、１ドット目の隣接ドットの色相が判定され、境界部分において浸透性の高い黒のインクで記録する記録幅を１ドットに設定される。ステップＳ１８は、ドット記録位置Ｄｍ，ｎに隣接するいずれかのドット記録位置Ｄｘ，ｙに対する画像データｄＸｘ，ｙが存在するか否か、即ち、黒又は他の色相による記録が行われるべきか否かを判定する。ここで、（ｘ，ｙ）は（ｍ，ｎ＋２）、（ｍ＋１，ｎ＋２）、（ｍ＋２，ｎ）、（ｍ＋２，ｎ＋１）、（ｍ＋２，ｎ＋２）である。全てのドット記録位置Ｄｘ，ｙが白ぬきでステップＳ１８の判定結果がＮＯの場合、処理は上記ステップＳ２６へ進む。他方、ステップＳ１８の判定結果がＹＥＳの場合は、ステップ１９でいずれかのドット記録位置Ｄｘ，ｙに対する画像データｄＸｘ，ｙが黒、即ち、ｄＫｘ，ｙ＝１であるか否かを判定する。ステップＳ１９の判定結果がＮＯの場合、ステップＳ２０は画像データｄＫ’ｍ，ｎを０に設定して処理がステップＳ１２へ戻る。又、ステップＳ１９の判定結果がＹＥＳの場合は、ステップＳ２１で３つのドット記録位置Ｄｘ，ｙに対する画像データｄＫｘ，ｙをｄＫ’ｘ，ｙに置き換えるか否かを判定する。即ち、ステップＳ２１は、境界部分において浸透性の高い黒のインクで記録する記録幅を３ドットに設定するか否かを判定する。ステップＳ２１の判定結果がＮＯの場合は処理がステップＳ１２へ戻り、ＹＥＳの場合は後述するステップＳ２２へ進む。
【０２７５】
上記ステップＳ１８〜Ｓ２１により、２ドット目の隣接ドットの色相が判定され、境界部分において浸透性の高い黒のインクで記録する記録幅を２ドットに設定される。ステップＳ２２は、ドット記録位置Ｄｍ，ｎに隣接するいずれかのドット記録位置Ｄｘ，ｙに対する画像データｄＸｘ，ｙが存在するか否か、即ち、黒又は他の色相による記録が行われるべきか否かを判定する。ここで、（ｘ，ｙ）は（ｍ，ｎ＋３）、（ｍ＋１，ｎ＋３）、（ｍ＋２，ｎ＋３）、（ｍ＋３，ｎ）、（ｍ＋３，ｎ＋１）、（ｍ＋３，ｎ＋２）、（ｍ＋３，ｎ＋３）である。全てのドット記録位置Ｄｘ，ｙが白ぬきでステップＳ２２の判定結果がＮＯの場合、処理は上記ステップＳ２６へ進む。他方、ステップＳ２２の判定結果がＹＥＳの場合は、ステップ２３でいずれかのドット記録位置Ｄｘ，ｙに対する画像データｄＸｘ，ｙが黒、即ち、ｄＫｘ，ｙ＝１であるか否かを判定する。ステップＳ２３の判定結果がＮＯの場合、ステップＳ２４は画像データｄＫ’ｍ，ｎを０に設定して処理がステップＳ１２へ戻る。又、ステップＳ２３の判定結果がＹＥＳの場合は、ステップＳ２５で４つのドット記録位置Ｄｘ，ｙに対する画像データｄＫｘ，ｙをｄＫ’ｘ，ｙに置き換えるか否かを判定する。即ち、ステップＳ２５は、境界部分において浸透性の高い黒のインクで記録する記録幅を４ドットに設定するか否かを判定する。ステップＳ２５の判定結果がＮＯの場合は処理がステップＳ１２へ戻り、ＹＥＳの場合は次のステップ（図示せず）へ進む。
【０２７６】
上記ステップＳ２２〜Ｓ２５により、３ドット目の隣接ドットの色相が判定され、境界部分において浸透性の高い黒のインクで記録する記録幅を３ドットに設定される。以下同様にして、境界部分において浸透性の高い黒のインクで記録する記録幅がｐドットに設定されるまで、上記の如き動作が繰り返される。
【０２７７】
次に、隣接する領域の色相の明度差に応じて、色境界部分において浸透性の高い黒のインクで記録する記録幅を調整する場合の黒データの境界色判別部２０、黒データの分離部２１及びドット制御部２２の動作について、図２２と共に説明する。図２２は、この場合の黒データの境界色判別部２０、黒データの分離部２１及びドット制御部２２の動作を示すフローチャートである。
【０２７８】
図２２では、色相を数値で表す。説明の便宜上、明度の高い順に、白ぬき（データなし）＝０、Ｙ＝２、Ｍ＝３、Ｃ＝４、Ｒ（Ｙ＋Ｍ）＝５、Ｇ（Ｙ＋Ｃ）＝６、Ｂ（Ｍ＋Ｃ）＝７、Ｋ＝Ｋ’＝９とする。黒（Ｋ，Ｋ’）との明度差が大きく、境界部分でブリードが目立つ順に、境界部分での浸透性の高い黒のインクで記録する記録幅、即ち、Ｋ’をＫに置き換えるドット数を、Ｙでは３ドット、Ｍ、Ｃ、Ｒ、Ｇでは２ドット、Ｂでは１ドットとした場合の動作を以下に説明する。
【０２７９】
図２２中、ステップＳ３１は、ドット記録位置Ｄｍ，ｎに対する画像データｄｍ，ｎが存在するか否か、即ち、ｄｍ，ｎ≠０で黒又は他の色相による記録が行われるべきか否かを判定する。ドット記録位置Ｄｍ，ｎが白ぬきでステップＳ３１の判定結果がＮＯの場合、ステップＳ３２で次のドット記録位置を検索するためにｍをｍ＋１に設定するか、ｎをｎ＋１に設定する。初期状態では、ｍ＝１及びｎ＝１であり、この状態から順次ドット記録位置を検索する。従って、最初はステップＳ３２においてｍがｍ＋１に設定され、ｍ＝ａまでの検索が行われると、今度はステップＳ３２においてｎがｎ＋１に設定されて、ｎ＝ｂとなるまで検索が順次繰り返される。他方、ステップＳ３１の判定結果がＹＥＳの場合、ステップＳ３３でドット記録位置Ｄｍ，ｎに対する画像データｄｍ，ｎ＝９、即ち、ｄＫｍ，ｎ＝１であるか否かを判定する。ステップＳ３３の判定結果がＮＯであれば処理はステップＳ３２に戻るが、ＹＥＳであれば処理は後述するステップＳ３４へ進む。
【０２８０】
上記ステップＳ３１〜Ｓ３３により、黒又は他の色相による記録が行われるべきか否かの判断及び色相の判別がなされる。ステップＳ３４は、ドット記録位置Ｄｍ，ｎに隣接するいずれかのドット記録位置Ｄｘ，ｙに対する画像データｄｘ，ｙが存在するか否か、即ち、ｄｘ，ｙ＝≠０で黒又は他の色相による記録が行われるべきか否かを判定する。ここで、（ｘ，ｙ）は（ｍ，ｎ＋１）、（ｍ＋１，ｎ）、（ｍ＋１，ｎ＋１）である。全てのドット記録位置Ｄｘ，ｙが白ぬきでステップＳ３４の判定結果がＮＯの場合、処理はステップＳ４５へ進む。ステップＳ４５は、画像データｄＫｍ，ｎを０に設定すると共に、画像データｄＫ’ｍ，ｎを１に設定し、その後処理がステップＳ３２へ戻る。他方、ステップＳ３４の判定結果がＹＥＳの場合は、ステップＳ３５でいずれかのドット記録位置Ｄｘ，ｙに対する画像データｄｘ，ｙが黒、即ち、ｄｘ，ｙ＝９であるか否かを判定する。ステップＳ３５の判定結果がＮＯの場合、ステップＳ３６は画像データｄＫ’ｍ，ｎを０に設定して処理がステップＳ３２へ戻る。又、ステップＳ３５の判定結果がＹＥＳの場合は、後述するステップＳ３７へ進む。
【０２８１】
上記ステップＳ３４〜Ｓ３６により、１ドット目の隣接ドットの色相が判定され、境界部分において浸透性の高い黒のインクで記録する記録幅を１ドットに設定される。ステップＳ３７は、ドット記録位置Ｄｍ，ｎに隣接するいずれかのドット記録位置Ｄｘ，ｙに対する画像データｄｘ，ｙが存在するか否か、即ち、ｄｘ，ｙ≠０で黒又は他の色相による記録が行われるべきか否かを判定する。ここで、（ｘ，ｙ）は（ｍ，ｎ＋２）、（ｍ＋１，ｎ＋２）、（ｍ＋２，ｎ）、（ｍ＋２，ｎ＋１）、（ｍ＋２，ｎ＋２）である。全てのドット記録位置Ｄｘ，ｙが白ぬきでステップＳ３７の判定結果がＮＯの場合、処理は上記ステップＳ４５へ進む。他方、ステップＳ３７の判定結果がＹＥＳの場合は、ステップ３８でいずれかのドット記録位置Ｄｘ，ｙに対する画像データｄｘ，ｙが黒、即ち、ｄｘ，ｙ＝９であるか否かを判定する。ステップＳ３８の判定結果がＮＯの場合、ステップＳ３９はｄｘ，ｙが０〜７であるか否かを判定することにより、ｄｘ，ｙの色相が黒以外であるか否かを判定する。ステップＳ３９の判定結果がＹＥＳの場合は、処理がステップＳ４５へ進む。他方、ステップＳ３９の判定結果がＮＯの場合は、ステップＳ４０で画像データｄＫ’ｍ，ｎを０に設定して処理がステップＳ３２へ戻る。又、ステップＳ３８の判定結果がＹＥＳの場合は、後述するステップＳ４１へ進む。
【０２８２】
上記ステップＳ３７〜Ｓ４０により、２ドット目の隣接ドットの色相が判定され、境界部分において浸透性の高い黒のインクで記録する記録幅を２ドットに設定される。ステップＳ４１は、ドット記録位置Ｄｍ，ｎに隣接するいずれかのドット記録位置Ｄｘ，ｙに対する画像データｄｘ，ｙが存在するか否か、即ち、ｄｘ，ｙ≠０で黒又は他の色相による記録が行われるべきか否かを判定する。ここで、（ｘ，ｙ）は（ｍ，ｎ＋３）、（ｍ＋１，ｎ＋３）、（ｍ＋２，ｎ＋３）、（ｍ＋３，ｎ）、（ｍ＋３，ｎ＋１）、（ｍ＋３，ｎ＋２）、（ｍ＋３，ｎ＋３）である。全てのドット記録位置Ｄｘ，ｙが白ぬきでステップＳ４１の判定結果がＮＯの場合、処理は上記ステップＳ４５へ進む。他方、ステップＳ４１の判定結果がＹＥＳの場合は、ステップ４２でいずれかのドット記録位置Ｄｘ，ｙに対する画像データｄｘ，ｙが黒、即ち、ｄｘ，ｙ＝９であるか否かを判定する。ステップＳ４２の判定結果がＮＯの場合、ステップＳ４３はｄｘ，ｙが２以外であるか否かを判定することにより、ｄｘ，ｙの色相がイエロー以外であるか否かを判定する。ステップＳ４２又はＳ４３の判定結果がＹＥＳの場合は、処理がステップＳ４５へ進む。他方、ステップＳ４３の判定結果がＮＯの場合は、ステップＳ４４で画像データｄＫ’ｍ，ｎを０に設定して処理がステップＳ３２へ戻る。
【０２８３】
上記ステップＳ４１〜Ｓ４４により、３ドット目の隣接ドットの色相が判定され、境界部分において浸透性の高い黒のインクで記録する記録幅を３ドットに設定される。次に、隣接する領域を記録するインクの量に応じて、色境界部分において浸透性の高い黒のインクで記録する記録幅を調整する場合の黒データの境界色判別部２０、黒データの分離部２１及びドット制御部２２の動作について、図２３と共に説明する。図２３は、この場合の黒データの境界色判別部２０、黒データの分離部２１及びドット制御部２２の動作を示すフローチャートである。図２３中、図２２と同一ステップには同一符号を付し、その説明は省略する。
【０２８４】
図２３では、色相を数値で表す。説明の便宜上、明度の高い順に、白ぬき（データなし）＝０、Ｙ＝２、Ｍ＝３、Ｃ＝４、Ｒ（Ｙ＋Ｍ）＝５、Ｇ（Ｙ＋Ｃ）＝６、Ｂ（Ｍ＋Ｃ）＝７、Ｋ＝Ｋ’＝９とする。一次色Ｙ，Ｍ，Ｃを重ねて、二次色Ｒ，Ｇ，Ｂを記録する場合、一次色に比べて二次色のインクの量は約２倍になる。この時、境界部分の一次色側の部分では浸透性の高い黒のインクで記録する記録幅を１ドットに設定し、境界部分の二次色側の部分では浸透性の高い黒のインクで記録する記録幅を２ドットに設定した場合の動作を以下に説明する。
【０２８５】
図２３では、ステップＳ３８の判定結果がＹＥＳであると、処理はステップＳ４５へ進む。他方、ステップＳ３８の判定結果がＮＯであると、ステップＳ４９はｄｘ，ｙが４以上であるか否かを判定することにより、ｄｘ，ｙの色相がシアンかシアンより明度の低い色相であるか否かを判定する。ステップＳ４９の判定結果がＹＥＳの場合は、処理がステップＳ４５へ進む。他方、ステップＳ４９の判定結果がＮＯの場合は、ステップＳ４４で画像データｄＫ’ｍ，ｎを０に設定して処理がステップＳ３２へ戻る。
【０２８６】
次に、黒の領域内で、浸透性の高い黒のインクで記録する記録面積と浸透性の低い黒のインクで記録する記録面積との算出方法について、図２４と共に説明する。図２４は、浸透性の高い黒のインクで記録する記録面積と浸透性の低い黒のインクで記録する記録面積とを算出する場合の黒データの境界色判別部２０、黒データの分離部２１及びドット制御部２２の動作を示すフローチャートである。
【０２８７】
図２４では、色相を数値で表す。説明の便宜上、明度の高い順に、白ぬき（データなし）＝０、Ｙ＝２、Ｍ＝３、Ｃ＝４、Ｒ（Ｙ＋Ｍ）＝５、Ｇ（Ｙ＋Ｃ）＝６、Ｂ（Ｍ＋Ｃ）＝７、Ｋ＝Ｋ’＝９とする。又、インクジェット記録装置はシリアル記録方式を採用するものとし、例えばｍ＝１〜２９５０，ｎ＝１〜４８の一走査分のデータを対象として、浸透性の高い黒のインクで記録する記録面積と浸透性の低い黒のインクで記録する記録面積とを算出するものとする。更に、上記の如き処理により、黒データは、浸透性の高い黒のインクで記録する黒データｄＫｍ，ｎと浸透性の低い黒のインクで記録する黒データｄＫ’ｍ，ｎとに分解されているものとする。
【０２８８】
図２４中、ステップＳ５１は、例えば図１８R>８に示したメモリ２６又はバッファメモリ内の画像データを対象として、ｍ＜２９５０又はｎ＜４８であるか否かを判定する。ステップＳ５１の判定結果がＮＯであれば、処理は後述するステップＳ５９へ進む。他方、ステップＳ５１の判定結果がＹＥＳの場合は、ステップＳ５２でドット記録位置Ｄｍ，ｎに対する画像データｄｍ，ｎがｄｍ，ｎ＝９であるか否か、即ち、画像データｄｍ，ｎが黒を表すか否かを判定する。ステップＳ５２の判定結果がＮＯであれば、ステップＳ５３で次のドット記録位置を検索するためにｍをｍ＋１に設定するか、ｎをｎ＋１に設定する。初期状態では、ｍ＝１及びｎ＝１であり、この状態から順次ドット記録位置を検索する。従って、最初はステップＳ５３においてｍがｍ＋１に設定され、ｍ＝２９５０までの検索が行われると、今度はステップＳ５３においてｎがｎ＋１に設定されて、ｎ＝４８となるまで検索が順次繰り返される。他方、ステップＳ５２の判定結果がＹＥＳの場合は、処理が後述するステップＳ５４へ進む。
【０２８９】
ステップＳ５４は、ドット記録位置Ｄｍ，ｎに隣接するいずれかのドット記録位置Ｄｘ，ｙに対する画像データｄｘ，ｙがｄｘ，ｙ＝９であるか否か、即ち、ｄｘ，ｙが黒を表すか否かを判定する。ここで、（ｘ，ｙ）は（ｍ−１，ｎ−１）、（ｍ，ｎ−１）、（ｍ＋１，ｎ−１）、（ｍ−１，ｎ）、（ｍ＋１，ｎ）、（ｍ−１，ｎ＋１）、（ｍ，ｎ−１）、（ｍ＋１，ｎ＋１）、１≦ｘ≦２９５０、１≦ｙ≦４８である。ステップＳ５４の判定結果がＮＯであると、単独で孤立したドットは無視して処理はステップＳ５３へ戻る。他方、ステップＳ５４の判定結果がＹＥＳの場合は、ステップＳ５５で画像データｄｐｑをｄｐｑ＝９に設定する。
【０２９０】
ステップＳ５６は、ｐ＝ｍ−１、且つ、ｑ＝ｎ又はｑ＝ｎ−１であるか否かを判定する。ステップＳ５６の判定結果がＮＯであれば、ステップＳ５７で（ｍ，ｎ）をメモリ２６又はバッファメモリ内の新規メモリ領域Ｍｒに格納し、処理がステップＳ５３へ戻る。他方、ステップＳ５６の判定結果がＹＥＳの場合は、ステップＳ５８で（ｍ，ｎ）を（ｐ，ｑ）を格納しているメモリ２６又はバッファメモリ内の既存メモリ領域Ｍｏに格納する。ここで、ｏ＜ｒである。ステップＳ５８の後、処理はステップＳ５３へ戻る。
【０２９１】
上記ステップＳ５１の判定結果がＮＯの場合、ステップＳ５９は同一既存メモリ領域Ｍｏ内の各座標（ｖ，ｗ）に該当する画像データｄＫｖ，ｗ，ｄＫ’ｖ，ｗの個数を各々算出する。これにより、記録面積が算出される。又、ステップＳ６０は、ステップＳ５９で算出された個数、即ち、算出された記録面積を比較して、この比較結果に基づいて浸透性の高い黒のインクで記録する記録面積と浸透性の低い黒のインクで記録する記録面積との記録順序を決定する。図１８に示した駆動部２３は、この様にして決定された記録順序に基づいてヘッド部４５の各ヘッドを駆動する。
【０２９２】
次に、本発明になるインクジェット記録装置の第２実施例を説明する。インクジェット記録装置の第２実施例では、本発明になるインクジェット記録方法の第２実施例及び本発明になるインク及びインクカートリッジの第２実施例を用いる。インクジェット記録装置及びインクカートリッジの構成は、図１及び図２に示したものと同様のものを使用できるので、これらの図示及び説明は省略する。
【０２９３】
本実施例では、黒のインクを含めた複数の異なる色のインクを用いてカラー画像を記録する際に、各色のインクのＲｆ値を所定の条件を満足するように設定する。つまり、少なくとも１つのインクのＲｆ値を他のインクのＲｆ値と異ならせ、且つ、明度の低い色のインクの方が明度の高い色のインクよりもＲｆ値が低いようにする。
【０２９４】
ここで、Ｒｆ値とは、以下に規定するペーパークロマト法により得られる色材の移動率の値を示す。即ち、Ｒｆ値が高い色材程、普通紙上のセルロース繊維との親和力が低くなり、記録媒体に対して広がり易くなる。Ｒｆ値は次の様に求められる。
【０２９５】
所望の色材を、重量比５５／４５の水／ジエチレングリコール混合溶媒に５重量％溶解させて、試験を行うための試験液を得る。この様にして得た試験液を、東洋ろ紙株式会社製の商品名トーヨー・フィルター・ペーパーＮｏ．５０なるフィルタの下端部に２μｌチャージした後、上記混合溶媒を展開溶媒として常法に従って所定時間展開を行う。この展開の結果、チャージ点から展開溶媒の展開距離Ａ及びチャージ点からの染料の移動距離Ｂを測定し、両者の比であるＢ／Ａ＝Ｒｆ値を求める。
【０２９６】
本実施例では、インクジェット記録液、即ち、インクを構成する液媒体に、水及び水と水溶性の有機溶媒との混合物を使用する。有機溶媒としては、メタノール，エタノール，（ノルマル）プロピルアルコール，イソプロピルアルコール等の１価アルコール、エチレングリコール，プロピレングリコール，ブチレングリコール，ヘキシレングリコール，ジエチレングリコール，トリエチレングリコール等の２価アルコール、グリセリン等の３価アルコール、ポリエチレングリコール，ポリブチレングリコール等のポリアルキレングリコール、Ｎ−メチル−２−ピロリドン，１，３−ジメチル−２−イミダゾリジノン等の含窒素複素環式化合物、エチレングリコールモノメチルエーテル，ジエチレングリコールモノメチルエーテル，トリエチレングリコールモノメチルエーテル等の多価アルコールの低級アルキルエーテル等が使用可能であり、これらを１種類以上混合して使用しても良い。特に、これらの中でも２価以上の多価アルコール等の蒸発しにくく吸湿性のあるものを使用することが好ましい。
【０２９７】
インク中における上記有機溶媒の含有量は、５〜８０重量％であり、好ましくは５〜５０重量％の範囲内である。これは、有機溶媒の含有量が５重量％未満であると、インクの乾燥が速くなったり、染料の溶解性が低下したりしてインク中の染料が析出し易くなり目詰まりを生じ易く、又、８０重量％を越えるとインクの粘度が高くなってしまいヘッドのノズルからインクを噴射しにくくなってしまうからである。
【０２９８】
本実施例で使用するインクの基本組成は以上の通りであるが、必要に応じてその他の分散剤、カチオン系，アニオン系，ノニオン系等の界面活性剤、ポリビニルアルコール，セルロース類，水溶性樹脂等の粘度調整剤、ジエタノールアミン，トリエタノールアミン等のｐＨ調整剤等を添加しても良いことは言うまでもない。
【０２９９】
本発明者らは、先ず以下の如き組成１で、且つ、Ｒｆ値が殆ど同じイエロー、マゼンタ、シアン及び黒のインクを使用してカラー画像の記録を行った。
【０３００】
（組成１）
染料 ２重量％ イエロー：Ｃ．Ｉ．アシッドイエロー２３，Ｒｆ値＝０．９０ マゼンタ：Ｃ．Ｉ．アシッドレッド２６５，Ｒｆ値＝０．９１ シアン ：Ｃ．Ｉ．アシッドブルー１２０，Ｒｆ値＝０．９１ 黒 ：Ｃ．Ｉ．アシッドブラック１３９，Ｒｆ値＝０．９０ジエチレングリコール １０重量％エチルアルコール ５重量％エチレングリコールジベンジルエーテル １重量％蒸留水 ８８重量％上記組成１を使用した場合、図２５に示すように、ある色のベタ記録領域３１と別の色のベタ記録領域３２とが隣接する境界部分３３で、意図せぬ色の混じり合い、即ち、ブリード３４が発生した。このブリード３４のために、記録画像が不鮮明になり、シャープさの欠けた画像しか得られなかった。特に、異なる色の境界部分で生じるブリードは、黄色と他色との境界部分において目立った。これは、人間の目による視覚的影響によるもので、明度差の大きい色との境界部分において、人間の目には明度の低い方から高い方へにじんだように見えるためと考えられる。
【０３０１】
図２６は、図２５のブリードを模式的に示す図である。図２６中、図２５と同一部分には同一符号を付し、その説明は省略する。図２６中、黄色領域３１と青色領域３２との境界部分３３には、イエローとマゼンタとシアンとが混合した黒っぽいブリード領域３４が生じる。このブリード領域３４の黒っぽい色と青領域３２の青色との明度差は比較的小さいので、ブリード部分は目立ちにくい。しかし、黄色領域３１の黄色とブリード領域３４の黒っぽい色との明度差は大きいので、ブリード部分は目立つ。このため、人間の目には、あたかも明度の低い青色領域３２から明度の高い黄色領域３１の方へブリードが生じたかのように見えると考えられる。
【０３０２】
そこで、本実施例では、各色のインクの溶媒組成比は変えずに、明度の低い色のインクの染料のＲｆ値が明度の高い色のインクの染料のＲｆ値より低くなるように染料を選択する。つまり、以下に示すように、イエロー、マゼンタ、シアン及び黒の染料のＲｆ値Ｙｒ、Ｍｒ、Ｃｒ及びＫｒが夫々Ｙｒ＞Ｍｒ≧Ｃｒ＞Ｋｒなる関係を満足するように各Ｒｆ値を選択する。又、明度の低い色のインクほど、記録媒体として使われる紙の主成分であるセルロース繊維との親和力を大きく設定する。この結果、ブリードを目立たなくすることができる。
【０３０３】
本発明者らは、これらの条件を満足する以下の如き組成２のイエロー、マゼンタ、シアン及び黒のインクを使用してカラー画像の記録を行った。
【０３０４】
（組成２）
染料 ２重量％ イエロー：Ｃ．Ｉ．アシッドイエロー２３，Ｒｆ値＝０．９０ マゼンタ：Ｃ．Ｉ．アシッドレッド１６１，Ｒｆ値＝０．８６ シアン ：Ｃ．Ｉ．ダイレクトブルー８６，Ｒｆ値＝０．８６ 黒 ：Ｃ．Ｉ．ダイレクトブラック１５４，Ｒｆ値＝０．７２ジエチレングリコール １０重量％エチルアルコール ５重量％エチレングリコールジベンジルエーテル １重量％蒸留水 ８８重量％上記組成２を使用した場合、従来特に目立ち易かった黄色と他色との境界部分でのブリードが殆ど目立たなくなることが確認できた。これは、シアン、マゼンタ及び黒のインクがイエローのインクに流れ込もうとする力よりも、イエローのインクが他色のインクに流れ込もうとする力の方が強いため、他色のインクが境界部分を越えて黄色領域に侵入しにくくなったからと考えられる。これと同様の理由で、黒のインクが他色のインクに流れ込むことも防止することができ、鮮明なカラー画像の記録が可能となることも確認できた。
【０３０５】
更に、本発明者らは、特にブリードが目立ち易い黄色領域と黒領域を隣接して記録する場合に、使用するイエローと黒のインクのＲｆ値の差のブリードへの影響を実験により調べた。この結果、Ｒｆ値の差とブリードの程度との関係は、図２７に示すようになった。図２７中、横軸はＲｆ値の差、縦軸はブリードの程度を主観評価で示す。主観評価の値は、５の場合は大いに満足、４の場合は満足、３の場合は我慢できる、２の場合は不満、１の場合は大いに不満を示し、値が大きい程ブリードが目立たない。図２７からわかるように、主観評価の値が３以上となるためには、Ｒｆ値の差が０．０４以上、望ましくは（主観評価の値を４以上とするには）０．１以上である必要があることが確認できた。
【０３０６】
尚、インクジェット記録装置において、上記組成２の各色のインクを使用してカラー画像の記録を行う際には、上記第１実施例でも説明したように、明度の低い色のインクから順に用いて記録を行うことが望ましい。これは、後から記録媒体に付着するインクは、先に付着しているインクに引き寄せられてブリードを生じ易い傾向にあるからである。本発明者らの実験によれば、セルロース繊維との親和力が強い黒のインクによる記録を最初に行い、親和力の弱いイエローのインクによる記録を最後に行うとブリードを防止する効果が特に向上された。
【０３０７】
更に、本発明者らは、組成２と同じ条件を満足する以下の如き組成３のイエロー、マゼンタ、シアン及び黒のインクを使用してカラー画像の記録を行った。
【０３０８】
（組成３）
イエローのインク染料 ２重量％ イエロー：Ｃ．Ｉ．アシッドイエロー２３，Ｒｆ値＝０．９０ジエチレングリコール １０重量％エチルアルコール ５重量％エチレングリコールジベンジルエーテル １重量％アニオン系界面活性剤 ０．５重量％蒸留水 ８７．５重量％マゼンタのインク染料 ２重量％ マゼンタ：Ｃ．Ｉ．アシッドレッド１６１，Ｒｆ値＝０．８６ジエチレングリコール １０重量％エチルアルコール ５重量％エチレングリコールジベンジルエーテル １重量％アニオン系界面活性剤 ０．３重量％蒸留水 ８７．７重量％シアンのインク染料 ２重量％ シアン ：Ｃ．Ｉ．ダイレクトブルー８６，Ｒｆ値＝０．８６ジエチレングリコール １０重量％エチルアルコール ５重量％エチレングリコールジベンジルエーテル １重量％アニオン系界面活性剤 ０．２重量％蒸留水 ８７．８重量％黒のインク染料 ２重量％ 黒 ：Ｃ．Ｉ．ダイレクトブラック１５４，Ｒｆ値＝０．７２ジエチレングリコール １０重量％エチルアルコール ５重量％エチレングリコールジベンジルエーテル １重量％蒸留水 ８８重量％上記組成３を使用した場合、浸透効果のある界面活性剤を各色のインク毎に変えて添加しているので、明度の低い色のインクの浸透性を明度の高い色のインクの浸透性より低くできる。この結果、境界部分でのブリードを防止する効果が更に向上することが確認できた。
【０３０９】
本発明者らは、各インクの浸透性をブリストー法により比較したところ、図２８に示すように、明度の一番低い黒のインクの馴染み時間が一番短く、シアン及びマゼンタのインクの馴染み時間は同程度、明度の高いイエローのインクの馴染み時間が一番長くなった。図２８中、横軸はインクの記録媒体上の接触時間、縦軸はインクの浸透量を示す。又、Ｙ、Ｍ、Ｃ及びＫは、夫々イエロー、マゼンタ、シアン及び黒のインクに対応している。これらのインクで記録を行った結果を調べたところ、ブリードが更に軽減され、非常に鮮明なカラー画像が記録できることが確認された。
【０３１０】
ところで、従来のインクジェット記録方式では、ノート、レポート用紙、コピー用紙、便箋等の一般に使用される紙を記録媒体として用いると、満足する記録品位を得ることは非常に難しかった。これは、紙に付着するインクが紙の繊維に沿って広がり、にじみが生じるからである。このため、細い罫線、細かい文字、ＪＩＳ第二水準として規定されているような複雑な漢字等が不鮮明で見ずらい場合が多かった。
【０３１１】
又、水性インクを使って筆記する場合ににじみが発生しにくいように、サイズ処理が施された紙もある。このようなサイズ処理を施された紙に対してインクジェット記録装置により記録を行うと、インクが紙の内部へ浸透しにくいので、記録画像や文字の定着性が悪い。このため、ユーザが手で紙上の記録画像や文字に触れたり、連続記録の場合のように記録済みの紙が順次スタックされる場合には、記録画像や文字がかすれてしまうこともあった。更に、インクの定着性が悪いと、異なる色相のインクの境界部分でブリードが容易に発生してしまった。
【０３１２】
これらの不都合を解消する方法として、上記方法（１）〜（７）に加えて、特開平６−１４３７９５号公報にも１つの方法が提案されている。この提案方法では、使用するインクを、ポリテトラフルオロエチレン（ＰＴＦＥ）表面上での接触角で規定している。インクのＰＴＦＥに対する接触角は、ＰＴＦＥの表面粗さによって大きく左右される。又、本発明者らがＰＴＦＥに対する接触角と実際の記録媒体に対する接触角との関係を調べたところ、相関性がなく、ＰＴＦＥに対する接触角のみでインクを規定したのでは、上記不都合を解消するのには不十分であることがわかった。
【０３１３】
そこで、サイジングされ、且つ、記録面に紙の繊維が露呈している、所謂普通紙と呼ばれている記録媒体に対しても、インクジェット記録によりにじみやブリードを効果的に抑制することのできる実施例を次に説明する。本発明になるインクジェット記録装置の第３実施例を説明する。インクジェット記録装置の第３実施例では、本発明になるインクジェット記録方法の第３実施例及び本発明になるインク及びインクカートリッジの第３実施例を用いる。インクジェット記録装置及びインクカートリッジの構成は、図１及び図２に示したものと同様のものを使用できるので、これらの図示及び説明は省略する。
【０３１４】
本実施例では、２種類以上の異なる色相のインクを使用して記録を行う際に、少なくとも１種類が他の種類のインクに対して４ｄｙｎｅ／ｃｍ以上の表面張力の差を有する。又、表面張力の高い方のインクは文字等の線画を記録するのに用い、表面張力の低い方のインクは図形等の一般画像（又は、面画）を記録するのに用いる。尚、後述するように、表面張力の高い方のインクの表面張力は好ましくは４９ｄｙｎｅ／ｃｍ以上で、表面張力の低い方のインクの表面張力は好ましくは４５ｄｙｎｅ／ｃｍ以下である。
【０３１５】
本発明者らは、文字等の線画を記録する場合、にじみの大きなインクを使用しても、記録媒体との色差が少なければにじみが目立たず実際の使用に充分耐え得ることを実験により確認した。又、通常の場合、文字を記録するのに使用するインクは殆ど黒のインクであるので、本実施例では、文字等の線画と一般の画像とに２種類のインクを使用するのは、通常白である記録媒体との色差が大きい色相のみか、或は、黒のみに限定する。これにより、インクの種類の減少及びヘッドの数の減少が実現でき、インクジェット記録装置の構成の簡単化と低価格化が可能となる。
【０３１６】
又、本発明者らは、種々の主観評価を交えた検討の結果、線のにじみ量が１５μｍ以下で、ブリード量が２００μｍ以下であれば、記録品位としては満足できることを実験により確認した。尚、にじみ量とは、線のエッジのギザギザのことである。図２９に示すように、線のエッジを細分化して仮想線から各エッジまでの距離を測定し、その距離（凹凸量）の平均が０になるように最小二乗法により直線近似を行い、その凹凸量の標準偏差σをにじみ量とした。
【０３１７】
他方、ブリード量とは、図３０に示すように、隣接した異なる色相の境界線からインクがはみ出している面積を算出し、この面積を境界線の長さで割って、単位長さ当りに対してインクが流れ出た長さで評価した。このような評価を行ったのは、面積では境界部分の長さによってブリード量が左右されるからである。
【０３１８】
図３１は、インクの表面張力とにじみ量との関係を示す図である。又、図３２は、インクの表面張力とブリード量との関係を示す図である。図３１から、にじみ量を１５μｍ以下とするには、表面張力を４９ｄｙｎｅ／ｃｍ以上にする必要があることがわかった。更に、図３２から、ブリード量を２００μｍ以下とするには、表面張力を４５ｄｙｎｅ／ｃｍ以下にする必要があることがわかった。
【０３１９】
上記表面張力の範囲内で同じ表面張力を有する黒とイエローのインクＡｋ，Ａｙと、同じく上記表面張力の範囲内でインクＡｋ，Ａｙとは異なる表面張力の黒とイエローのインクＢｋ，Ｂｙとを用いて記録を行い、にじみとブリードの評価を行った評価結果を図３３に示す。評価のために、３ドット幅の線画と、ベタの画像とを記録した。又、線画のにじみは黒で、ベタのブリードは黒と黄色との境界部分とし、色差が最も大きい関係にある色相を記録した。図３３中、○印はにじみ量が１５μｍ以下又はブリード量が２００μｍ以下であることを示し、×印はにじみ量又はブリード量がこれら以外であることを示す。
【０３２０】
図３３からわかるように、インクＡｋ，Ａｙの場合、表面張力は５３ｄｙｎｅ／ｃｍであり、にじみ量は充分に小さいがブリード量が大きい。他方、インクＢｋ，Ｂｙの場合、表面張力は３３．６ｄｙｎｅ／ｃｍであり、ブリード量は充分に小さいがにじみ量が大きい。これにより、インクＡｋ，Ａｙは文字等の線画を記録するのに適しており、インクＢｋ，Ｂｙは一般の画像を記録するのに適していることが確認できた。
【０３２１】
本実施例は、インクの色相と記録媒体の色相との色差が大きい程効果的である。通常、記録媒体の色相は白であるため、インクの色相が黒である場合に本実施例の効果が最も大きい。次に、本発明になるインクジェット記録装置の第４実施例を説明する。インクジェット記録装置の第４実施例では、本発明になるインクジェット記録方法の第４実施例及び本発明になるインク及びインクカートリッジの第４実施例を用いる。インクジェット記録装置及びインクカートリッジの構成は、図１及び図２に示したものと同様のものを使用できるので、これらの図示及び説明は省略する。
【０３２２】
上記の如く、ブリードを低減するには定着時間が短い浸透性の高いインクを用いることが有効であるが、浸透性の高いインクはにじみ易く、文字や表等の記録には適していない。他方、にじみを抑さえて高品位の記録を行うには浸透性の低いインクを用いることが有効であるが、この場合には定着時間が長くなり、ブリードが増加してしまう。
【０３２３】
そこで、記録する画像の種類に応じて異なる浸透性のインクを使用することが上記ブリード及びにじみを低減するのに有効であるが、単に浸透性の異なるインクを用いただけでは記録濃度が使用したインク毎に異なってしまう。例えば、文字と図形等が混在する画像を記録すると、記録濃度が使用したインク毎に異なってしまうため、記録する画像の種類や使用するインクの色相によっては、十分高品位な記録を行えない場合もある。尚、記録濃度（ＯＤ）とは、印字率が１００％の記録を行った際の濃度を示し、黒色のインクを用いて記録した場合には光学反射濃度を指し、黒色以外の色相のインクを用いて記録した場合にはステータスＡ濃度を指す。
【０３２４】
本実施例では、色相は同じで浸透性の異なる２種類のインクを少なくとも１つの色相について使用し、異なる色相のインクが記録媒体上で隣接しない画像を記録する際には浸透性の低い方のインクを使用して記録を行い、異なる色相のインクが記録媒体上で隣接する画像を記録する際には浸透性の高い方のインクを使用して記録を行う。更に、２種類のインクの色材の濃度（以下、色材濃度と言う）は、２種類のインクによる記録媒体上の記録濃度が略同じとなるように、互いに異なる値に設定される。尚、色材には染料や顔料等が含まれる。
【０３２５】
本発明者らは、インクの染料に黒の染料を用い、記録媒体に一般的に良く使用されているゼロックス社製の普通紙Ｘｅｒｏｘ４０２４ＤＰを用いて実験を行い、以下の実験結果を得た。先ず、第１の実験Ｅｘ１では、夫々同じ染料濃度を有する黒の染料を用いた浸透性の低いインクＩ１と浸透性の高いインクＩ２を使用して、記録媒体に対して印字率１００％の画像を記録した。図３４は、インクＩ１，Ｉ２の染料濃度と、測定された記録媒体上の記録濃度を示す図である。同図からわかるように、同じ染料濃度のインクＩ１，Ｉ２を使用したのでは、記録濃度に大きな差が生じてしまう。尚、図３４３４及び後述する図３５〜図３７では、染料濃度が重量パーセント（ｗｔ％）で表されている。
【０３２６】
これに対し、第２の実験Ｅｘ２では、互いに異なる染料濃度を有する黒の染料を用いた浸透性の低いインクＩ３と浸透性の高いインクＩ４を使用して、上記実験Ｅｘ１と同様に記録媒体に対して印字率１００％の画像を記録した。図３５は、インクＩ３，Ｉ４の色材濃度と、測定された記録媒体上の記録濃度を示す図である。同図からわかるように、互いに異なる染料濃度のインクＩ３，Ｉ４を使用すると、記録濃度にが略同じになることが確認された。より具体的には、浸透性の低いインクＩ３の色材濃度を、浸透性の高いインクＩ４の色材濃度より低く設定することにより、記録媒体上の記録濃度を２種類のインクＩ３，Ｉ４について略同じとすることができる。
【０３２７】
従って、本実施例によれば、ブリード及びにじみを効果的に、且つ、確実に抑制することができる。一般に、カラーインクジェット記録装置では、イエロー、マゼンタ、シアン及び黒の４色のインクを備えているが、記録媒体の色相が通常は白色であるので、イエローのインクを使用して文字や表等を記録することは非常にまれである。又、仮にイエローのインクを使用して文字や表等を記録媒体に記録したとしても、イエローのインクのにじみは殆ど目立たない。このため、本実施例の効果は、色相が同じで浸透性の異なる２種類のインクと記録媒体の色相との色差又は明度差が大きい程大きく、インクの色相が黒色で記録媒体の色相が白色の場合の効果が最も大きい。
【０３２８】
尚、本発明者らは、十分に高い記録品位を得られる記録濃度を主観評価等を行って調べたところ、記録媒体が普通紙の場合には記録濃度が０．９以上であれば記録品位が許容範囲内となり、又、記録媒体がインクジェット記録専用のインクジェット記録用紙の場合には専用紙のため要求値が普通紙の場合より高く記録濃度が１．３以上であれば許容範囲内となることがわかった。更に、同じ色相で浸透性の異なる２種類のインクを用いた画像記録の場合には、記録媒体の種類に拘らず、夫々のインクによる記録濃度の差が約０．３以下であれば許容範囲内の記録品位が得られることもわかった。
【０３２９】
通常、記録濃度の差が０．３もあると、人間の目にはかなり大きな違いとして検知されるが、本実施例では浸透性の異なる２種類のインクは画像の種類に応じて使い分けされるので、本発明者らは記録される画像全体としては大きな違いとしては見えないことを見いだした。例えば、線画として文字を記録すると共に、図形等の一般画像として印字率１００％のパターンを記録してこれらの記録媒体上の記録濃度を比較したところ、記録濃度の差が０．３以下の場合には十分許容範囲内の記録品位が得られることが確認できた。尚、この場合の線画を記録するのに用いたインクの記録媒体上の記録濃度は、そのインクを用いて印字率１００％のパターンを記録した時の記録濃度である。
【０３３０】
次に、本発明になるインクジェット記録装置の第５実施例を説明する。インクジェット記録装置の第５実施例では、本発明になるインクジェット記録方法の第５実施例及び本発明になるインク及びインクカートリッジの第５実施例を用いる。インクジェット記録装置及びインクカートリッジの構成は、図１及び図２に示したものと同様のものを使用できるので、これらの図示及び説明は省略する。
【０３３１】
本実施例では、色相は同じで浸透性の異なる２種類のインクを少なくとも１つの色相について使用し、異なる色相のインクが記録媒体上で隣接しない画像を記録する際には浸透性の低い方のインクを使用して記録を行い、異なる色相のインクが記録媒体上で隣接する画像を記録する際には浸透性の高い方のインクを使用して記録を行う。更に、記録媒体上の記録濃度が低い方のインク（この場合、浸透性の高い方のインク）を使用して記録を行う際には、複数回重ねて記録を行う。
【０３３２】
本発明者らは、インクの染料に黒の染料を用い、記録媒体に一般的に良く使用されている普通紙Ｘｅｒｏｘ４０２４ＤＰを用いて実験を行い、以下の実験結果を得た。先ず、第３の実験Ｅｘ３では、互いに異なる染料濃度を有する黒の染料を用いた浸透性の低いインクＩ３と浸透性の高いインクＩ４を使用して、上記実験Ｅｘ２と同様に記録媒体に対して印字率１００％の画像を記録し、浸透性の高いインクＩ４を使用した記録は所謂重ね記録を行うことにより複数回行った。図３６は、インクＩ４を使用した記録回数である重複度と、測定された記録媒体上の記録濃度を示す図である。同図からわかるように、染料濃度の高いインクＩ４を使用した記録を複数回行って得られる記録濃度が、浸透性の低いインクＩ３を使用した記録により得られる記録濃度と略同じになることが確認された。より具体的には、浸透性の高いインクＩ４を使用した記録を複数回行うと共に、浸透性の低いインクＩ３を使用した記録を１回行うことにより、記録媒体上の記録濃度を２種類のインクＩ３，Ｉ４について略同じとすることができる。
【０３３３】
従って、本実施例によれば、ブリード及びにじみを効果的に、且つ、確実に抑制することができる。一般に、カラーインクジェット記録装置では、イエロー、マゼンタ、シアン及び黒の４色のインクを備えているが、記録媒体の色相が通常は白色であるので、イエローのインクを使用して文字や表等を記録することは非常にまれである。又、仮にイエローのインクを使用して文字や表等を記録媒体に記録したとしても、イエローのインクのにじみは殆ど目立たない。このため、本実施例の効果は、色相が同じで浸透性の異なる２種類のインクと記録媒体の色相との色差又は明度差が大きい程大きく、インクの色相が黒色で記録媒体の色相が白色の場合の効果が最も大きい。
【０３３４】
尚、本実施例においても、記録媒体が普通紙の場合には記録濃度が０．９以上であれば記録品位が許容範囲内となり、又、記録媒体がインクジェット記録専用のインクジェット記録用紙の場合には記録濃度が１．３以上であれば許容範囲内となる。更に、同じ色相で浸透性の異なる２種類のインクを用いた画像記録の場合には、記録媒体の種類に拘らず、夫々のインクによる記録濃度の差が約０．３以下であれば許容範囲内の記録品位が得られる。
【０３３５】
次に、第５実施例の変形例を説明する。本変形例では、上記第５実施例と同様に、色相は同じで浸透性の異なる２種類のインクを少なくとも１つの色相について使用し、異なる色相のインクが記録媒体上で隣接しない画像を記録する際には浸透性の低い方のインクを使用して記録を行い、異なる色相のインクが記録媒体上で隣接する画像を記録する際には浸透性の高い方のインクを使用して記録を行う。記録媒体上の記録濃度の低い方のインク（この場合、浸透性の高い方のインク）を使用して記録を行う際には、複数回重ねて記録を行う。更に、上記第４実施例の如く、２種類のインクの色材濃度を、２種類のインクによる記録媒体上の記録濃度が略同じとなるように、互いに異なる値に設定する。
【０３３６】
本発明者らは、インクの染料に黒の染料を用い、記録媒体に一般的に良く使用されている普通紙Ｘｅｒｏｘ４０２４ＤＰを用いて実験を行い、以下の実験結果を得た。先ず、第４の実験Ｅｘ４では、互いに異なる染料濃度を有する黒の染料を用いた浸透性の低いインクＩ５と浸透性の高いインクＩ６を使用して、上記実験Ｅｘ２と同様に記録媒体に対して印字率１００％の画像を記録し、浸透性の高いインクＩ６を使用した記録は所謂重ね記録を複数回行った。図３７は、インクＩ６を使用した記録回数である重複度と、測定された記録媒体上の記録濃度を示す図である。同図からわかるように、染料濃度の高いインクＩ６を使用した記録を複数回行って得られる記録濃度が、浸透性の低いインクＩ５を使用した記録により得られる記録濃度と略同じになることが確認された。より具体的には、浸透性の高いインクＩ６を使用した記録を複数回行うと共に、浸透性の低いインクＩ５を使用した記録を１回行うことにより、記録媒体上の記録濃度を２種類のインクＩ５，Ｉ６について略同じとすることができる。
【０３３７】
従って、本変形例によれば、ブリード及びにじみを効果的に、且つ、確実に抑制することができる。一般に、カラーインクジェット記録装置では、イエロー、マゼンタ、シアン及び黒の４色のインクを備えているが、記録媒体の色相が通常は白色であるので、イエローのインクを使用して文字や表等を記録することは非常にまれである。又、仮にイエローのインクを使用して文字や表等を記録媒体に記録したとしても、イエローのインクのにじみは殆ど目立たない。このため、本実施例の効果は、色相が同じで浸透性の異なる２種類のインクと記録媒体の色相との色差又は明度差が大きい程大きく、インクの色相が黒色で記録媒体の色相が白色の場合の効果が最も大きい。
【０３３８】
尚、本変形例においても、記録媒体が普通紙の場合には記録濃度が０．９以上であれば記録品位が許容範囲内となり、又、記録媒体がインクジェット記録専用のインクジェット記録用紙の場合には記録濃度が１．３以上であれば許容範囲内となる。更に、同じ色相で浸透性の異なる２種類のインクを用いた画像記録の場合には、記録媒体の種類に拘らず、夫々のインクによる記録濃度の差が約０．３以下であれば許容範囲内の記録品位が得られる。
【０３３９】
次に、本発明になるインクジェット記録装置の第６実施例を説明する。インクジェット記録装置の第６実施例では、本発明になるインクジェット記録方法の第６実施例及び本発明になるインク及びインクカートリッジの第６実施例を用いる。インクジェット記録装置及びインクカートリッジの構成は、図１及び図２に示したものと同様のものを使用できるので、これらの図示及び説明は省略する。
【０３４０】
本実施例では、２種類以上の異なる色相のインクを使用して記録を行う際に、少なくとも１種類が他の種類のインクに対して１５°以上の記録媒体に対する接触角の差を有する。又、記録媒体に対する接触角の高い方のインクは文字等の線画を記録するのに用い、接触角の低い方のインクは図形等の一般画像を記録するのに用いる。尚、後述するように、接触角の高い方のインクの接触角は好ましくは８５°以上で、接触角の低い方のインクの接触角は好ましくは７０°以下である。
【０３４１】
図３８は、インクの接触角とにじみ量との関係を示す図である。又、図３９は、インクの接触角とブリード量との関係を示す図である。図３８から、にじみ量を１５μｍ以下とするには、接触角を８５°以上にする必要があることがわかった。更に、図３９から、ブリード量を２００μｍ以下とするには、接触角を７０°以下にする必要があることがわかった。
【０３４２】
上記接触角の８５°以上の範囲内で同じ接触角を有する黒とイエローのインクＣｋ，Ｃｙと、同じく上記接触角の７０°の範囲内で同じ接触角を有する黒とイエローのインクＤｋ，Ｄｙとを用いて記録を行い、にじみとブリードの評価を行った評価結果を図４０に示す。評価のために、３ドット幅の線画と、ベタの画像とを記録した。又、線画のにじみは黒で、ベタのブリードは黒と黄色との境界部分とし、色差が最も大きい関係にある色相を記録した。更に、インクの接触角は、記録媒体である普通紙の一例として、上記ゼロックス社製の普通紙Ｘｅｒｏｘ４０２４ＤＰに対するものを示す。紙上では、インクの浸透が起こるので、インクが普通紙Ｘｅｒｏｘ４０２４ＤＰに付着した直後（約０．１秒後）のインクの接触角を測定した。測定自体は、インクを付着する瞬間をカメラで撮影し、得られた静止画から接触角を測定した。図４０中、○印はにじみ量が１５μｍ以下又はブリード量が２００μｍ以下であることを示し、×印はにじみ量又はブリード量がこれら以外であることを示す。
【０３４３】
図４０からわかるように、インクＣｋ，Ｃｙの場合、接触角は１０２°であり、にじみ量は充分に小さいがブリード量が大きい。他方、インクＤｋ，Ｄｙの場合、接触角は５１°であり、ブリード量は充分に小さいがにじみ量が大きい。これにより、インクＣｋ，Ｃｙは文字等の線画を記録するのに適しており、インクＤｋ，Ｄｙは一般の画像を記録するのに適していることが確認できた。
【０３４４】
本実施例は、インクの色相と記録媒体の色相との色差が大きい程効果的である通常、記録媒体の色相は白であるため、インクの色相が黒である場合に本実施例の効果が最も大きい。尚、本発明者らは、比較のために、上記と同じインクＣｋ，Ｃｙ，Ｄｋ，Ｄｙを用いてＰＴＦＥに対する接触角を測定した。この測定結果を図４１に示す。図４１から、インクＤｋ，Ｄｙの接触角が、上記特開平６−１４３７９５号公報で規定されている接触角の範囲外であることがわかる。又、図４０と比較すると、図４１に示すインクＣｋ，Ｃｙの接触角は図４０４０の場合と殆ど変化していないが、図４１に示すインクＤｋ，Ｄｙの接触角は図４０の場合と比べると大きく変化している。つまり、インクの接触角はＰＴＦＥという特種な材料よりも、使用する記録媒体に対する接触角が記録品位との相関性が非常に強いことがわかる。
【０３４５】
従って、上記特開平６−１４３７９５号公報で提案されている方法のように、インクの表面張力と、記録媒体と関係のないＰＴＦＥとの接触角では、インクの浸透性を充分に規定することができないことがわかった。又、上記特開平６−１４３７９５号公報で提案されている方法では、インクの浸透性が異なるため、浸透性の低いインクで記録された主に文字部分と、浸透性の高いインクで記録された主に画像部分とが同じ色相であったとしても、両者間で記録濃度、彩度、明度等に差が生じてしまい、結果的に記録品位を低下させてしまうという問題もある。そこで、この問題を解決し得る実施例を次に説明する。
【０３４６】
本発明になるインクジェット記録装置の第７実施例を説明する。インクジェット記録装置の第７実施例では、本発明になるインクジェット記録方法の第７実施例及び本発明になるインク及びインクカートリッジの第７実施例を用いる。インクジェット記録装置及びインクカートリッジの構成は、図１及び図２に示したものと同様のものを使用できるので、これらの図示及び説明は省略する。
【０３４７】
インクと記録媒体との浸透性は、ルーカス−ウォッシュバーン（Ｌｕｃａｓ−Ｗａｓｈｂｕｒｎ）の式を基に種々検討され、例えば、門屋卓也，「新・紙の科学」，中外産業調査会発行，ｐｐ．３４５〜３７０，平成元年６月１２日により解明されようとしている。この理論に基づき浸透性を測定する試験方法が、ブリストー試験方法である。ブリストー試験方法で得られる吸収係数Ｋａ（ｍｌ／（ｍ2 ・ｍｓ1/2 ））は、インクと記録媒体との吸収性を一義的に表すことができる。 従って、記録媒体とインクの吸収係数Ｋａが小さい組み合せで記録を行うと、記録媒体内へのインクの浸透が抑制されるので、にじみのない高品位の記録が可能となる。
【０３４８】
他方、記録媒体とインクの吸収係数Ｋａが大きい組み合せで記録を行うと、記録媒体内へのインクの浸透が促進され、インクの記録媒体上での存在時間が短縮されるので、ブリードのない高品位の記録が可能となる。又、記録媒体への吸収係数Ｋａが異なる２つのインク群を用い、吸収係数Ｋａが大きなインク群のインクで複数色相が隣接する主に一般画像を記録し、吸収係数Ｋａが小さなインク群のインクで複数の色相が隣接しない主に文字等の線画を記録する。これにより、色境界部分でブリードのない高品位の一般画像記録と、にじみのないシャープで高品位の文字等の線画記録とを両立することができる。
【０３４９】
更に、色境界部分を形成する少なくとも１画素（ドット）を吸収係数Ｋａが大きなインク群のインクで記録し、それ以外の画素を吸収係数Ｋａが小さなインク群の同色相のインクで記録する。これにより、色境界部分でブリードのない高品位の一般画像記録と、にじみのないシャープで高品位の文字等の線画記録とを両立することができると共に、記録媒体上で記録濃度のむらや、彩度、明度等に差のない高品位の記録を行うことができる。
【０３５０】
本発明者らは、モノクロ用黒のインクＫ’１〜Ｋ’５について、各種記録媒体に対する吸収係数Ｋａ及びにじみの程度を実験により調べたところ、図４２のような結果が得られた。インクＫ’１〜Ｋ’５の組成は、酸性染料２重量％とジエチレングリコール５重量％をベースとし、エタノールを０〜２０．０重量％添加し、残量が水である。インクＫ’１，Ｋ’２，Ｋ’３，Ｋ’４，Ｋ’５の夫々のエタノールの含有量は０，５．０重量％，１０．０重量％，１５．０重量％，２０．０重量％である。吸収係数Ｋａの単位は通常（ｍｌ／（ｍ2 ・ｍｓ1/2 ））であるが、図４２及び後述する図４３及び図４４では、吸収係数Ｋａの単位が便宜上（ｎｌ／（ｍｍ2 ・ｓ1/2 ））で表されている。
【０３５１】
又、カラー用黒、イエロー、マゼンタ及びシアンのインクＫ６，Ｙ６，Ｍ６，Ｃ６〜Ｋ９，Ｙ９，Ｍ９，Ｃ９について、各種記録媒体に対する吸収係数Ｋａ及びブリードの程度を実験により調べたところ、図４３R>３のような結果が得られた。インクＫ６，Ｙ６，Ｍ６，Ｃ６〜Ｋ９，Ｙ９，Ｍ９，Ｃ９の組成は、直接染料４重量％とグリセリン５重量％をベースとし、ノニオン系界面活性剤を０〜２．０重量％添加し、残量が水である。インクＫ６，Ｙ６，Ｍ６，Ｃ６、インクＫ７，Ｙ７，Ｍ７，Ｃ７、インクＫ８，Ｙ８，Ｍ８，Ｃ８及びインクＫ９，Ｙ９，Ｍ９，Ｃ９の夫々の第１のノニオン系界面活性剤の含有量は０，０．５重量％，１．０重量％及び２．０重量％である。
【０３５２】
尚、上記インクＫ’１〜Ｋ’５及びインクＫ６，Ｙ６，Ｍ６，Ｃ６〜Ｋ９，Ｙ９，Ｍ９，Ｃ９は、各々の素材をインクの種類毎に密閉ポリ容器に計量し、５０℃で湯煎しながら３時間撹拌溶解した後、室温まで冷却してポアサイズ０．２μｍのフィルタでろ過することにより得た。又、図４２及び図４３中、各インクの吸収係数Ｋａは、記録媒体として３種類のコピー上質紙を用いてブリストー試験を行うことにより求めた。更に、にじみ及びブリードの程度は、上記３種類のコピー上質紙に３６０ｄｐｉの解像度で記録を行うことにより求めた。
【０３５３】
図４２において、にじみの程度は３段階で評価されている。同図中、○印は殆どにじみが見えずシャープなエッジが実現されている状態、△印は少しにじみが見えエッジが多少ギザギザしている状態、×印は大きなにじみが見えてエッジの凹凸が著しい状態を表している。尚、図４２の結果は、各コピー上質紙上のインクの噴射粒量を、真円換算径で約１００μｍが得られる約１２０〜４０ｐｌとした。
【０３５４】
図４２から、吸収係数Ｋａが１５未満のインクと記録媒体との組み合せでにじみの程度の評価が「△」となり、吸収係数Ｋａが１０未満のインクと記録媒体との組み合せでにじみの程度の評価が「○」となることが確認された。他方、図４３において、ブリードの程度も３段階で評価されている。同図中、○印は殆どブリードが見えず色境界部分が比較的鮮明である状態、△印は少しブリードが見え色境界部分が多少混色している状態、×印は大きなブリードが見えて色境界部分が認識できない状態を表している。尚、図４３の結果は、各コピー上質紙上のインクの噴射粒量を、約１２０〜５０ｐｌとした。
【０３５５】
図４３から、吸収係数Ｋａが５０以上のインクと記録媒体との組み合せでブリードの程度の評価が「△」となり、吸収係数Ｋａが８９以上のインクと記録媒体との組み合せでブリードの程度の評価が「○」となることが確認された。図４４は、図４３の場合と同様にしてインクＫ１０，Ｙ１０，Ｍ１０，Ｃ１０〜Ｋ１５，Ｙ１５，Ｍ１５，Ｃ１５について得られた実験結果を示す。インクＫ１０，Ｙ１０，Ｍ１０，Ｃ１０〜Ｋ１２，Ｙ１２，Ｍ１２，Ｃ１２は、上記第１のノニオン系界面活性剤の代わりに、第２〜第４のノニオン系界面活性剤を２重量％添加されている。又、インクＫ１３，Ｙ１３，Ｍ１３，Ｃ１３は、上記第１のノニオン系界面活性剤の代わりに、第５のノニオン系界面活性剤を１重量％添加されている。更に、インクＫ１４，Ｙ１４，Ｍ１４，Ｃ１４は、上記第１のノニオン系界面活性剤の代わりに、エタノールを１５重量％添加されており、インクＫ１５，Ｙ１５，Ｍ１５，Ｃ１５は、上記第１のノニオン系界面活性剤の代わりに、エタノールを２０重量％添加されている。各コピー上質紙上のインクの噴射粒量は、約８０〜４５ｐｌとして、ブリードの評価方法は図４３４３の場合と同じとした。
【０３５６】
図４４から、吸収係数Ｋａが４０以上のインクと記録媒体との組み合せでブリードの程度の評価が「△」となり、吸収係数Ｋａが８３以上のインクと記録媒体との組み合せでブリードの程度の評価が「○」となることが確認された。本実施例により、図４２に示すインクＫ’２及び図４３に示すインクＫ９，Ｙ９，Ｍ９，Ｃ９の５種類のインクを使用して記録を行った。イエロー、マゼンタやシアン等の異なる色相と境界を接しない黒領域をインクＫ’２で記録し、その他の領域をインクＫ９，Ｙ９，Ｍ９，Ｃ９で記録した。これにより、インクＫ’２で記録した文字等の線画にはにじみがなく、高記録濃度で高品位の記録が行えた。これと同時に、インクＫ９，Ｙ９，Ｍ９，Ｃ９で記録した一般画像中色境界部分では、ブリードのない高品位のカラー記録が行えた。
【０３５７】
しかし、異なる特性のインクを使用するので、インクＫ’２で記録した黒領域の記録濃度とインクＫ９で記録した黒領域の記録濃度とが異なって見え、記録品位が多少低下するという新たな問題も発生した。そこで、本実施例においては、境界部分の黒領域を所定記録幅（例えば２ドット幅）分インクＫ９で記録して、その他の黒領域をインクＫ’２で記録することが望ましい。この場合、黒領域間の記録濃度差がほぼなくなり、記録品位の低下を防止できた。
【０３５８】
上述の如く、本実施例は、にじみのない高品位の要求が強い文字等の線画を記録する機会の多い黒のインク及びカラー記録の基本色であるイエロー、マゼンタ、シアンの各色のインクに適用することが望ましい。又、記録媒体としては、最も一般的に使用され、且つ、記録表面に紙の繊維が露呈しているコピー紙等の所謂普通紙であることが望ましい。
【０３５９】
ところで、インクジェット記録装置において所望の解像度で記録媒体に線画や一般画像を記録するには、所望の解像度に適した大きさのドットが得られるようにヘッドから吐出されるインク量を調整する必要がある。浸透性の低いインクは、浸透性の高いインクより記録媒体上でのドットの広がりが小さいため、浸透性の高いインクより多いインク量が記録媒体上に記録される。この傾向は、記録媒体としてインクの浸透を抑制するサイズ等の処理が施されているコピー用紙やボンド紙、葉書等の普通紙で顕著に見られる。これに対し、インクジェット記録専用のコート紙、オーバーヘッドプロジェクタ（ＯＨＰ）フィルムや光沢紙等のインクジェット記録用紙では、用紙／フィルムの基材の上にインク受容層が設けられており、インクの浸透を均一に、又は、速めるように設計されているので、インクの浸透性の影響は比較的小さい。尚、インク受容層は、例えばポリビニルアルコール、カチオン樹脂等の親水・吸水性のポリマーや樹脂、顔料、バインダー等からなる。
【０３６０】
このように、浸透性の異なるインクは記録媒体上で性質が大きく異なるので、夫々のインクに対して十分な性能を満たす記録媒体を設計することは困難である。そこで、使用する記録媒体の種類や性質に応じてヘッドから吐出するインク量を調整する方法が提案されている。
【０３６１】
記録媒体の種類によってヘッドから吐出するインク粒子の量を調整する方法は、効果的である反面、インク粒子の吐出量に応じてヘッドの駆動条件を制御する必要があり、ヘッドの駆動系の制御が複雑になると共に、ヘッドの駆動系の構成が複雑、且つ、高価となってしまう。又、ヘッドの駆動条件によっては、正確にインク粒子の吐出量を調整できない場合もある。
【０３６２】
インク粒子の吐出量を調整する方法としては、記録媒体上の同じ位置にインク粒子を複数回重ね記録することでドットの径を調整することが提案されており、例えば特願平６−３４４６５２号公報では浸透性の異なるインクを同時に使用する場合に適用した例が提案されている。具体的には、浸透性の低いモノクロ画像記録用のインクに対して調整された専用の記録媒体を用いて浸透性の高いカラー画像記録用のインクを使用して記録を行う場合に、浸透性の高いインクのインク粒子は複数回重ね記録し、ドットの径を浸透性の低いインクの１つのインク粒子と同程度の径に調整する。
【０３６３】
しかし、浸透性の低いインクは、記録媒体が普通紙であっても高品位の記録を可能とするものであり、それ専用に調整された記録媒体を必要とはしない。他方、浸透性の高いインクの場合、記録媒体が普通紙であってもブリードを生じないものの、文字等の線画を記録すると線分の周辺部分がにじんでしまい、輪郭が鮮明な画像を記録することができない。このため、特に発色性や色再現性及び鮮明さが要求されるカラー画像記録を実現するためには、浸透性の高いインクに対して最適化された専用の記録媒体が望まれる。
【０３６４】
このように、浸透性の低いインク用に調整された専用の記録媒体の必要性や要求は低い。これに対し、浸透性の高いインクを用いた記録時にインク粒子を複数回重ね記録してドットの径を調整しても、得られる彩度、色相や色再現性等の記録品位は、浸透性の高いインク用に調整された専用の記録媒体を使用して普通に記録した場合の記録品位よりも一般的には低い。更に、浸透性の高いインク用に調整された専用の記録媒体を使用して浸透性の低いインクを用いて記録を行った場合には、インクの吐出量を減少させる必要があり、重ね記録を行うことはできない。
【０３６５】
従って、通常は、記録媒体上のインクの広がり等を含む記録媒体特性は、鮮明で美しいカラー画像記録を実現するという要求から、浸透性の高いインク用に調整される。このため、この様な浸透性の高いインク用に調整された専用の記録媒体に、普通紙に対するのと同様の方法で浸透性の低いインクを用いて記録を行うと、一度に多量のインクが記録媒体上に付着してしまう。この結果、記録媒体上のインクの量が記録媒体のインク受容層のインク吸収能力を越えてしまい、記録される文字がつぶれたり、インクがインク受容層で凝結してしまい記録濃度にむらが生じたりする可能性が高い。更に、記録媒体上に付着するインクの量が多いので、インクの乾燥及び定着時間が長くなり、インクジェット記録装置の実用的な記録速度を考慮すると必要なインク乾燥・定着時間を確保するのが困難となるという不都合も生じやすい。特に、記録密度が高いベタ記録時の記録濃度のむらや長い定着時間の問題は、高い光透過性を必要とするためにインクを全く吸収しない透明なプラスチックフィルム等を基材として緻密で均一なインク受容層を設けたＯＨＰフィルム等で顕著となる。
【０３６６】
そこで、使用する記録媒体がＯＨＰフィルム等であってもこれらの問題をより確実に防止し得る本発明になるインクジェット記録装置の第８実施例を以下に説明する。インクジェット記録装置の第８実施例では、図２に示すインクカートリッジを用いることが可能であり、本発明になるインクジェット記録方法の第８実施例を用いる。インクジェット記録装置の構成は、図１に示したものと同様のものを使用できるので、その図示及び説明は省略する。
【０３６７】
本実施例では、浸透性の低いインクを用いてＯＨＰフィルム等のインクジェット記録専用の記録媒体に対して記録を行う際に、１回のヘッド走査時に記録媒体に付着されるインクの量を少なくすることで、略同時に大量のインクが記録媒体に付着されるのを防止する。具体的には、１回のヘッド走査による単位面積当りの平均記録インク量を、浸透性の高いインクを用いて記録媒体に対して記録する際に１回のヘッド走査で記録媒体に付着される所定のインク量と同程度に設定する。つまり、浸透性の低いインクを用いて記録媒体に対して記録を行う際に、１回のヘッド走査時に記録媒体に付着されるインクの量を記録媒体のインク吸収能力以下に設定する。又、この様な浸透性の低いインクを用いた記録時のヘッドの走査を複数回繰り返すことで、記録媒体に付着される浸透性の低いインクの単位面積当りのインク量を上記所定のインク量と略同程度とすることができる。本実施例では、インクの溶媒の蒸発性も利用し、１回のヘッド走査時に記録媒体に付着するインク量が記録媒体のインク吸収能力を越えないようにしているので、記録濃度のむらを低減すると共に、インクの乾燥及び定着に必要な時間を確実に確保することができる。
【０３６８】
本実施例の場合、図２に示すインクカートリッジ１１−５内に貯蔵されている黒のインクの組成は、例えば酸性黒染料２重量％、ジエチレングリコール５重量％、エタノール５重量％及び残量水である。他方、インクカートリッジ１１−１〜１１−４内に貯蔵されている黒、イエロー、マゼンタ及びシアンのインクの組成は、例えば各色の直接染料３重量％、ジエチレングリコール１０重量％、ノニオン系界面活性剤１．５重量％及び残量水である。これらの組成のインクは、インクの種類毎に密閉ポリ容器に計量し、５０℃で湯煎しながら３時間撹拌溶解した後、室温まで冷却してポアサイズ０．２μｍのフィルタでろ過することにより得た。各インクの浸透性を、コピー用紙Ｘｅｒｏｘ４０２４ＤＰに対するブリストー試験（Ｊ．ＴＡＰＰＩ紙パルプ試験方法Ｎｏ．５１）の吸収係数Ｋａで示すと、インクカートリッジ１１−５内の浸透性の低い黒のインクが約９ｎｌ／（ｍｍ2 ・ｓ1/2 ）で、インクカートリッジ１１−１〜１１−４内の浸透性の高い黒、イエロー、マゼンタ及びシアンのインクが夫々約１１０〜１５０ｎｌ／（ｍｍ2 ・ｓ1/2 ）となった。
【０３６９】
図４５は、インクカートリッジ１１−５内の浸透性の低い黒のインクを用いて記録媒体に対して記録を行った場合に記録媒体上に付着したインク量及びドット径の関係を示す図である。同図中、縦軸はドット径を示し、横軸はインク量を示す。又、特性Ｉａ、ＩＩａ、ＩＩＩａ及びＩＶａは夫々第１、第２及び第３のコピー用紙及びＯＨＰフィルムが記録媒体として使用された場合を示す。ドット径は、記録媒体上に記録した５０個のドットの面積を測定し、各ドットを真円とみなした場合の真円直径の平均値を示す。
【０３７０】
又、図４６は、インクカートリッジ１１−１内の浸透性の高い黒のインクを用いて記録媒体に対して記録を行った場合に記録媒体上に付着したインク量及びドット径の関係を示す図である。同図中、縦軸はドット径を示し、横軸はインク量を示す。又、特性Ｉｂ、ＩＩｂ、ＩＩＩｂ及びＩＶｂは夫々第１、第２及び第３のコピー用紙及びＯＨＰフィルムが記録媒体として使用された場合を示す。ドット径は、図４５の場合と同様に、記録媒体上に記録した５０個のドットの面積を測定し、各ドットを真円とみなした場合の真円直径の平均値を示す。尚、インクカートリッジ１１−２〜１１−４内の浸透性の高いイエロー、マゼンタ及びシアンのインクを用いて記録媒体に対して記録を行った場合に記録媒体上に付着したインク量及びドット径の関係は夫々図４６と類似した関係となったので、それらの図示は省略する。
【０３７１】
これらのインクを用いて３６０ｄｐｉの解像度で記録を行うのに適した所定のドット径を、斜めに隣接するドットが繋がって斜線となる１００μｍ＝√２×２５．４ｍｍ／３６０より多少大きい約１１０±１０μｍとすると、上記第１〜第３のコピー用紙等の普通紙上での所定のドット径を得るためのインク量は浸透性の低いインクで約１００ｐｌで、浸透性の高いインクで約５０ｐｌであった。この様なインク量でＯＨＰフィルム等のインクジェット記録用紙に対してドットを記録してその径を測定したところ、浸透性の低いインクの場合にはドット径が所定のドット径より多少大きくなるものの、浸透性の高いインクの場合には所定のドット径、即ち、最適値が得られた。
【０３７２】
本発明者らは、この条件下でこれらのインクを用いて普通紙に対して記録を行ったところ、にじみのない高品位のモノクロ（黒）記録が行え、ブリードのない高品位のカラー記録が行えることが確認できた。又、同じ条件下でこれらのインクを用いてＯＨＰフィルムに対して記録を行ったところ、高品位のカラー記録が可能であることが確認できたが、モノクロ（黒）記録の場合には特に記録密度の高いベタ記録部分でインクの凝集による記録濃度のむらが顕著となることが確認できた。
【０３７３】
そこで、本発明者らは、本実施例を適用してＯＨＰフィルムに４８個のノズルを有するヘッド部により浸透性の低い黒のインクを用いて３６０ｄｐｉのベタ記録をヘッド部を２回走査させて各種パターンを記録することで行い、ヘッド部の１回の走査で１行４８ドットをベタ記録した比較例Ｃｅ１と比較した。尚、ヘッド部の１回の走査時間は約１秒に設定した。この結果、比較例Ｃｅ１では、インクの凝集により記録濃度にむらが生じ、記録品位が低かった。これに対し、図４７に示す如き水平方向に１ドット置きラインパターンと図４８に示すその反転パターンを２回のヘッド部の走査により重ねて記録した実験ｅｘ１の場合、比較例Ｃｅ１と比べるとインクの凝集による記録濃度のむらが大幅に低減でき、記録品位が著しく向上することが確認できた。同様に、図４９に示す如き市松パターンと図５０に示すその反転パターンを２回のヘッド部の走査により重ねて記録した実験ｅｘ２の場合、比較例Ｃｅ１と比べるとインクの凝集による記録濃度のむらが大幅に低減でき、記録品位が著しく向上することが確認できた。更に、他の比較例Ｃｅ２では、ヘッド部の１回の走査の後、次の走査が開始されるまでの待機時間を約１秒に設定し、全体としての記録時間が２回のヘッド部の走査による重ね記録を行う実験ｅｘ１，ｅｘ２の場合と同等となるように１行４８ドットをベタ記録したが、結果は上記比較例Ｃｅ１の場合と同様となり、インクの凝集により記録濃度にむらが生じ、記録品位が低かった。
【０３７４】
更に、本発明者らは、上記実験ｅｘ１，ｅｘ２を組み合わせた場合についても記録結果を確認した。実験ｅｘ３では、図４７に示す如き水平方向に１ドット置きラインパターンと図４９に示す如き市松パターンを連続する２回のヘッド部の走査により重ねて記録すると共に、図４８に示す如き水平方向に１ドット置きラインパターンの反転パターンと図５０に示す如き市松パターンの反転パターンを次の連続する２回のヘッド部の走査により重ねて記録した。この実験ｅｘ３の場合、比較例Ｃｅ１と比べるとインクの凝集による記録濃度のむらが大幅に低減でき、記録品位が著しく向上することが確認できた。実験ｅｘ４では、図４９に示す如き市松パターンと図５０に示すその反転パターンを連続する２回のヘッド部の走査により重ねて記録すると共に、図４７に示す如き水平方向に１ドット置きラインパターンと図４８４８に示すその反転パターンを次の連続する２回のヘッド部の走査により重ねて記録した。この実験ｅｘ４の場合、ドット同士が隣接しないパターンを優先して重ね記録するので、比較例Ｃｅ１と比べるとインクの凝集による記録濃度のむらが実験ｅｘ３より更に大幅に低減でき、記録品位も更に向上することが確認できた。
【０３７５】
又、４８個のノズルを有するヘッド部を用い、４個のノズルずつ計１２回走査することにより、通常の１走査分に対応する４８ドット幅のベタ記録をＯＨＰフィルムに行ったところ、記録濃度のむらが大幅に低減でき、記録品位が向上することが確認できた。このように、１回の走査で記録するドット数を少なくし、且つ、走査回数を多くすることにより、記録濃度をより効果的に低減でき、十分な乾燥・定着時間を確保できることも確認できた。
【０３７６】
例えば実験ｅｘ４と同様の方法で画像の記録を行う場合、ヘッド部の１回目の走査時には上位装置等からインクジェット記録装置に入力される画像データと図４９に示す市松パターンとのアンド（論理積）に基づいてヘッド部を制御し、２回目の走査時には画像データと図５０に示す市松パターンの反転パターンとのアンドに基づいてヘッド部を制御する。又、ヘッド部の３回目の走査時には画像データと図４７に示すラインパターンとのアンドに基づいてヘッド部を制御し、４回目の走査時には画像データと図４８に示すラインパターンの反転パターンとのアンドに基づいてヘッド部を制御する。
【０３７７】
更に、実験ｅｘ４と同様の方法で画像の記録を行う場合、ヘッド部の１回目の走査時には画像データと図４９に示す市松パターンとのアンドに対応する入力画像データを直接上位装置等からインクジェット記録装置に入力し、２回目の走査時には画像データと図５０に示す市松パターンの反転パターンとのアンドに対応する入力画像データをインクジェット記録装置に入力しても良い。この場合、ヘッド部の３回目の走査時には画像データと図４７に示すラインパターンとのアンドに対応する入力画像データを直接上位装置等からインクジェット記録装置に入力し、４回目の走査時には画像データと図４８に示すラインパターンの反転パターンとのアンドに対応する入力画像データをインクジェット記録装置に入力する。
【０３７８】
このように、本実施例では浸透性の高いインクに対して記録特性が調整された記録媒体に浸透性の低いインクを用いて記録を行う際に、ヘッド部の１回の走査で単位面積当りに記録するインク量を浸透性の高いインクを用いて１回の走査で記録するインク量以下とし、且つ、浸透性の低いインクを用いてヘッド部を複数回走査させることで順次記録を行う時に、ベタ記録の場合には補完し合う複数の間引きパターンを記録し、画像データを記録する場合には補完し合う複数の間引きパターンと画像データとのアンドを記録する。この場合、間引きパターンは上記ラインパターン及び市松パターンに限定されるものではなく、例えば１対の対称な間引きパターンを使用しても良い。又、対称な間引きパターンを複数対用いて順次記録を行うこともでき、その場合、ドット同士が隣接しないパターンを優先した順序で重ね記録することが望ましい。更に、浸透性の低いインクを吐出する複数のノズルを有するヘッド部が１回の走査で記録できる走査方向と垂直な方向上の最大記録幅をＤドットとした場合、このヘッド部によるＤドット幅の画像データをＤドット未満のドット幅のＮ個のデータに分解し、この分解した画像データを順次Ｎ回の走査で記録媒体に記録しても良い。
【０３７９】
尚、本実施例は、特に記録媒体としてＯＨＰフィルムを用いた場合に好適であるが、ＯＨＰフィルムとしては二重構造を有するＯＨＰフィルムを用いることも可能である。二重構造のＯＨＰフィルムは、表と裏で特性が異なる。つまり、浸透性の高いインクに対して設計された第１のＯＨＰフィルムと、浸透性の低いインクに対して設計された第２のＯＨＰフィルムとを貼り合わせているので、表は高品位のカラー画像の記録に適しており、裏は記録濃度むらのないモノクロ画像の記録に適している。本発明者らは、この様な二重構造を有するＯＨＰフィルムに対しても上記の如き記録を行ったところ、例えば第２のＯＨＰフィルムのインク受容層の厚みを第１のＯＨＰフィルムの約１．５倍に設定したところ、表の第１のＯＨＰフィルムには高品位のカラー画像の記録が行え、裏の第２のＯＨＰフィルムには記録濃度むらのないモノクロ画像の記録が行えることが確認できた。
【０３８０】
本実施例で用いるＯＨＰフィルムには、各種の水溶性、吸水性或いはこれらの特性を付与した各種のポリマー等を使用することができる。更に、特性を調整するために不溶性の各種ポリマーやクレイ、タルク、アルミナ、シリカ等の無機顔料を適量添加することもできる。ただし、ＯＨＰフィルムの場合には、透明性を阻害しないようにする必要がある。ポリマーとしては、ポリビニルアルコール、ゼラチン、アルブミン、カゼイン、カチオンデンプン、アラビアゴム、ポリアミド、ポリビルニピロリドン、水溶性セルロース等が使用可能である。
【０３８１】
尚、ＯＨＰ等の記録媒体に設けられるインク受容層は、予め記録媒体に形成されていても、記録時に形成されるものでも良い。インク受容層を記録媒体に形成しながら記録を行う方式自体は公知であり、例えば特開平６３−２９９９３９号公報、特開平５−９６７２０号公報、特開平６−２３９７３号公報や特開平６−９２０１０号公報等に開示されている方式を採用し得る。
【０３８２】
ところで、ヘッドのノズルの径は例えば３０μｍ〜１００μｍと小さいため、ノズルの先端（ノズルオリフィス）でインクが蒸発乾燥して目詰まりを起こさないように、不揮発性で、且つ、吸湿性の大きな溶媒（溶剤）がインクに添加されている。しかし、ノズルオリフィス内での染料の析出による目詰まりは防止できても、溶媒の蒸発によるインクの増粘は避けられない。インクの増粘が進むと、インクの噴射方向が定まらなくなり、記録媒体に記録されるドットの位置ずれを生じると共に、極端な場合にはインクの噴射が行えなくなり、ドット抜けを生じてしまう。そこで、図１に示す如きバックアップユニット４６を用いてインクの増粘によるノズルからのインク噴射のバラツキを抑制する。具体的には、全ノズルからバックアップユニット４６に対して増粘しかけたインクを噴射（スプレー）し、インクの粘度が一定以上にならないようにしている。ところが、インクの増粘の程度は、インク中に含まれる湿潤剤や染料等の成分の種類及び濃度によって異なり、同一のインクジェット記録装置内で使用される多種類のインク間でも異なる場合があるにも拘らず、従来はインク間で異なる増粘の程度は一切考慮されていなかった。
【０３８３】
そこで、同一のインクジェット記録装置内で使用される多種類のインク間で増粘の程度が異なる場合、各インクに対応してノズルのスプレーを行うことが考えられる。しかし、この場合には、頻繁にノズルのスプレーを行う必要が生じてしまい、インクの消費量が多くなると共に、記録速度が遅くなってしまうという不都合も生じてしまう。又、増粘の程度が最も大きいインクに応じてノズルのスプレーを行うことも考えられるが、この場合もインクの消費量が比較的多くなってしまい、記録速度もある程度以上向上できないという不都合がある。
【０３８４】
次に、これらの不都合を解消し得る本発明になるインクジェット記録装置の第９実施例を以下に説明する。インクジェット記録装置の第９実施例では、図２R>２に示すインクカートリッジを用いることが可能であり、本発明になるインクジェット記録方法の第９実施例を用いる。インクジェット記録装置の構成は、図１に示したものと同様のものを使用できるので、その図示及び説明は省略する。
【０３８５】
本実施例では、同一のインクジェット記録装置内で用いる２種類以上のインクについて、溶媒蒸発によるインクの増粘を同程度に設定してある。これにより、ノズルのスプレー条件は、２種類以上のインクの増粘が同程度であるため最小限に抑さえることができ、記録速度を向上することができると共に、インクの消費量も抑制することが可能となる。
【０３８６】
インクの溶媒には、水及び水と水溶性の有機溶媒との混合物を使用する。有機溶媒としては、メタノール，エタノール，（ノルマル）プロピルアルコール，イソプロピルアルコール等の１価アルコール、エチレングリコール，プロピレングリコール，ブチレングリコール，ヘキシレングリコール，ジエチレングリコール，トリエチレングリコール等の２価アルコール、グリセリン等の３価アルコール、ポリエチレングリコール，ポリブチレングリコール等のポリアルキレングリコール、Ｎ−メチル−２−ピロリドン，１，３−ジメチル−２−イミダゾリジノン等の含窒素複素環式化合物、エチレングリコールモノメチルエーテル，ジエチレングリコールモノメチルエーテル，トリエチレングリコールモノメチルエーテル等の多価アルコールの低級アルキルエーテル等が使用可能である。
【０３８７】
インク中における上記有機溶媒の含有量は、５〜８０重量％であり、好ましくは５〜５０重量％の範囲内である。これは、有機溶媒の含有量が５重量％未満であると、インクの乾燥が速くなったり、染料の溶解性が低下したりしてインク中の染料が析出し易くなり目詰まりを生じ易く、又、８０重量％を越えるとインクの粘度が高くなってしまいヘッドのノズルからインクを噴射しにくくなってしまうからである。
【０３８８】
本実施例で使用するインクの基本組成は以上の通りであるが、必要に応じてその他の分散剤、カチオン系，アニオン系，ノニオン系等の界面活性剤、ポリビニルアルコール，セルロース類，水溶性樹脂等の粘度調整剤、ジエタノールアミン，トリエタノールアミン等のｐＨ調整剤等を添加しても良いことは言うまでもない。
【０３８９】
本発明者らは、以下の如き組成のインクの増粘の程度を実験により測定した。
【０３９０】
インクＩＫ１：黒染料８％＋ジエチレングリコール５％＋添加剤２％＋残余水インクＩＫ２：黒染料８％＋ジエチレングリコール１５％＋添加剤２％＋残余水インクＩＫ３：黒染料４％＋ジエチレングリコール５％＋エタノール６％＋残余水インクＩＫ４：色染料（アシッドブルー９）３％＋ジエチレングリコール１０％＋エタノール３％＋添加剤２％＋残余水上記インクＩＫ１〜ＩＫ４を、開放するインクの体積をＶｍｍ3 、開放表面積をＳｍｍ2 とした場合、Ｖ／Ｓ≒１０ｍｍが満たされるように例えば半径ｒ＝３６．６ｍｍで深さｈ＝２０ｍｍの４つのシャーレに別々に４２ｇ（≒４２０００ｍｍ3 ，比重約１．０４）だけ入れ、常温常湿（２５℃６０％ＲＨ）に放置して溶媒を蒸発させた。又、一定時間（２４時間）毎に残インクを良く撹拌し、Ｅ型粘度計により各インクの粘度を第１日目から第１２日目まで測定した。
【０３９１】
その結果、各インクの粘度は時間が経過するにつれて図５１に示すように増加することが確認できた。同図中、縦軸は粘度を示し、横軸は時間を示す。又、インクＩＫ１は○印、インクＩＫ２は□印、インクＩＫ３は×印、インクＩＫ４は＋印で示す。図５１からわかるように、第４日目まではいずれのインクもあまり増粘が発生しなかったが、第５日目を過ぎると増粘が顕著に見られた。更に、インクＩＫ２〜ＩＫ４は夫々１０００ｃｐ以下という同程度の粘度変化を示したのに対し、インクＩＫ１では粘度が極端に増加することが確認できた。
【０３９２】
本発明者らは、図５１の縦軸を拡大し、更に詳細に各インクの増粘状態を調べたところ、図５２に示す如き結果が得られた。図５２では、各インクＩＫ１〜ＩＫ４について図５１と同じ記号が用いられている。又、これらの結果を用いて実際に各インクＩＫ１〜ＩＫ４を使用して記録を行い、インクの増粘による影響を調べた。
【０３９３】
図１及び図２と共に説明したインクジェット記録装置により、（ｉ）第５日目以後の粘度の差が２００ｃｐ以上のインクＩＫ１とインクＩＫ４との組み合わせにより２０秒に１回の頻度でノズルのスプレーを行いながら連続記録を行い、（ｉｉ）第１０日目以後の粘度の差が２００ｃｐ以上のインクＩＫ２とインクＩＫ４との組み合わせにより２０秒に１回の頻度でノズルのスプレーを行いながら連続記録を行い、（ｉｉｉ）第７日目以後の粘度の差が２００ｃｐ以上のインクＩＫ３とインクＩＫ４との組み合わせにより２０秒に１回の頻度でノズルのスプレーを行いながら連続記録を行い、夫々の場合について記録不良の有無を検査した。その結果、（ｉ）のインクの組み合わせの場合にドット抜け等の記録不良が発生し、（ｉｉ）及び（ｉｉｉ）のインクの組み合わせの場合にはいずれも記録不良は発生しないことが確認された。
【０３９４】
更に、イエロー、マゼンタ、シアン及び黒のインクＹ０，Ｍ０，Ｃ０，Ｋ０の組成を以下のようにインク粘度の増加が図５３に示すように同程度となるように調整し、上記と同様に２０秒に１回の頻度でノズルのスプレーを行いながら連続記録を行ったところ、ドット抜けやドットずれ等の記録不良を発生することなく良好な記録を行えることも確認できた。尚、図５３中、縦軸は上記と同様の条件で測定した粘度を示し、横軸は時間を示す。又、イエローのインクＹ０は○印、マゼンタのインクＭ０は×印、シアンのインクＣ０は＋印、黒のインクＫ０は△印で示す。
【０３９５】
イエローのインクＹ０：黄色染料２％＋ジエチレングリコール１０％＋エタノール３％＋添加剤２％＋調整剤２％＋残余水マゼンタのインクＭ０：赤色染料４％＋ジエチレングリコール１０％＋エタノール３％＋添加剤２％＋調整剤１％＋残余水シアンのインクＣ０： 青色染料３％＋ジエチレングリコール１０％＋エタノール３％＋添加剤２％＋残余水黒のインクＫ０： 黒色染料６％＋ジエチレングリコール１０％＋添加剤２％＋残余水従って、少なくとも２色以上のインクを用いてインクジェット記録を行う場合、各インクの溶媒蒸発によるインク粘度の増加、即ち、増粘の度合いを同程度に設定することにより、ノズルのスプレーを最低限の回数行うスプレー条件であっても正常な記録を継続することができることが確認できた、尚、各インクの溶媒蒸発によるインク粘度の増加は、例えば半径ｒ＝３６．６ｍｍで深さｈ＝２０ｍｍのシャーレに各インクを別々に４２ｇだけ入れ、常温常湿（２５℃６０％ＲＨ）に放置して溶媒を蒸発させた時の第５日目の粘度の差が約１０００ｃｐ以下で、望ましくは約２００ｃｐ以内であることも確認できた。更に、各インクは、染料及び有機溶媒を含む水性インク、顔料を分散したインク等であっても良いことも確認できた。
【０３９６】
尚、本実施例では、各インクの増粘が同程度となるようにインクの組成を調整しているが、本実施例の変形例として、各インクを噴射するヘッドのノズルの使用頻度に応じて常に各インクの増粘の差が一定範囲内に収まるように各インクの組成を調整しても良い。
【０３９７】
つまり、インクジェット記録装置において記録を高品位、且つ、高速に行うには、使用するヘッドのノズル数を記録する画像の種類に応じて設定するのも１つの方法である。この場合、文字等の線画を記録する際には多い数のノズルを使用してできるだけ高速に記録を行い、図形等のカラーの一般画像を記録する際には少ない数のノズルを使用して高品位の記録を行うので、各ヘッドのノズルが一様に使用されることはなく、各ヘッドによってノズルの非使用時間（待機時間）が異なる。例えば、一般画像を記録する場合の少ない数のヘッドのノズル数がｍ＝１６で線画像を記録する場合の多い数のヘッドのノズル数がｎ＝１２８であると、一般画像の記録時間は線画記録時間の約ｎ／ｍ＝８倍となる。そこで、本変形例では、少ない数のノズルを有するヘッドに供給するインクの増粘の割合が、多い数のノズルを有するヘッドに供給するインクの増粘の割合の約８倍となるように各インクの組成を調整することで、上記と同様の効果を得る。
【０３９８】
又、インクの増粘の割合を同程度に設定するためには、（ア）染料濃度の調整、（イ）溶媒濃度の調整及び（ウ）添加剤濃度の調整等の方法を取ることが可能である。上記（ア）の方法の場合、記録濃度の低下が起きる可能性があり、上記（イ），（ウ）の方法の場合、初期インク粘度の増加及び定着時間の延長等が起きる可能性がある。しかし、本発明者らの実験結果によると、上記（ア）〜（ウ）のいずれの方法を採用した場合でも、問題のない範囲内でインクの増粘の程度を調整できることが確認できた。
【０３９９】
尚、上記各実施例において、使用するインクの種類の数、インクの組成、記録媒体の特性等は上記のものに限定されるものではなく、各種インク及び記録媒体の組み合せが可能であることは言うまでもない。更に、用途に応じて複数の実施例及び又は変形例を適宜組み合わせても良い。
【０４００】
以上、本発明を実施例により説明したが、本発明はこれらの実施例に限定されるものではなく、本発明の範囲内で種々の変形及び改良が可能である。
【図面の簡単な説明】
【０４０１】
【図１】インクジェット記録装置の第１実施例の要部を示す斜視図である。
【図２】ヘッド部を示す斜視図である。
【図３】２種類のインクを用いて３６０ｄｐｉの解像度で文字をコピー用上質紙に記録した場合の記録結果の写真を拡大して模式的に示す図である。
【図４】黄色と黒からなる画像を記録する場合の記録結果の写真におけるブリードの状態を拡大して模式的に示す図である。
【図５】染料を調整された黒のインクを用いて記録を行った場合の記録結果の写真を拡大して模式的に示す図である。
【図６】インクの浸透性が第１の値である記録媒体に、黄色領域Ｙと黒領域Ｂとの境界部分ｘで浸透性の高い黒のインクを用いて記録した場合の記録結果の写真におけるブリードの状態を拡大して模式的に示す図である。
【図７】インクの浸透性が第１の値である記録媒体に、赤領域Ｒと黒領域Ｂとの境界部分ｘで浸透性の高い黒のインクを用いて記録した場合の記録結果の写真におけるブリードの状態を拡大して模式的に示す図である。
【図８】インクの浸透性が第２の値である記録媒体に、黄色領域Ｙと黒領域Ｂとの境界部分ｘで浸透性の高い黒のインクを用いて記録した場合の記録結果の写真におけるブリードの状態を拡大して模式的に示す図である。
【図９】インクの浸透性が第２の値である記録媒体に、赤領域Ｒと黒領域Ｂとの境界部分ｘで浸透性の高い黒のインクを用いて記録した場合の記録結果の写真におけるブリードの状態を拡大して模式的に示す図である。
【図１０】隣合う領域の明度（コントラスト）差に応じたブリードの状態を説明する図である。
【図１１】隣合う領域の境界部分において、使用する高い浸透性のインクの浸透性を変えて記録した場合のブリードの状態を説明する図である。
【図１２】高低２種類の浸透性の異なる黒のインクと、高い浸透性のその他の色相のインクにより記録を行う場合の、境界部分でのブリードの状態の記録順序の依存性を説明する図である。
【図１３】異なる浸透性の黒のインクによる記録順序を変えた場合の境界部分でのブリードの状態を説明する図である。
【図１４】異なる浸透性の黒のインクによる記録順序を変えた場合の記録媒体の裏面の状態を説明する図である。
【図１５】異なる浸透性の黒のインクによる記録順序を変えた場合の境界部分でのブリードの状態を説明する図である。
【図１６】ブリストー試験の結果を浸透性の高いインクと浸透性の低いインクとについて示す図である。
【図１７】比較的インクの浸透性が高い記録媒体に対して記録を行った場合の記録結果を示す図である。
【図１８】インクジェット記録装置の第１実施例における画像データ処理系を示すブロック図である。
【図１９】画像データのドット記録位置を示す図である。
【図２０】境界部分における浸透性の高い黒のインクによる記録幅が１ドットの場合の黒データの境界色判別部、黒データの分離部及びドット制御部の動作を示すフローチャートである。
【図２１】境界部分における浸透性の高い黒のインクによる記録幅がｐドットの場合の黒データの境界色判別部、黒データの分離部及びドット制御部の動作を示すフローチャートである。
【図２２】隣接する領域の色相の明度差に応じて、色境界部分において浸透性の高い黒のインクで記録する記録幅を調整する場合の黒データの境界色判別部、黒データの分離部及びドット制御部の動作を示すフローチャートである。
【図２３】隣接する領域を記録するインクの量に応じて、色境界部分において浸透性の高い黒のインクで記録する記録幅を調整する場合の黒データの境界色判別部、黒データの分離部及びドット制御部の動作を示すフローチャートである。
【図２４】浸透性の高い黒のインクで記録する記録面積と浸透性の低い黒のインクで記録する記録面積とを算出する場合の黒データの境界色判別部、黒データの分離部及びドット制御部の動作を示すフローチャートである。
【図２５】ある色のベタ記録領域と別の色のベタ記録領域とが隣接する境界部分で発生するブリードを示す図である。
【図２６】図２５のブリードを模式的に示す図である。
【図２７】Ｒｆ値の差とブリードの程度との関係を示す図である。
【図２８】インクの接触時間と浸透量との関係を示す図である。
【図２９】にじみ量を説明する図である。
【図３０】ブリード量を説明する図である。
【図３１】インクの表面張力とにじみ量との関係を示す図である。
【図３２】インクの表面張力とブリード量との関係を示す図である。
【図３３】にじみとブリードの評価結果を示す図である。
【図３４】夫々同じ染料濃度を有する黒の染料を用いた浸透性の低いインクと浸透性の高いインクを使用して印字率１００％の画像を記録した場合の実験結果を示す図である。
【図３５】互いに異なる染料濃度を有する黒の染料を用いた浸透性の低いインクと浸透性の高いインクを使用して印字率１００％の画像を記録した場合の実験結果を示す図である。
【図３６】浸透性の高いインクを使用して複数回記録を行った場合の実験結果を示す図である。
【図３７】互いに異なる染料濃度を有する黒の染料を用いた浸透性の低いインクと浸透性の高いインクを使用して印字率１００％の画像を記録する際に浸透性の高いインクを使用した記録を複数回行った場合の実験結果を示す図である。
【図３８】インクの接触角とにじみ量との関係を示す図である。
【図３９】インクの接触角とブリード量との関係を示す図である。
【図４０】にじみとブリードの評価結果を示す図である。
【図４１】インクＣｋ，Ｃｙ，Ｄｋ，ＤｙのＰＴＦＥに対する接触角の測定結果を示す図である。
【図４２】各種記録媒体に対する吸収係数Ｋａ及びにじみの程度を示す図である。
【図４３】各種記録媒体に対する吸収係数Ｋａ及びブリードの程度を示す図である。
【図４４】各種記録媒体に対する吸収係数Ｋａ及びブリードの程度を示す図である。
【図４５】浸透性の低い黒のインクを用いて記録媒体に対して記録を行った場合に記録媒体上に付着したインク量及びドット径の関係を示す図である。
【図４６】浸透性の高い黒のインクを用いて記録媒体に対して記録を行った場合に記録媒体上に付着したインク量及びドット径の関係を示す図である。
【図４７】ラインパターンを示す図である。
【図４８】ラインパターンの反転パターンを示す図である。
【図４９】市松パターンを示す図である。
【図５０】市松パターンの反転パターンを示す図である。
【図５１】各種インクの時間に対する増粘を示す図である。
【図５２】図５１の一部を拡大して示す図である。
【図５３】４色のインクの時間に対する増粘を示す図である。
【符号の説明】
【０４０２】
５−１〜５−５ 着脱レバー
１１−１〜１１−５ インクカートリッジ
２０ 黒データの境界色判別部
２１ 黒データの分離部
２２ ドット制御部
２３ 駆動部
２５ ＣＰＵ
２６ メモリ
４０ インクジェット記録装置
４１ フレーム
４２ キャリア
４３ ステージシャフト
４４ 紙送りローラ
４５ ヘッド部
４６ バックアップユニット
４７ モータ
４８ ベルト
５１ ハウジング５１
５２ スロット
【図１】
2006225665.tif 000003
【図２】
2006225665.tif 000004
【図３】
2006225665.tif 000005
【図４】
2006225665.tif 000006
【図５】
2006225665.tif 000007
【図６】
2006225665.tif 000008
【図７】
2006225665.tif 000009
【図８】
2006225665.tif 000010
【図９】
2006225665.tif 000011
【図１０】
2006225665.tif 000012
【図１１】
2006225665.tif 000013
【図１２】
2006225665.tif 000014
【図１３】
2006225665.tif 000015
【図１４】
2006225665.tif 000016
【図１５】
2006225665.tif 000017
【図１６】
2006225665.tif 000018
【図１７】
2006225665.tif 000019
【図１８】
2006225665.tif 000020
【図１９】
2006225665.tif 000021
【図２０】
2006225665.tif 000022
【図２１】
2006225665.tif 000023
【図２２】
2006225665.tif 000024
【図２３】
2006225665.tif 000025
【図２４】
2006225665.tif 000026
【図２５】
2006225665.tif 000027
【図２６】
2006225665.tif 000028
【図２７】
2006225665.tif 000029
【図２８】
2006225665.tif 000030
【図２９】
2006225665.tif 000031
【図３０】
2006225665.tif 000032
【図３１】
2006225665.tif 000033
【図３２】
2006225665.tif 000034
【図３３】
2006225665.tif 000035
【図３４】
2006225665.tif 000036
【図３５】
2006225665.tif 000037
【図３６】
2006225665.tif 000038
【図３７】
2006225665.tif 000039
【図３８】
2006225665.tif 000040
【図３９】
2006225665.tif 000041
【図４０】
2006225665.tif 000042
【図４１】
2006225665.tif 000043
【図４２】
2006225665.tif 000044
【図４３】
2006225665.tif 000045
【図４４】
2006225665.tif 000046
【図４５】
2006225665.tif 000047
【図４６】
2006225665.tif 000048
【図４７】
2006225665.tif 000049
【図４８】
2006225665.tif 000050
【図４９】
2006225665.tif 000051
【図５０】
2006225665.tif 000052
【図５１】
2006225665.tif 000053
【図５２】
2006225665.tif 000054
【図５３】
2006225665.tif 000055